(57)【要約】  本発明は、部分的には吸収性物品を目的とする。この吸収性物品は、液体透過性トップシートと、液体不透過性バックシートと、少なくとも部分的には液体透過性トップシートと液体不透過性バックシートとの間に配置された吸収性コアとを備える。液体透過性トップシートは第１のゾーンと第２のゾーンとを備える。第１のゾーンは形態学的処理を含む。形態学的処理は、トップシートの平面から延びる複数の３次元突出部を含む。３次元突出部のうちの少なくともいくつかは、開口部基部と、対向する遠位部分と、その基部と遠位部分との間の１つ以上の側壁とを有する。対向する側壁部分の間の少なくとも１つの距離は、開口部の距離よりも大きい。
2017512575.tif 000002
【特許請求の範囲】
【請求項１】
液体透過性トップシートと、
液体不透過性バックシートと、
少なくとも部分的に前記液体透過性トップシートと前記液体不透過性バックシートとの間に配置された吸収性コアと、を備える吸収性物品であって、
前記液体透過性トップシートは、第１のゾーンと第２のゾーンとを備え、前記第１のゾーンは形態学的処理を含み、前記形態学的処理は、
前記トップシートの平面から延びる複数の３次元突出部を含み、前記３次元突出部のうちの少なくともいくつかは、開口部を形成する基部と、対向する遠位部分と、前記基部と前記遠位部分との間の１つ以上の側壁とを有し、対向する側壁部分の間の少なくとも１つの距離は、前記開口部の幅よりも大きい、吸収性物品。
【請求項２】
少なくとも部分的に前記液体透過性トップシートと前記吸収性コアとの間に配置された捕捉層を備え、前記第１のゾーンは、前記トップシートの一部分と前記捕捉層の一部分とを含み、前記形態学的処理は、
向かい合う関係で前記液体透過性トップシートの前記一部分と前記捕捉層の前記一部分とを有する積層体を含み、前記積層体は、前記積層体の平面から延びる前記３次元突出部を含み、前記液体透過性トップシートと前記捕捉層とは、前記３次元突出部内で互いに入れ子にされ、前記３次元突出部のうちの前記少なくともいくつかは、開口部を形成する前記基部と、前記対向する遠位部分と、前記基部と前記遠位部分との間の前記１つ以上の側壁とを有し、対向する側壁部分の間の前記少なくとも１つの距離は、前記開口部の前記幅よりも大きい、請求項１に記載の吸収性物品。
【請求項３】
実質的に横方向に延在する分離要素を備え、前記第１のゾーンは前記分離要素の第１の側に配置され、前記第２のゾーンは前記分離要素の第２の側に配置される、請求項１又は２に記載の吸収性物品。
【請求項４】
前記第１のゾーン又は前記第２のゾーンは、化学処理又は第２の形態学的処理を含む、請求項１〜３のいずれか一項に記載の吸収性物品。
【請求項５】
前記吸収性コアは１つ以上のチャネルを備え、前記形態学的処理は、前記チャネルのうちの１つと少なくとも部分的に重なり、前記吸収性コアは吸収性材料を含み、前記吸収性材料は、前記吸収性材料の少なくとも８５重量％の超吸収性ポリマーを含む、請求項１〜４のいずれか一項に記載の吸収性物品。
【請求項６】
少なくとも部分的に前記捕捉層と前記吸収性コアとの間に配置された分配層を備え、前記分配層又は前記捕捉層は１つ以上のチャネルを備える、請求項１〜５のいずれか一項に記載の吸収性物品。
【請求項７】
少なくとも部分的に前記捕捉層と前記吸収性コアとの間に配置された分配層を備え、前記分配層は１つ以上のチャネルを備え、前記形態学的処理は、前記チャネルのうちの１つと少なくとも部分的に重なる、請求項２〜５のいずれか一項に記載の吸収性物品。
【請求項８】
前記第２のゾーンは孔のパターンを備え、前記孔のパターン内のいくつかの孔は、前記孔のパターン内の他の孔に対して異なる大きさ、形状、及び／又は配向を有する、請求項１〜７のいずれか一項に記載の吸収性物品。
【請求項９】
前記孔のパターンは、第１の長手方向軸線を有する第１の孔と、第２の長手方向軸線を有する第２の孔とを含み、前記第１の長手方向軸線は前記第２の長手方向軸線とは異なる方向に延び、前記孔のパターンのうちの孔の一部は、前記孔のパターン内にマクロパターンを形成する、請求項８に記載の吸収性物品。
【請求項１０】
前記第２のゾーンは第２の形態学的処理を含み、前記第２の形態学的処理は、
前記トップシートの平面から延びる第２の複数の３次元突出部を含み、前記第２の複数の３次元突出部のうちの少なくともいくつかは、開口部を形成する基部と、対向する遠位部分と、前記基部と前記遠位部分との間の１つ以上の側壁とを有し、前記第２の複数の３次元突出部において、対向する側壁部分の間の少なくとも１つの距離は、前記開口部の幅よりも大きい、請求項１〜７のいずれか一項に記載の吸収性物品。
【請求項１１】
前記第２のゾーンは、前記トップシートの一部分と前記捕捉層の一部分とを含み、前記第２のゾーンは第２の形態学的処理を含み、前記第２の形態学的処理は、
向かい合う関係で前記液体透過性トップシートの前記一部分と前記捕捉層の前記一部分とを有する第２の積層体を含み、前記第２の積層体は、前記第２の積層体の平面から延びる複数の３次元突出部を含み、前記液体透過性トップシートと前記捕捉層とは、前記複数の３次元突出部内で互いに入れ子にされ、前記３次元突出部のうちの前記少なくともいくつかは、開口部を形成する基部と、対向する遠位部分と、前記基部と前記遠位部分との間の１つ以上の側壁とを有し、対向する側壁部分の間の少なくとも１つの距離は、前記開口部の幅よりも大きい、請求項１〜７のいずれか一項に記載の吸収性物品。
【請求項１２】
前記形態学的処理の前記３次元突出部は、前記吸収性コアから離れる方向に、又は前記吸収性コアに向かう方向に、前記平面から延びる、請求項１〜１１のいずれか一項に記載の吸収性物品。
【請求項１３】
長手方向軸線と、該長手方向軸線に対して概ね平行に延びる３つの材料片とを備え、第１の材料片が、少なくとも部分的に第２の材料片と第３の材料片との間に配置され、前記第１の材料片は前記第１のゾーンを含み、前記第２の材料片及び前記第３の材料片は前記第２のゾーンを含む、請求項１、２、及び４〜１２のいずれか一項に記載の吸収性物品。
【請求項１４】
長手方向軸線と、該長手方向軸線に対して概ね平行に延びる３つの材料片とを備え、第１の材料片が、少なくとも部分的に第２の材料片と第３の材料片との間に配置され、前記第１の材料片は前記第２のゾーンを含み、前記第２の材料片及び前記第３の材料片は前記第１のゾーンを含む、請求項１、２、及び４〜１２のいずれか一項に記載の吸収性物品。
【請求項１５】
請求項１〜１４のいずれか一項に記載の複数の吸収性物品を含むパッケージであって、バッグ内スタック高さ試験による、約８５ｍｍ未満でかつ約７０ｍｍ超のバッグ内スタック高さを有する、パッケージ。
【発明の詳細な説明】
【技術分野】
【０００１】
本開示は、概して、個人衛生のための吸収性物品を目的とする。この吸収性物品はそれぞれ、同じ処理又は異なる処理を有するゾーンを備える１つ以上の基材を備え得る。
【背景技術】
【０００２】
個人衛生用の吸収性物品は、排泄物（例えば、尿、経血、排便「ＢＭ」）を吸収及び収容するように設計される。これらの吸収性物品は、例えば、トップシート、バックシート、及び他の層の中でトップシートとバックシートとの間に配置された吸収性コアなど、異なる機能を提供するいくつかの層を備え得る。
【発明の概要】
【発明が解決しようとする課題】
【０００３】
異なる機能又はわずかに異なる機能（例えば、尿吸収性、ＢＭ吸収性）を成し遂げるゾーンを有する吸収性物品が、より高性能な吸収性物品を得るために当分野で必要とされている。
【課題を解決するための手段】
【０００４】
本発明は、部分的には吸収性物品を目的とする。この吸収性物品は、液体透過性トップシートと、液体不透過性バックシートと、少なくとも部分的に液体透過性トップシートと液体不透過性バックシートとの間に配置された吸収性コアとを備える。液体透過性トップシートは、第１のゾーンと第２のゾーンとを備える。第１のゾーンは、形態学的処理を含む。形態学的処理は、トップシートの平面から延びる複数の３次元突出部を含む。３次元突出部のうちの少なくともいくつかは、開口部を形成する基部と、対向する遠位部分と、その基部と遠位部分との間の１つ以上の側壁とを備える。対向する側壁部分の間の少なくとも１つの距離は、開口部の幅よりも大きい。
【０００５】
本発明は、部分的には吸収性物品を目的とする。この吸収性物品は、液体透過性トップシートと、液体不透過性バックシートと、少なくとも部分的に液体透過性トップシートと液体不透過性バックシートとの間に配置された吸収性コアとを備える。液体透過性トップシートは、第１のゾーンと第２のゾーンとを備える。第１のゾーンは、孔のパターンを備える。孔のパターンのうちの少なくとも２つの孔は、異なる大きさ、形状、及び／又は配向を有する。
【図面の簡単な説明】
【０００６】
本開示の非限定的な例の以下の説明文を添付図面と併せて参照することで、本開示の上記の特徴及び他の特徴並びに利点、並びにそれらを実現する方法がより明らかとなり、また本開示自体のより深い理解が得られるであろう。
【図１】本開示による、一部の層を部分的に取り除かれた吸収性物品の平面図である。
【図２】本開示による、図１の２−２線周囲で切り取った吸収性物品の横断面図である。
【図３】本開示による、少なくとも部分的に流体を充填された、図２の吸収性物品の図である。
【図４】本開示による、一部の層を部分的に取り除かれた別の吸収性物品の平面図である。
【図５】本開示による、図４の５−５線周囲で切り取った吸収性物品の横断面図である。
【図６】本開示による、一部の層を部分的に取り除かれた、図４の吸収性物品の吸収性コアの平面図である。
【図７】本開示による、図６の７−７線周囲で切り取った吸収性コアの横断面図である。
【図８】本開示による、図６の８−８線周囲で切り取った吸収性コアの銅断面図である。
【図９】本開示による、一部の層を部分的に取り除かれた、図４の吸収性物品のＬＭＳの平面図である。
【図１０】本開示による、図９の１０−１０線周囲で切り取った液体管理システムの横断面図である。
【図１１】本開示による、吸収性コア内のチャネルと、ＬＭＳと、トップシートから延びる、実質的に横方向に延在する分離要素とを有する吸収性物品の一部分の例示的な縦断面図である。
【図１２】本開示による、吸収性コア内のチャネルと、ＬＭＳと、トップシートから延びる、実質的に横方向に延在する分離要素とを有する吸収性物品の一部分の例示的な縦断面図である。
【図１３】本開示による、吸収性コア内のチャネルと、ＬＭＳと、トップシートから延びる、実質的に横方向に延在する分離要素とを有する吸収性物品の一部分の例示的な縦断面図である。
【図１４】本開示による、吸収性コア内のチャネルと、ＬＭＳと、トップシートから延びる、実質的に横方向に延在する分離要素とを有する吸収性物品の一部分の例示的な縦断面図である。
【図１５】本開示による、各々のゾーンが１つ以上の処理を有するか又は処理を有しない２つのゾーンを有する例示的なトップシート（トップシートを相互貫入する場合は更にＬＭＳ）を示す。
【図１６】本開示による、各々のゾーンが１つ以上の処理を有するか又は処理を有しない２つのゾーンを有する例示的なトップシート（トップシートを相互貫入する場合は更にＬＭＳ）を示す。
【図１７】本開示による、各々のゾーンが１つ以上の処理を有するか又は処理を有しない２つのゾーンを有する例示的なトップシート（トップシートを相互貫入する場合は更にＬＭＳ）を示す。
【図１８】本開示による、各々のゾーンが１つ以上の処理を有するか又は処理を有しない４つのゾーンを有する例示的なトップシート（トップシートを相互貫入する場合は更にＬＭＳ）を示す。
【図１９】本開示による、各々のゾーンが１つ以上の処理を有するか又は処理を有しない４つのゾーンを有する例示的なトップシート（トップシートを相互貫入する場合は更にＬＭＳ）を示す。
【図２０】本開示による、各々のゾーンが１つ以上の処理を有するか又は処理を有しない３つ以上のゾーンを有する例示的なトップシート（トップシートを相互貫入する場合は更にＬＭＳ）を示す。
【図２０Ａ】本開示による、各々のゾーンが１つ以上の処理を有するか又は処理を有しない３つ以上のゾーンを有する例示的なトップシート（トップシートを相互貫入する場合は更にＬＭＳ）を示す。
【図２１】本開示による、各々のゾーンが１つ以上の処理を有するか又は処理を有しない３つ以上のゾーンを有する例示的なトップシート（トップシートを相互貫入する場合は更にＬＭＳ）を示す。
【図２１Ａ】本開示による、各々のゾーンが１つ以上の処理を有するか又は処理を有しない３つ以上のゾーンを有する例示的なトップシート（トップシートを相互貫入する場合は更にＬＭＳ）を示す。
【図２１Ｂ】本開示による、各々のゾーンが１つ以上の処理を有するか又は処理を有しない３つ以上のゾーンを有する例示的なトップシート（トップシートを相互貫入する場合は更にＬＭＳ）を示す。
【図２１Ｃ】本開示による、各々のゾーンが１つ以上の処理を有するか又は処理を有しない３つ以上のゾーンを有する例示的なトップシート（トップシートを相互貫入する場合は更にＬＭＳ）を示す。
【図２２】本開示による、各々のゾーンが１つ以上の処理を有するか又は処理を有しない６つのゾーンを有するトップシートの（トップシートを相互貫入する場合は更にＬＭＳの）例である。
【図２３】本開示による、図２２の例示的なトップシード（及びＬＭＳ）の写真である。
【図２４】本開示による、各々のゾーンが１つ以上の処理を有するか又は処理を有しない５つのゾーンを有するトップシートの（トップシートを相互貫入する場合は更にＬＭＳの）例である。
【図２５】本開示による、図２４の例示的なトップシード（及びＬＭＳ）の写真である。
【図２６】本開示による、各々のゾーンが１つ以上の処理を有するか又は処理を有しない４つのゾーンを有するトップシートの（トップシートを相互貫入する場合は更にＬＭＳの）例である。
【図２７】本開示による、各々のゾーンが１つ以上の処理を有するか又は処理を有しない４つのゾーンを有するトップシートの（トップシートを相互貫入する場合は更にＬＭＳの）例である。
【図２８】本開示による、図２７の例示的なトップシード（及びＬＭＳ）の写真である。
【図２９】本開示による、各々のゾーンが１つ以上の処理を有するか又は処理を有しない４つのゾーンを有するトップシートの（トップシートを相互貫入する場合は更にＬＭＳの）例である。
【図３０】本開示による、図２９の例示的なトップシード（及びＬＭＳ）の写真である。
【図３１】本開示による、各々のゾーンが１つ以上の処理を有するか又は処理を有しない２つのゾーンを有するトップシートの（トップシートを相互貫入する場合は更にＬＭＳの）例である。
【図３２】本開示による、図３１の例示的なトップシード（及びＬＭＳ）の写真である。
【図３３】本開示によるゾーン別トップシートの例示的パターンである。
【図３４】本開示によるゾーン別トップシートの例示的パターンである。
【図３５】本開示によるゾーン別トップシートの例示的パターンである。
【図３６】本開示によるゾーン別トップシートの例示的パターンである。
【図３７】本開示によるゾーン別トップシートの例示的パターンである。
【図３８】本開示によるゾーン別トップシートの例示的パターンである。
【図３９】本開示によるゾーン別トップシートの例示的パターンである。
【図４０】本開示によるゾーン別トップシートの例示的パターンである。
【図４１】本開示によるゾーン別トップシートの例示的パターンである。
【図４２】本開示によるゾーン別トップシートの例示的パターンである。
【図４３】本開示による、孔を備える幾何学的処理の例である。
【図４４Ａ】本開示による、孔とエンボス加工とを備える例示的な幾何学的処理である。
【図４４Ｂ】本開示による、トップシートの一部分又は全部に使用するための例示的な基材を示す。
【図４４Ｃ】本開示による、トップシートの一部分又は全部に使用するための例示的なファブリック基材を示す。
【図４４Ｄ】本開示による、トップシートの一部分又は全部に使用するための例示的なメッシュを示す。
【図４４Ｅ】本開示による、トップシートの一部分又は全部に使用するための例示的なフィルムを示す。
【図４４Ｆ】本開示による、トップシートの一部分又は全部に使用するための例示的なフィルムを示す。
【図４５】本開示による、エンボス加工を備える例示的な形態学的処理である。
【図４６Ａ】本開示による、エンボス加工を備える例示的な形態学的処理の図である。
【図４６Ｂ】本開示による、図４６Ａの形態学的処理を有するトップシートの写真である。
【図４７】本開示による、エンボス加工を備える例示的な形態学的処理である。
【図４８】本開示による、エンボス加工を備える例示的な形態学的処理である。
【図４９】本開示による、エンボス加工を備える例示的な形態学的処理である。
【図５０】本開示による、パッカリングを備える形態学的処理の例である。
【図５１】本開示による、折り畳みを備える形態学的処理の例である。
【図５２】本開示による、液体管理システムの各部分が液体透過性トップシートの中へ又は液体透過性シートを貫いて延びる、例示的な形態学的処理の斜視図である。
【図５３】本開示による、図５２の円４３における分解斜視図である。
【図５４】本開示による、液体透過性トップシートの各部分が液体管理システムの中へ又は液体管理システムを貫いて延びる、例示的な形態学的処理の斜視図である。
【図５５】本開示による、図５４の円５５における分解斜視図である。
【図５６】本開示による、図５２及び４４の形態学的処理をなすために用いられるプロセスの斜視図である。
【図５７】本開示による、図５６のプロセスから得られたロールの各部分の係合の正面図である。
【図５８】本開示による、トップシートにおける形態学的又は化学的処理の写真である。
【図５９】本開示による化学的処理パターンの図である。
【図６０】本開示による、トップシート上の図５９の化学的処理パターンの写真である。
【図６１】本開示による化学的処理パターンの図である。
【図６２】本開示による、トップシート上の図６１の化学的処理パターンの写真である。
【図６３】本開示による、様々な処理を持つ様々なゾーンを有する例示的な吸収性物品の図である。
【図６４】本開示による、様々な処理を持つ様々なゾーンを有する例示的な吸収性物品の図である。
【図６４Ａ】本開示による、様々な処理を持つ様々なゾーンを有する例示的な吸収性物品の図である。
【図６５】本開示による、様々な処理を持つ様々なゾーンを有する例示的な吸収性物品の図である。
【図６６】本開示による、様々な処理を持つ様々なゾーンを有する例示的な吸収性物品の図である。
【図６７】本開示による、様々な処理を持つ様々なゾーンを有する例示的な吸収性物品の図である。
【図６８】本開示による、様々な処理を持つ様々なゾーンを有する例示的な吸収性物品の図である。
【図６９】本開示による、吸収性物品の例示的なパッケージを示す。
【図７０】本開示による、複数の３次元突出部を含む例示的な形態学的処理を備える基材の一部分の平面図である。
【図７１】本開示による、図７０の基材の一部分の３次元突出部のうちの１つの底面斜視図である。
【図７２】本開示による、複数の３次元突出部を備えた基材の一部分の背面斜視図である。
【図７３】本開示による、形態学的処理の３次元突出部の概略的正面斜視図である。
【図７４】本開示による、形態学的処理の３次元突出部の断面写真である。
【図７５】本開示による、形態学的処理の３次元突出部の概略的側面図である。
【図７６】本開示による、複数の３次元突出部を含む別の例示的な形態学的処理を備える基材の一部分の背面図である。
【図７７】本開示による、図７６の基材の３次元突出部のうちの１つの断面写真である。
【図７８】本開示による、図７５の基材を製造するために使用される機器の斜視図である。
【図７９】本開示による、図７８の円７９における分解図である。
【図８０】本開示による、図７８の円８０における分解図である。
【図８１】本開示の形態学的処理のうちの１つの３次元突出部の例示的な側方横断面図であり、３次元突出部は下向きに延びている。
【図８２】本開示の形態学的処理のうちの１つの３次元突出部の例示的な側方横断面図であり、３次元突出部は下向きに延びている。
【図８３】本開示の形態学的処理のうちの１つの３次元突出部の例示的な側方横断面図であり、３次元突出部は下向きに延びている。
【図８４】本開示の形態学的処理のうちの１つの３次元突出部の例示的な側方横断面図であり、３次元突出部は下向きに延びている。
【図８５】本開示の形態学的処理のうちの１つの３次元突出部の例示的な側方横断面図であり、３次元突出部は下向きに延びている。
【図８６】本開示の形態学的処理のうちの１つの３次元突出部の例示的な側方横断面図であり、３次元突出部は上向きに延びている。
【図８７】本開示の形態学的処理のうちの１つの３次元突出部の例示的な側方横断面図であり、３次元突出部は上向きに延びている。
【図８８】本開示の形態学的処理のうちの１つの３次元突出部の例示的な側方横断面図であり、３次元突出部は上向きに延びている。
【図８９】本開示の形態学的処理のうちの１つの３次元突出部の例示的な側方横断面図であり、３次元突出部は上向きに延びている。
【図９０】本開示の形態学的処理のうちの１つの３次元突出部の例示的な側方横断面図であり、３次元突出部は上向きに延びている。
【図９１】本開示による、基材の各部分の孔の例示的なパターンの写真である。
【図９２】本開示による、基材の各部分の孔の例示的なパターンの写真である。
【図９３】本開示による、基材の各部分の孔の例示的なパターンの写真である。
【図９４】本開示による、基材の各部分の孔の例示的なパターンの模式図である。
【図９５】本開示による、基材の各部分の孔の例示的なパターンの模式図である。
【図９６】本開示による、基材の各部分の孔の例示的なパターンの模式図である。
【図９７】本開示による、基材の各部分の孔の例示的なパターンの模式図である。
【図９８】本発明による、孔のパターンを備えた基材を製造するための例示的なプロセスの略図である。
【図９９】本開示による、図９８のウェブ弱化構成の斜視図である。
【図１００】本開示による、図９９の弱化構成においてローラ３１１０として使用され得る例示的なローラの写真である。
【図１０１】本開示による、図９９の弱化構成においてローラ３１１０として使用され得る例示的なローラの写真である。
【図１０２】本開示による、図９９の弱化構成においてローラ３１１０として使用され得る例示的なローラの写真である。
【図１０３】本開示による、弱化構成において図１００のローラを使用して製作された孔のパターンを備える例示的な基材の写真である。
【図１０４】本開示による、弱化構成において図１０１のローラを使用して製作された孔のパターンを備える例示的な基材の写真である。
【図１０５】本開示による、弱化構成において図１０２のローラを使用して製作された孔のパターンを備える例示的な基材の写真である。
【図１０６】本開示による、図９８のプロセスの漸増延伸システムの斜視図である。
【図１０７】本開示による、図１０６の漸増延伸システムの歯の細部を示す拡大図である。
【図１０８】本開示による、図９８のプロセスの例示的な横断方向引張装置の斜視図である。
【図１０９】本開示による、外側長手部分が中央部分に対して非引き伸ばし及び非傾斜位置にある、例示的な横断方向引張装置の正面図の略図である。
【図１１０】本開示による、外側長手部分が中央部分に対して長手方向引き伸ばし位置にある、図１０９の横断方向引張装置の正面図の略図である。
【図１１１】本開示による、外側長手部分が中央部分に対して傾斜及び引き伸ばし位置にある、図１０９の横断方向引張装置の正面図の略図である。
【図１１２】本開示による、外側長手部分が中央部分に対して傾斜位置に固定された横断方向引張装置の正面図の略図である。
【図１１３】本開示による、図９９のローラ３１１０の例示的なオーバーボンド結合パターンである。
【図１１４】本発明による、図１１３のオーバーボンドパターンを使用して製造され、図１０８に示す装置を使用して２５％の横断方向延伸にさらされた、例示的なパターン付き有孔ウェブの写真である。
【図１１５】本発明による、図１１３のオーバーボンドパターンを使用して製造され、図１０８に示す装置を使用して３５％の横断方向延伸にさらされた、例示的なパターン付き有孔ウェブの写真である。
【図１１６】本発明による、図１１３のオーバーボンドパターンを使用して製造され、図１０８に示す装置を使用して４５％の横断方向延伸にさらされた、例示的なパターン付き有孔ウェブの写真である。
【図１１７】本発明による、図１１３のオーバーボンドパターンを使用して製造され、図１０８に示す装置を使用して５５％の横断方向延伸にさらされた、例示的なパターン付き有孔ウェブの写真である。
【図１１８】本開示による、吸収性物品の着用者対向表面の一部分又は衣類対向表面の一部分として使用され得る、基材の各部分における様々なゾーンを示す。
【図１１９】本開示による、吸収性物品の着用者対向表面の一部分又は衣類対向表面の一部分として使用され得る、基材の各部分における様々なゾーンを示す。
【図１２０】本開示による、吸収性物品の着用者対向表面の一部分又は衣類対向表面の一部分として使用され得る、基材の各部分における様々なゾーンを示す。
【図１２１】本開示による、吸収性物品の着用者対向表面の一部分又は衣類対向表面の一部分として使用され得る、基材の各部分における様々なゾーンを示す。
【図１２２】本開示による、吸収性物品の着用者対向表面の一部分又は衣類対向表面の一部分として使用され得る、基材の各部分における様々なゾーンを示す。
【発明を実施するための形態】
【０００７】
本明細書で開示するゾーンを有する吸収性物品の構造、機能、製造、及び使用法の原理が総合的に理解されるように、本開示の様々な非限定的な形態についてこれから説明することにする。これらの非限定的な形態の１つ以上例を添付の図面に示す。本明細書で説明されかつ添付の図面に示されるゾーンを有する吸収性物品は例示的な形態であり、本開示の様々な非限定的な形態の範囲は特許請求の範囲によってのみ定義されることが、当業者には理解されよう。１つの非限定的な形態に関して図示又は説明される特徴は、他の非限定的な形態の特徴と組み合わせることができる。そのような修正及び変形は、本開示の範囲に含まれることが意図されている。
【０００８】
序論
本明細書で用いられるとき、用語「吸収性物品」は、乳児用おむつ、小児用おむつ又は大人用おむつ、生理用ナプキン、成人用失禁製品、パンツ型おむつ、トレーニングパンツ、おむつインサートなど、身体から放出された排出物（例えば、尿及びＢＭ）を吸収及び収容するように、着用者の身体に当てて又は近接して配置される、使い捨てデバイスを指す。通常これらの物品は、トップシート、バックシート、吸収性コア、所望によりＬＭＳ、及び一般に他の構成要素を備え、吸収性コアは通常、少なくとも部分的にバックシートとＬＭＳ（設けられる場合）との間又はトップシートとバックシートとの間に配置される。本開示の吸収性物品について、以下の説明にて、そして図にて、テープ付きおむつの形態で更に説明することにする。しかしながら、この説明におけるいかなる内容も、特許請求の範囲を限定するものと見なされるべきではない。したがって、本開示は、任意の好適な形態の吸収性物品（例えば、トレーニングパンツ、テープ付きおむつ、テープ付き又はパンツ形態のいずれかの成人用失禁製品、生理用ナプキン）に適用される。
【０００９】
本明細書で用いられるとき、用語「不織布ウェブ」とは、摩擦及び／又は粘着及び／又は接着により結合させた、一方向に又はランダムに配向された繊維から作られたシート、ウェブ、又は打延べ綿シートを意味し、紙、及び更なるニードル加工の有無を問わず、結束糸若しくはフィラメントを組み込んだ織り製品、編み製品、タフト加工品、ステッチ結合製品、又は湿式粉砕によるフェルト製品は含まない。繊維は、天然由来のものであっても若しくは人工起源のものであってもよく、ステープル若しくは連続フィラメントであっても、又はその場で形成されたものであってもよい。市販の繊維は、約０．００１ｍｍ未満から約０．２ｍｍ超の範囲の直径を有してもよく、短繊維（ステープル繊維又は細断繊維として知られる）、連続単繊維（フィラメント又はモノフィラメント）、連続フィラメントの無撚糸束（トウ）、及び連続フィラメントの撚糸束（ヤーン）などのいくつかの異なる形態によって提供され得る。不織布ウェブは、メルトブロー法、スパンボンド法、溶媒紡糸法、電界紡糸法、カーディング法、及びエアレイイング法などの多くのプロセスによって形成され得る。不織布ウェブの坪量は、通常は、グラム毎平方メートル（ｇ／ｍ２又はｇｓｍ）で表される。
【００１０】
用語「接合する」、「接合された」、「接合している」、「結合する」、「結合している」、「結合された」、「付着する」、「付着された」、又は「付着されている」は、本明細書で用いられるとき、ある要素を別の要素に直接貼り付けることによりその要素が別の要素に直接固定される構成と、ある要素を中間部材（複数可）に貼り付け、次に中間部材を他の要素に貼り付けることにより、その要素が別の要素に間接的に固定される構成とを包含する。
【００１１】
本明細書で用いられるとき、用語「チャネル」は、材料層の周囲材料よりも実質的に少ない坪量（例えば、５０％未満、７０％未満、９０％未満）を有する材料層の領域又はゾーンである。チャネルは、材料を実質的に含まない材料層内の領域であってもよい（例えば、９０％が材料非含有である、９５％が材料非含有である、若しくは９９％が材料非含有である、又は完全に材料非含有である）。チャネルは、１つ以上の材料層を通して延在し得る。チャネルは、一般に、材料層の周囲領域よりも低い曲げ弾性率を有し、このため、材料層をより容易に屈曲させることができ、かつ／又は材料層の周囲面積よりもチャネル内により多くの身体排出物を収容することができる。それゆえに、チャネルは、チャネルのエリアにおいて材料の層の坪量を減らすことなく材料の層に設けられた凹みにすぎない、というものではない。
【００１２】
用語「幾何学的処理」は、本明細書で用いられるとき、単層又は多層基材のうちの、任意の好適な大きさ及び形状の孔である要素並びに／又は形態学的処理をなす要素を備える、少なくとも一部分又は領域を意味する。
【００１３】
用語「形態学的処理」は、本明細書で用いられるとき、単層又は多層基材のうちの、３次元形体、エンボス加工、ある層の別の層の中への又は別の層を貫く相互貫入（例えば、ＬＭＳの１つ以上の層からトップシートの中へ、又はトップシートからＬＭＳの１つ以上の層の中へ）、面外バンプ、面外隆起、面外タフト、面外プリーツ、面外リップル、又は折り目を有する要素を備える、少なくとも一部分又は領域を意味する。形態学的処理により、実質的に一様な平面的基材は、第１の形態学的構成（概して平坦かつ平面的）から別の形態学的構成（概して非平坦かつ非平面的）へと変換することになる。形態学的処理は、複数の要素から形成される。不明確さを避けるために、形態学的処理は孔を含まないが、有孔材料が形態学的処理にさらされ得る。
【００１４】
用語「化学的処理」は、本明細書で用いられるとき、単層又は多層基材のうちの、少なくとも一部分に化合物、組成物、又は物質を付けられた、少なくとも一部分又は領域を意味する。いくつかの例が、１つ以上のスキンケア組成物、界面活性剤、インキ、染料、顔料、親水性コーティング、疎水性コーティング、ローション、酵素阻害剤、ビタミン、及び／又は活性成分である。化学的処理は、基剤の少なくとも一部分又は領域に噴霧されるか、印刷されるか、スロットコーティングされるか、ないしは別の方法で施され得る。
【００１５】
用語「実質的に耐久性」は、本明細書で用いられるとき、施された化学的処理のうちの少なくとも９４％、少なくとも９５％、少なくとも９６％、少なくとも９７％、少なくとも９８％、少なくとも９９％、又はそれ以上が、製造時から意図される一般的な使用期間（例えば、吸収性物品が着用者に用いられた時点から、吸収性物品が着用者から取り外され、破棄される時点まで）にわたって基材上に残留する化学的処理を意味する。
【００１６】
用語「実質的に移動性」は、本明細書で用いられるとき、施された化学的処理のうちの少なくとも１０％、少なくとも２０％、少なくとも３０％、少なくとも４０％、少なくとも５０％、又は更には少なくとも６０％以上が、意図される一般的な使用期間（例えば、吸収性物品が着用者に用いられた時点から、吸収性物品が着用者から取り外され、破棄される時点まで）着用者の皮膚に移動する化学的処理を意味する。
【００１７】
用語「親水性コーティング」は、本明細書で用いられるとき、基材を親水性に又は更に親水性にするために基材に施される化学的処理を意味する。
【００１８】
用語「親水性」は、本明細書で用いられるとき、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編集、１９６４年に著作権取得）に従って、９０°以下の接触角を有する基材又は組成物を指す。
【００１９】
用語「疎水性コーティング」は、本明細書で用いられるとき、基材を疎水性に又は更に疎水性にするために基材に施される化学的処理を意味する。
【００２０】
用語「疎水性」は、本明細書で用いられるとき、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編集、１９６４年に著作権取得）に従って、９０°以上の接触角を有する基材又は組成物を指す。
【００２１】
用語「流動制御材料」は、本明細書で用いられるとき、それを貫く排泄物の流動を少なくとも部分的に制限するか又は完全に制限する物質が基材（液体透過性トップシートなど）に適用される化学的処理であり得る。流動制御材料は、例えば、ろう、インキ（顔料を有する）、非粘着性接着剤、ホットメルト接着剤、スキンケア組成物の実質的に耐久性の構成成分、ポリオレフィン、高分子量のアルコール（スキンケア組成物の構成成分の一例）、又は２０℃で実質的に固形の他の構成成分であり得る。流動制御材料は、実質的に耐久性であり得る。流動制御材料はまた、材料が基材（例えばトップシート）に適用され、次いでその材料と基材が２つ以上のロールに通されて、流動制御材料が溶融され、基材に接合、結合、又は付着されるときを含み得る。
【００２２】
用語「活性成分」は、本明細書で用いられるとき、化学的、生化学的、及び／又は生物学的効果を有する、すなわち、化学的、生化学的、及び／又は生物学的反応、システム、プロセス、又は平衡における変化を引き起こすか、開始させるか、又はその変化に影響を及ぼす成分を意味する。これは、典型的には担体、粘度調整剤、溶融温度伝達物質として、又は純粋に物理的理由（すなわち充填剤）で使用され得る不活性成分と対照をなすものである。
【００２３】
用語「酵素阻害剤」は、本明細書で用いられるとき、酵素に結合して酵素の活性を低減させる分子を意味する。
【００２４】
本明細書で用いられるとき、用語「弾性」は、付勢力の印加時に、延伸可能、即ち、少なくとも約６０パーセント（即ち、延伸後の、付勢後の長さに）伸縮可能であり、弛緩後の付勢前の長さの少なくとも約１６０パーセントであり、かつ、延伸、伸縮力の解除時に、少なくとも伸縮の５５パーセントを回復することになる任意の材料を指す。仮想的例であれば、少なくとも４０．６ミリメートル（１．６０インチ）に伸縮可能であり、４０．６６ミリメートル（１．６０インチ）に伸縮されて解除されると、せいぜい３２．３ミリメートル（１．２７インチ）の長さに回復することになる材料の２５ミリメートル（１インチ）試料であろう。多くの弾性材料は、６０パーセントを超え（即ち、弛緩後の長さの１６０パーセントを遥かに上回る）、例えば、１００パーセントを超えて伸縮され得、これらの材料の多くは、延伸力の解除時に、例えば、初期の弛緩後の長さの１０５パーセント以内まで、実質的に初期の弛緩後の長さに回復することになる。
【００２５】
本明細書で用いられるとき、用語「非弾性」は、上記の「弾性」の定義に該当しない任意の材料を指す。
【００２６】
本明細書で用いられるとき、用語「延伸性」は、付勢力の印加時に、破局的故障を経験することなく、少なくとも約５０パーセント、少なくとも約１００％、又は少なくとも約１２５％、伸縮可能である任意の材料を指す。
【００２７】
本明細書で用いられるとき、用語「溶融安定化」は、安定化した薄膜状の形態に不織布材料の繊維を実質的に強化するために局所加熱及び／又は局所圧力にさらされた不織布材料の部分を指す。
【００２８】
用語「機械方向」（ＭＤ）は、本明細書では、あるプロセスを通過する材料、基材のストリップ、又は物品の流れの主方向を指すのに用いられる。
【００２９】
本明細書では、用語「横断方向」（ＣＤ）は、機械方向に対してほぼ垂直な方向を指すのに用いられる。
【００３０】
ゾーン別処理を有する基材の概説
本開示の吸収性物品は、１つ以上のゾーン、別法として２つ以上のゾーン、別法として３つ以上のゾーン、また別法として４つ以上のゾーンなどを備えた１つ以上の単層又は多層基材を備える。基材におけるゾーンの各々は、異なる処理を有しても、同じ処理を有してもよい。基材の１つ以上のゾーンが、まったく処理を有しなくてもよい。ゾーンの一部又は全部が流動制御材料（本明細書では「処理」と一般に呼ばれ得る）を備えてもよく、またゾーンのいずれもが流動制御材料を備えなくてもよい。これらのゾーンの各々は、ＢＭ及び尿のレオロジー及び固形分がきわめて異なり得るという事実により、尿管理又はＢＭ管理をより良好にするために、異なる処理を有しても、同じ処理を有してもよい。別法として、これらのゾーンの各々は、より良好な尿若しくはＢＭ管理の様子をもたらすために、又は、着用者によって着用されるときに吸収性物品の正しい方向に関する手がかりを介護者若しくは着用者に与えるために、異なる処理を有しても、同じ処理を有してもよい。
【００３１】
基材は、例えば、液体透過性トップシート、その液体透過性トップシートの上に配置されたパッチ若しくは層、ＬＭＳの１つ以上の層、及び／又は吸収性物品内の他の基材であり得る。１つの基材又は複数の基材（本明細書では互換的に使用される）におけるゾーンは、少なくとも部分的に、吸収性物品のうちの前側及び／若しくは後側領域に、吸収性物品のうちの股領域に、吸収性物品のうちの、横方向若しくは長手方向軸線のいずれかの第１及び第２の側の領域に、吸収性物品のうちの、実質的に横方向に延在する分離要素の同じ側若しくは異なる側の領域に、吸収性物品のうちの、吸収性物品の他の領域全体に分散した及び／若しくは別様に吸収性物品の基材の領域全体に分散した領域に形成され得る。基材内の各ゾーンは、基材内の別のゾーンと同じか又は異なる幾何学的処理、形態学的処理、及び／又は化学的処理（合わせて「処理」）のうちの１つ以上を有し得る。「同じ」とは、例えば、処理が同じタイプ（例えば共にエンボス加工）のものであり、同じパターン、高さ、長さ、幅、大きさ、形状、頻度、及び他の次元を有することを意味する。「異なる」とは、処理は同じ（例えば共にエンボス加工）であり得るが、パターン、高さ、長さ、幅、大きさ、形状、頻度、及び他の次元が異なることを意味する。あるいは、「異なる」は、その処理が別の処理と同じではないこと（例えば、一方の処理としては孔、もう一方の処理としてはエンボス加工）を意味し得る。このシナリオにおける処理は「異なる」が、それらは、横方向若しくは長手方向軸線を中心として対称的若しくは非対称的パターン又は繰り返し若しくは非繰り返しパターンを、あるいは吸収性物品の実質的に横方向に延在する分離要素を形成し得る。基材における１つ以上のゾーンは、基材における他のゾーンと重なり合っても、重なり合わなくても、一致しても、一致しなくてもよい。したがって、これらのゾーンは、互いから分離していてもよく、又は互いに重なり合ってもよい。同じ処理若しくは異なる処理を有するか、又は処理を有しない任意の個数のゾーンが、特定の基材に設けられ得る。基材が１つ以上の層を有してもよく、また様々な処理が、それらの層のうちの１つ、すべて、又はすべてでないがいくつかに設けられてよい。
【００３２】
様々なゾーン、並びにそれらのゾーン内の処理及び／又は流動制御材料について議論する前に、本開示のゾーン別処理及び流動制御材料の例示的な状況を構成するために、吸収性物品の一般的議論を提示することにする。
【００３３】
例示的な吸収性物品の概説
おむつの形態で示された、本開示による例示的な吸収性物品２０が、図１〜３に表されている。図１は、平らに広げられた状態にあり、着用者対向表面が読者に向けられた、おむつの平面図であり、構造の一部分が、おむつの構成をより明確に示すために切り取られている。このおむつは、本開示が広範囲に及ぶ様々なおむつ及び他の吸収性物品を製造するために使用され得るため、例示目的のみで示される。
【００３４】
吸収性物品は、液体透過性トップシート２４と、液体不透過性バックシート２５と、少なくとも部分的にトップシート２４とバックシート２５との間に配置された吸収性コア２８と、バリアレッグカフ３４とを備え得る。吸収性物品はまた、液体管理システム（「ＬＭＳ」）５０（図２に示す）を備え得るが、図示されている例におけるＬＭＳ  ５０は、分配層５４と捕捉層５２とを備えており、これらについては以下で更に議論することにする。様々な形態では、捕捉層５２は、代わりに、身体排出物を分配することができ、また、分配層５４は、代わりに、身体排出物を捕捉することができるか、又はいずれの層も、身体排出物の分配及び／又は捕捉が可能である。また、ＬＭＳ  ５０は、単一層又は２層以上として提供され得る。また吸収性物品は、典型的には、トップシート及び／又はバックシートを通して吸収性物品のシャーシと接合し、おむつのシャーシに対して実質的に平面である弾性ガスケットカフ３２を含んでもよい。
【００３５】
図面はまた、吸収性物品２０の後縁部に向かって取り付けられ、かつ吸収性物品２０の前方で、ランディングゾーン４４と協働する、接着タブ４２又はその他の機械的締結具を備える締結システムのような、テープ付きおむつの典型的な構成要素を示す。吸収性物品はまた、例えば後側弾性腰部機構及び前側弾性腰部機構など、図示されていない他の典型的な要素を備え得る。
【００３６】
また吸収性物品２０は、前側腰部縁部１０と、前側腰部縁部１０と長手方向に対向する後側腰部縁部１２と、第１の側縁部３と、第１の側縁部３と横方向に対向する第２の側縁部４とを備え得る。前側腰部縁部１０は、着用されるときにユーザーの前方に向かって置かれるように意図された吸収性物品２０の縁部であり、後側腰部縁部１２はその反対側の縁部である。前側腰部縁部１０と後側腰部縁部は共に、吸収性物品２０が着用者に着せられるときに、腰部開口部を形成する。この吸収性物品２０は、吸収性物品を平らに置き、図１に示すように着用者対向表面から見ると、前側腰部縁部１０の側面中点から吸収性物品２０の後側腰部縁部１２の側面中点へと延在し、かつ、長手方向軸線８０に対して、吸収性物品２０を実質的に対称である２つの半分に分割している長手方向軸線８０を有し得る。吸収性物品はまた、第１の側縁部３の長手方向中点から第２の側縁部４の長手方向中点へと延びる横方向軸線９０を有し得る。吸収性物品２０の長さＬは、前側腰部縁部１０から後側腰部縁部１２へと長手方向軸線８０に沿って測定され得る。吸収性物品２０の股幅は、第１の側縁部３から第２の側縁部４へと横方向軸線９０に沿って測定され得る。吸収性物品２０は、前側腰部領域５と、後側腰部領域６と、股部領域７と、を含み得る。前側腰部領域、後側腰部領域、及び股領域は、それぞれ、吸収性物品の長手方向の長さの１／３を画定する。前側及び後側部分がまた、横方向軸線９０の両側に画定され得る。
【００３７】
トップシート２４、バックシート２５、吸収性コア２８、及び他の物品構成要素は、種々の構成にて、例えば、特に糊剤接着又は熱エンボス加工によって組み立てられ得る。例示的なおむつの構成は、概して、米国特許第３，８６０，００３号、同第５，２２１，２７４号、同第５，５５４，１４５号、同第５，５６９，２３４号、同第５，５８０，４１１号、及び同第６，００４，３０６号に記載されている。
【００３８】
吸収性コア２８は、吸収性材料の全重量を基準にして、７５重量％〜１００重量％、少なくとも８０重量％、少なくとも８５重量％、少なくとも９０重量％、少なくとも９５重量％、又は少なくとも９９重量％（具体的に示すと、上記に指定した範囲内及びその中で又はそれによって形成された全範囲内において、いずれも０．１％増分ずつ）を含む吸収性材料、及び吸収性材料を包囲するコアラップを含んでもよい。コアラップは、典型的には、２種類の材料、基材、つまり、コアの上側及び下側の不織布材料１６及び１６’（図８を参照）を備え得る。
【００３９】
吸収性コア２８は、４つのチャネル２６、２６’及び２７、２７’として図１に示す１つ以上のチャネルを含み得る。追加として、又は代替として、ＬＭＳ  ５０は、図１〜３のチャネル４９、４９’として表すように１つ以上のチャネルを含んでもよい。いくつかの形態では、ＬＭＳ  ５０のチャネルは、吸収性コア２８のチャネルと整列する、実質的に整列する、重なり合う、又は少なくとも部分的に重なり合うように、吸収性物品２０内に配置されてもよい。吸収性物品のこれらの構成要素及び他の構成要素を、これから更に詳細に考察する。
【００４０】
トップシート
トップシート２４は、着用者の皮膚と直接接する吸収性物品の一部である。トップシート２４は、当該技術分野で既知のように、バックシート２５、コア２８、及び／又は他の任意の層に接合させることができる。通常、トップシート２４及びバックシート２５は、いくつかの箇所（例えば、物品の周辺部又はその近く）で互いに直接接合し、他の箇所では、吸収性物品２０の１つ以上の他の要素へこれらを直接接合することにより、共に間接的に接合している。
【００４１】
トップシート２４は、着用者の皮膚に対して順応性があり、柔軟な感触であり、非刺激性であってよい。更に、トップシート２４の少なくとも一部分は、液体透過性であり、液体がその厚さを通して容易に透過し得る。好適なトップシートは、例えば、多孔質発泡体、網目状発泡体、有孔プラスチックフィルム、あるいは天然繊維（例えば、木材繊維又は綿繊維）、合成繊維若しくはフィラメント（例えば、ポリエステル繊維、若しくはポリプロピレン繊維、若しくは二成分ＰＥ／ＰＰ繊維、又はそれらの組み合わせ）、若しくは天然繊維と合成繊維との組み合わせの織布又は不織布材料などの、広範囲の材料から製造され得る。トップシート２４が繊維を含む場合、繊維は、スパンボンド法、カード法、湿式堆積法、メルトブロー法、水流交絡法、又は当該技術分野において既知の別の方法、特にスパンボンドＰＰ不織布法で処理され得る。
【００４２】
典型的な吸収性物品のトップシートの坪量は、約５ｇｓｍ〜約５０ｇｓｍ、約１０〜約３５ｇｓｍ又は約１２〜約３０ｇｓｍであるが、他の坪量も、本開示の範囲に含まれる。
【００４３】
バックシート
バックシート２５は、概して、吸収性コア２８の衣類対向表面に隣接して配置され、その中に吸収されて収容され排出物がベッドシーツ及び下着などの物品を汚すのを防止する又は少なくとも阻害する、吸収性物品２０の部分である。バックシート２５は通常、液体（例えば、尿、流れるＢＭ）に対しては不透過性又は少なくとも実質的に不透過性であるが、蒸気に対しては透過性であり、おむつが「呼吸できる」ようになっている。バックシートは、例えば、約０．０１２ｍｍ〜約０．０５１ｍｍの厚さを有する熱可塑性フィルムなどの薄いプラスチックフィルムであるか、又はそれを含んでもよい。例示的なバックシートフィルムとしては、Ｒｉｃｈｍｏｎｄ，ＶＡを拠点とするＴｒｅｄｅｇａｒ  Ｃｏｒｐｏｒａｔｉｏｎによって製造され、ＣＰＣ２フィルムの商標で販売されるものが挙げられる。他の好適なバックシート材料としては、吸収性物品２０から蒸気を逃す一方で、依然として排泄物がバックシート２５を通り抜けるのを防止するか又は少なくとも阻害する通気性材料が挙げることができる。例示的な通気性材料としては、織布ウェブ、不織布ウェブ、フィルムコーティングされた不織布ウェブなどの複合材料、微小孔性フィルム、及びモノリシックフィルムなどの材料を挙げることができる。
【００４４】
バックシート２５は、当該技術分野において既知のいずれかの付着方法によって、トップシート２４、吸収性コア２８、及び／又は吸収性物品２０の他の任意の要素に接合することができる。好適な付着方法は、トップシート２４を吸収性物品２０の他の要素に接合するための方法に関して上記で説明されている。
【００４５】
吸収性コア
本明細書で用用いられるとき、用語「吸収性コア」は、吸収能力の大半を有し、吸収性材料を含む吸収性物品の個々の構成要素を指す。吸収性コアは、吸収性材料を封じ込めるコアラップ又はコアバッグ（以後「コアラップ」）を備え得る。用語「吸収性コア」は、ＬＭＳ、又は、コアラップの一体部分ではないか又はコアラップ内に配置されない、吸収性物品の任意の他の構成要素を含まない。吸収性コアは、コアラップと、以下で定義される吸収性材料と、コアラップ内に封じ込まれる糊剤とを含むか、それらから本質的になり得るか、又はそれらからなり得る。またパルプ又はエアフェルトがコアラップ内に存在してもよく、吸収性材料の一部分を形成してもよい。コアラップの周辺部であり得る吸収性コアの周辺部は、例えば、「Ｔ」、「Ｙ」、「砂時計」、又は「犬の骨」の形状など、任意の適した形状を画定してもよい。概して「犬の骨」又は「砂時計」形状を有する吸収性コア周辺部は、その幅に沿って、コアの中央又は「股」領域に向かって先が細くなっていてもよい。このようにして、吸収性物品の股領域内に置かれるように意図された吸収性コアの面積において、吸収性コアは、比較的狭い幅を有し得る。
【００４６】
本開示の吸収性コア２８は、多量の超吸収性ポリマー（本明細書では「ＳＡＰ」と略す）がコアラップ内に封入された吸収性材料を含んでもよい。ＳＡＰ含有量は、コアラップ内に含まれる吸収性材料の７０重量％〜１００重量％、又は少なくとも７０重量％、７５重量％、８０重量％、８５重量％、９０重量％、９５重量％、９９重量％、又は１００重量％を示してもよい。本開示で有用なＳＡＰとしては、非水溶性ではあるが、大量の流体を吸収可能な種々の水膨潤性ポリマーを挙げることもできる。コアラップは、吸収性コア内のＳＡＰの百分率を評価する目的では吸収性材料とは見なされない。コア２８内の吸収性材料の残部はエアフェルトであってよい。
【００４７】
「吸収性材料」とは、ＳＡＰ、セルロース系繊維及び合成繊維など、何らかの吸収特性又は液体保持特性を有する材料を意味する。通常、吸収性コアの作製に使用される糊剤は、吸収特性を有さず、吸収性材料とは見なされない。ＳＡＰ含有量は、上述のように、コアラップに含まれる吸収性材料の８０重量％超、例えば少なくとも８５重量％、少なくとも９０重量％、少なくとも９５重量％、少なくとも９９重量％、更には最大１００重量％となり得る。これにより、通常は、例えば、４０％〜６０％のＳＡＰと大量のセルロース繊維又はエアフェルトとを含む従来のコアと比較して、相対的に薄いコアが得られる。吸収性材料は、１５重量％未満若しくは１０重量％未満の天然繊維若しくは合成繊維、５重量％未満、３重量％未満、２重量％未満、１重量％未満の然繊維若しくは合成繊維を含み得るが、又は更には天然繊維及び／若しくは合成繊維を実質的に含まないか、若しくは含まない場合があり、具体的には、特定の範囲内及びその中又はそれによって形成された全ての範囲内において全て０．１％の増分であることを示す。吸収性材料は、エアフェルト（セルロース）繊維をほとんど又はまったく含まなくてもよく、特に吸収性コアは、１５重量％未満、１０重量％未満、５重量％未満、３重量％未満、２重量％未満、１重量％未満のエアフェルト（セルロース）繊維を含んでもよく、又は更にはセルロース繊維を実質的に含まないか、若しくは含まない場合があり、具体的には、特定の範囲内及びその中又はそれによって形成された全ての範囲内において全て０．１％の増分であることを示す。
【００４８】
図４及び図５の吸収性物品の例示的な吸収性コア２８を、図６〜８に単独で示す。吸収性コア２８は、前側部２８０と、後側部２８２と、前側部２８０及び後側部２８２を接合する２つの長手方向側部２８４、２８６とを含むことができる。吸収性コア２８はまた、概して平面である上側と、概して平面である下側とを備え得る。コア２８の前側部２８０は、吸収性物品の前側腰部縁部１０に向けて配置されるように意図されたコア２８の側部である。コア２８は、図１に示すような平面図で上部から見て、吸収性物品の長手方向軸線８０に実質的に対応する長手方向軸線８０’を有してもよい。特定の物品の前部においてより高い吸収性が求められ得るので、後側に向かってよりも前側により多くの量の吸収性材料が、分散され得る。吸収性材料は、コアの任意の部分にわたって不均一の坪量又は均一の坪量を有し得る。コアラップは、吸収性コアの側部に沿って少なくとも部分的に封止され得る２つの不織布材料、基材、積層体、又は他の材料１６、１６’によって形成されてもよい。コアラップは、吸収性コアラップから漏出する吸収性材料が実質的にないように、その前側部２８０、後側部２８２、及び２つの長手方向側部２８４、２８６に沿って少なくとも部分的に封止され得る。第１の材料、基材、又は不織布１６は、図７に示すように、コアラップを形成するために、第２の材料、基材、又は不織布１６’を少なくとも部分的に取り囲み得る。第１の材料１６は、第１及び第２の側縁部２８４及び２８６に近接する第２の材料１６’の一部分を取り囲み得る。
【００４９】
様々なコア設計を有する比較的多量のＳＡＰを含むコアは、米国特許第５，５９９，３３５号（Ｇｏｌｄｍａｎ）、欧州特許第１，４４７，０６６号（Ｂｕｓａｍ）、国際公開出願第９５／１１６５２号（Ｔａｎｚｅｒ）、米国特許公開第２００８／０３１２６２２Ａ１号（Ｈｕｎｄｏｒｆ）、及び国際公開出願第２０１２／０５２１７２号（Ｖａｎ  Ｍａｌｄｅｒｅｎ）に開示されている。
【００５０】
吸収性材料は、コアラップ内に存在する１つ以上の連続層であってもよい。あるいは、吸収性材料は、コアラップ内に封入された吸収性材料の個別のポケット又は縞からなってもよい。第１の事例において、吸収性材料は例えば、吸収性材料の単一の連続層を適用することによって得られてもよい。吸収性材料の、特にＳＡＰの連続層はまた、不連続的な吸収性材料適用パターンを有する２つ以上の吸収性層を組み合わせることによって得られてもよく、結果として得られる層は、例えば米国特許公開第２００８／０３１２６２２Ａ１号（Ｈｕｎｄｏｒｆ）で開示されるように、吸収性の粒状ポリマー材料面積にわたって実質的に連続的に分配されている。吸収性コア２８は、第１の吸収層と、第２の吸収層とを含み得る。第１の吸収層は、第１の材料１６と、１００％以下ののＳＡＰであり得る吸収性材料の第１の層６１とを含んでもよい。第２の吸収層は、第２の材料１６’と、１００％以下ののＳＡＰであり得る吸収性材料の第２の層６２を含んでもよい。吸収性コア２８はまた、吸収性材料の各層６１、６２をそれぞれの材料１６、１６’に少なくとも部分的に接合する繊維状熱可塑性接着材料５１を含み得る。一例として、これは図７及び図８に例示されており、ここで、第１及び第２のＳＡＰ層は、横断縞つまり「ランドエリア」として適用されており、これらは、組み合される前に、それぞれの基材上の所望の吸収性材料堆積エリアと同じ幅を有するものである。縞は、コア８０の長手方向軸線に沿って所定のプロファイル化された坪量を提供するように、異なる量の吸収性材料（ＳＡＰ）を含んでもよい。第１の材料１６及び第２の材料１６’は、コアラップを形成し得る。
【００５１】
繊維状の熱可塑性接着材料５１は、ランドエリアにおいて少なくとも部分的に吸収性材料６１、６２と接触してもよく、また接合エリアにおいて材料１６及び１６’と少なくとも部分的に接触してもよい。これによって、長さ方向及び幅方向の寸法と比べて、それ自体は比較的薄い厚さの本質的に２次元構造である、熱可塑性接着材料５１の繊維層に、本質的に３次元の構造が付与される。それにより、繊維状の熱可塑性接着材料は、ランドエリアにおいて吸収性材料を被覆するようにキャビティを提供することができ、それにより、１００％以下のＳＡＰであり得るこの吸収性材料を不動化する。
【００５２】
コアラップ
コアラップは、吸収性材料の周りで折り重ねられた単一の基材、材料、又は不織布から作製されてもよく、又は互いに付着される２つ（又はそれ以上）の基材、材料、又は不織布を備えてもよい。典型的な付着は、いわゆるＣラップ及び／又はサンドイッチラップである。Ｃラップにおいて、例えば、図２及び図７に示すように、一方の基材の長手縁部及び／又は横断縁部が他方の基材に折り重ねられて、フラップを形成する。これらのフラップは次いで、通常は糊剤接着によって、他方の基材の外部表面に結合される。他の技術を用いてコアラップを形成してもよい。例えば、基材の長手縁部及び／又は横断縁部は、結合されてもよく、次に、吸収性コア２８の下で折り畳まれて、その場所で結合されてもよい。
【００５３】
コアラップは、コアから漏出する吸収性材料が実質的にないように、吸収性コアの全側部に沿って、少なくとも部分的に封止され得る。「吸収性材料が実質的にない」とは、コアラップから漏出する吸収性材料が５重量％未満、２重量％未満、１重量％未満、又は約０重量％であることを意味する。用語「封止」は、広義に理解されるべきである。封止は、コアラップの周辺部全体に沿って連続的である必要はないが、線上に離間配置された一連の封止点によって形成されるなど、コアラップの部分又は全体に沿って不連続であってもよい。封止は、糊糊剤接着及び／又は熱結合によって形成され得る。
【００５４】
また、コアラップは、小包のように吸収性材料を封入し得、またコアの前側及び後側並びに一方の長手方向封止部に沿って封止され得る単一の基材によって形成されてもよい。
【００５５】
ＳＡＰ堆積エリア
吸収性コアの上面から見られるように、吸収性材料の堆積エリア８は、コアラップ内の吸収性材料６０によって形成される層の周辺部によって画定され得る。吸収性材料の堆積エリア８は、様々な形状、特に、いわゆる「犬の骨」又は「砂時計」形状を有してもよく、この形状は、コアの中央又は「股」領域に向かうその幅に沿って先が細くなっているのを示す。このように、吸収性材料の堆積エリア８は、図１に示すように、吸収性物品の股領域内に置かれるように意図されたコアのエリアにおいて、比較的狭い幅を有し得る。これにより、より良好な着用感がもたらされ得る。また、吸収性材料堆積エリア８は、概して、例えば、図４〜６に示す通り、矩形であってもよいが、「Ｔ」、「Ｙ」、「砂時計」、又は「犬の骨」形状など他の堆積エリアも、本開示の範囲に含まれる。
【００５６】
吸収性コア内のチャネル
吸収性材料の堆積エリア８は、少なくとも１つのチャネル２６を備えてもよく、吸収性物品８０の長手方向（すなわち、長手方向ベクター要素を有する）に少なくとも部分的に配向されている。他のチャネルは、横方向（すなわち、横方向ベクトル要素を有する）又は任意の他の方向に少なくとも部分的に配向されてもよい。以下で複数形の「チャネル（channels）」は、「少なくとも１つのチャネル」を意味するために用いられる。チャネルは、円形、楕円形、又は様々な他の閉多角形の形状であってもよい。チャネルは、様々な方法で形成され得る。例えば、チャネルは、吸収性材料、特にＳＡＰを実質的に含まない、又は含まないものとなり得る吸収性材料の堆積エリア８内のゾーンによって形成されてもよい。それに加えてあるいはそれに代わって、チャネルはまた、吸収性材料の堆積エリア８を介して、コアラップの上側をコアラップの下側に連続的に又は不連続的に結合することによって形成されてもよい。チャネルは、連続的であっても断続的であってもよい。また、液体管理システム５０、又は吸収性物品の別の層はチャネルを含んでもよく、以下に詳細に示すように、吸収性コアのチャネルに対応しても、対応しなくてもよい。
【００５７】
吸収性コア２８は、例えば、少なくとも３つ、少なくとも４つなど、３つ以上のチャネルを備え得る。より短いチャネルも、図１の一対のチャネル２７、２７’によって表される通り、吸収性物品２０の前部に向かって、例えば、コアの後側腰部領域６又は前側腰部領域５内に存在し得る。チャネルは、長手方向軸線８０又は横方向軸線９０に対して対称的に配置されたか、又は別様に配置された一対以上のチャネルを含んでもよい。
【００５８】
チャネルの少なくとも一部又は全てが耐久性チャネルであってもよく、それの意味するところは、それらの一体性が、乾燥状態及び湿潤状態の両方で少なくとも部分的に保たれるということである。耐久性チャネルは、例えば、接着材料の繊維性層、又はチャネルの壁内の吸収性材料と基材との粘着を補助する構成糊剤など、１つ以上の接着材料を提供することにより得られてもよい。耐久性チャネルはまた、コアラップの上側と下側（例えば、第１の基材１６と第２の基材１６’）、及び／又はトップシート２４をバックシート２５に、チャネルを介して互いに結合することによって形成されてもよい。典型的には、チャンネルを介してコアラップの両側又はトップシート及びバックシートを結合するために接着剤が使用され得るが、圧力結合、超音波結合、熱結合、又はそれらの組み合わせなど、他の既知のプロセスによって結合され得る。コアラップ又はトップシート２４及びバックシート２５は、チャネルに沿って連続して結合され得るか、又は断続的に結合され得る。チャネルは有利にも、吸収性材料が流体で完全に充填されると、少なくともトップシート及び／又はバックシートを通じて依然として視認可能であるか、又は視認可能となり得る。これは、湿潤したときにチャネルが膨張しないように、チャネルがＳＡＰを実質的に含まないようにすること、及び湿潤したときにチャネルが閉鎖しないように、チャネルを十分に大きくすることで実現し得る。更に、チャネルを介してコアラップとそれ自体との結合又はトップシートとバックシートとの結合は、有利になり得る。
【００５９】
いかなるチャネルも持たない吸収性コア及び／又はＬＭＳもまた、本開示の範囲に含まれる。これらのコアには、エアフェルトフリーコア、ＳＡＰ／パルプコア、パルプコア、又は当該技術分野において知られている他のコアを挙げることができる。
【００６０】
バリアレッグカフ
吸収性物品は、一対のバリアレッグカフ３４を備えてもよい。各バリアレッグカフは、吸収性物品に結合される一片の材料によって形成することができるため、吸収性物品の内側表面から上方向に延在することができ、また、着用者の胴体と脚との接合部付近での液体及び他の身体排出物の収容性を改善することができる。バリアレッグカフ３４は、トップシート２４及び／又はバックシート２５に直接又は間接的に接合された近位側縁部６４と、着用者の皮膚と接触して封止部を形成するように意図された自由末端縁部６６とにより、その範囲を定められている。バリアレッグカフ３４は、長手方向軸線８０の両側で吸収性物品の前側腰部縁部１０と後側腰部縁部１２との間に少なくとも部分的に延在し、少なくとも股領域７に存在する。バリアレッグカフ３４は、糊糊剤接着、溶融結合、又は他の好適な結合プロセスの組み合わせによってなされ得る結合部６５によって、近位縁６４で吸収性物品のシャーシと接合され得る。近位縁６４での結合部６５は、連続的又は断続的であってもよい。レッグカフ３４の隆起区間に最も近い結合部６５は、レッグカフ３４の立ち上がり区間の近位縁６４の範囲を定める。
【００６１】
バリアレッグカフ３４は、トップシート２４若しくはバックシート２５と一体であるか、又は、吸収性物品のシャーシに接合された別個の材料であってもよい。バリアレッグカフ３４の材料は、おむつの全長に延在し得るが、これらの区間において、バリアレッグカフ材料がトップシート２４とぴったり重なり合ったままであるように、吸収性物品の前側腰部縁部１０及び後側腰部縁部１２に向かってトップシートに「タック結合」され得る。
【００６２】
各バリアレッグカフ３４は、この自由末端縁６６に近接して、フィルム３５の１つ、２つ、又はそれ以上の弾性ストランド又はストリップを含み、より優れた封止をもたらし得る。
【００６３】
バリアレッグカフ３４に加えて、吸収性物品は、吸収性物品のシャーシ、特にトップシート２４及び／又はバックシート２５に接合されるガスケットカフ３２を備えてもよく、バリアレッグカフ３４に対して外側に配置されている。ガスケットカフ３２は、着用者の大腿の周りにより優れた封止をもたらすことができる。各ガスケットレッグカフは、脚部開口部のエリア内のトップシート２４とバックシート２５との間の吸収性物品のシャーシに１つ以上の弾性ストリング又は弾性要素を含み得る。バリアレッグ及び／又はガスケットカフの全て又は一部分は、ローション又はスキンケア組成物で処理され得る。バリアレッグカフは、米国特許出願公開第２０１２／０２７７７１３号に記載されるものを含む、多くの異なる構成で作製され得る。
【００６４】
前部耳部及び後部耳部
ある形態では、吸収性物品は、前部耳部４６及び後部耳部４０を含んでよい。耳部は、サイドパネルとして、トップシート２４及び／又はバックシート２５から形成されるなど、シャーシの一体部分であってもよい。あるいは、図１に表すように、耳部（４６、４０）は、糊剤接着、熱エンボス加工、及び／又は圧力結合により付着される分離型要素であってもよい。後部耳部４０は、伸縮可能であってよく、それによりタブ４２がランディングゾーン４４にに容易に付着されるようになり、テープ付きおむつが着用者の腰部周りの適所に維持されるようになる。また、後耳部４０は、弾性のある耳部により吸収性物品の側部を拡張及び収縮させることができるため、最初に吸収性物品を着用者に対して適合するようにフィットさせ、吸収性物品に排出物が充填されてからかなり後でも着用している間中このフィット感を維持することによって、より快適かつ体に巻き付くようなフィット感を提供するために、弾性又は延伸性であってもよい。
【００６５】
液体管理システム（ＬＭＳ）
ＬＭＳ  ５０の１つの機能は、効率的な方式で流体を迅速に捕捉し、それを吸収性コアに分配することである。ＬＭＳ  ５０は、１つ以上の層を備えてもよく、それらの層は一体の層を形成してもよく、又は互いに付着され得る個別の層として残っていてもよい。ＬＭＳ  ５０は２つの層、つまり、分配層５４と捕捉層５２とを備え、捕捉層５２は吸収性コアとトップシートとの間に配設されているが、本開示はそのような構成に限定されない。
【００６６】
ＬＭＳ  ５０は流体の捕捉及び分配を緩慢にし得るために、ＳＡＰを含み得る。他の形態では、ＬＭＳは、ＳＡＰを実質的に含まなくてもよい（例えば、８０％、８５％、９０％、９５％、又は９９％非含有である）か、又は完全に含まなくてもよい。ＬＭＳはまた、例えば、連続気泡発泡体、エアレイド繊維、又はカーディング樹脂接着不織布材料など１つ以上の様々な他の好適な種類の材料を含み得る。ＬＭＳの好適な例が、例えば国際公開出願第２０００／５９４３０号（Ｄａｌｅｙ）、同第９５／１０９９６号（Ｒｉｃｈａｒｄｓ）、米国特許第５，７００，２５４号（ＭｃＤｏｗａｌｌ）、及び国際公開出願第０２／０６７８０９号（Ｇｒａｅｆ）に記載されている。
【００６７】
分配層
ＬＭＳ  ５０は、分配層５４を含んでもよい。分配層５４は例えば、少なくとも５０重量％以上の架橋セルロース繊維を含み得る。架橋セルロース繊維は、捲縮されるか、撚り合わされるか、若しくはカールされてもよく、又は、捲縮、撚り合わせ、及びカールを含むそれらの組み合わせであってもよい。この種類の材料は、米国特許出願公開第２００８／０３１２６２２  Ａ１号（Ｈｕｎｄｏｒｆ）に開示されている。
【００６８】
捕捉層
ＬＭＳ  ５０は、代替的に又は追加的に分配層５２を含んでもよい。捕捉層５２は、例えば、分配層５４とトップシート２４との間に配設されてもよい。捕捉層５２は、スパンボンド、メルトブローン、及び更にスパンボンドされた層、又は、それとは代わりに、カーディングを施された化学的に接着された不織布を含む、ＳＭＳ又はＳＭＭＳ材料など、不織布材料であってもよく、又はそれを含んでもよい。捕捉層５２は、エアレイド又は湿式レイドセルロース、架橋セルロース、若しくは合成繊維、又はこれらのブレンドを含んでもよい。捕捉層５２は、合成繊維のロールストックウェブ（中実形態の形成によるなど、空隙を増加させるために処理されてもよい）、又は嵩高材料を形成するために接着された、合成繊維とセルロース繊維との組み合わせを含んでもよい。あるいは、捕捉層５２は、吸収性連続気泡発泡体を含んでもよい。不織布材料は、ラテックス結合されてもよい。
【００６９】
液体管理システム内のチャネル
吸収性物品２０のＬＭＳ  ５０は、一般に、着用者の解剖学的構造に対して吸収性物品をより良好に一致させることが可能であるチャネルを含んでもよく、これによって動作の自由度が増し、間隙が減少する。ＬＭＳ  ５０の１つ以上のチャネルは、上述のように、吸収性コア２８内の様々なチャネルと協調して作用するように構成され得る。更に、ＬＭＳ  ５０内のチャネルはまた、吸収性物品内で、尿、ＢＭ又は他の排泄物を保持し、分配させるために、空隙の増加がもたらされてもよく、これによって、漏出及び皮膚の接触の低減に繋がる。ＬＭＳ  ５０内のチャネルはまた、内部に、吸収性物品を着用者に正しく整列させるのを容易に実現させるための役立つ目印を、特にテクスチャ、色及び／又はパターンにおける物理的違いにより強調された場合には提供し得る。このため、こうした物理的相違は、例えば、視覚及び／又は触覚により顕著であってもよい。
【００７０】
吸収性コア２８内のチャネルと同様に、ＬＭＳ  ５０内のチャネルも、層内における任意の領域であってもよく、又は、２つ以上の層から延在していてもよく、上記「チャネル」の定義に記載の通り、周囲材料よりも実質的に低い坪量又は厚さを有する。ＬＭＳ  ５０内のチャネルはまた、制御された屈曲を有効にする張力を低減させ、かつＬＭＳ  ５０を吸収性コア２８にごく近接させて保持するためにも役立ち得る。このため、ＬＭＳ  ５０内にチャネルが存在することによって（これは、下にある吸収性コア２８内の任意のチャネルと整列されていても、されていなくてもよい）、概して、ヒンジとして機能することができ、より柔軟な複合構造が可能になる。例えば、いくつかの場合には、ＬＭＳ  ５０のチャネルにより、ＬＭＳ  ５０が、制御された屈曲のあり方で吸収性コア２８に向かって移動することを可能にし、これによってＬＭＳ  ５０と吸収性コア２８との間の分離が制限される。更に、ＬＭＳ  ５０内のチャネルは、流体又は他の身体排出物を吸収性物品２０の１つの領域から吸収性物品２０の別の領域への経路を指定する補助をし得る。こうした経路の指定により、吸収性物品２０を介する流体の全体の分配が望ましく改善され得、また、物品の快適性、耐久性又は寿命の向上に繋がり得る。
【００７１】
多層ＬＭＳでは、チャネルはＬＭＳ  ５０の１つ以上の層に存在してもよく、３つ全ての基準面で寸法が変化してもよい。ＬＭＳ  ５０内の所与のチャネル幅は、長手方向（すなわち、吸収性物品の長手方向軸線に実質的に平行な方向）において変動し得る。また、チャネルは、吸収性物品の横方向軸線又は横方向分離構成要素の正面では、横方向軸線又は横方向分離構成要素の背部とは異なる幅、長さ、及び／又は容積を有し得る。ＬＭＳ  ５０のチャネルは、吸収性コア２８に関する上記のチャネルに類似している幅、長さ、形状、量、及びパターンの範囲を有してもよい。
【００７２】
ＬＭＳ  ５０中の１つ以上のチャネルは、吸収性コア２８内のチャネルと少なくとも部分的に重なっていてもよく、又は完全に重なっていてもよく、重なっている領域では、より深い凹部が形成される。ＬＭＳ  ５０が２つ以上の層を含む形態では、吸収性コア２８に最も近い層はチャネルを含み得る。トップシート２４、捕捉層５２、分配層５４、又は他の層などの構造内の１つ以上の層は、この領域における吸収性コア２８の要素に結合させて、組み合わせたチャネルの深さを増大させ得る。ある形態では、ＬＭＳ  ５０の捕捉層５２内のチャネル及び吸収性コア２８内のチャネルは、チャネルが完全に重なり合うように一致する。別の形態では、ＬＭＳ及び貯蔵層内のチャネルは、重なり合うエリアを有しない。他の形態は、部分的に重なり合うような介入範囲を包含する２つの層内のチャネル間に垂直の重なりを有する。
【００７３】
再び図１〜５を参照すると、図示した例のＬＭＳ  ５０が、２つのチャネル４９、４９’を画定していることが示されている。チャネル４９、４９’は、吸収性物品８０の長手方向（すなわち、長手方向ベクター要素を有する）に少なくとも部分的に配向されている。ＬＭＳ内の他のチャネルは、横方向に少なくとも部分的に配向されている（すなわち、横方向ベクトル要素を有する）か、又は任意の他の方向に少なくとも部分的に配向されていてもよく、ＬＭＳ  ５０内のチャネルは、連続的であっても、断続的であってもよい。ＬＭＳ内のいくつかのチャネルは、円形、楕円形、正方形、長方形、三角形又は他の任意の適した形状であってもよい。チャネルは、様々な方法で形成され得る。例えば、チャネルは、捕捉材料又は分配材料を実質的に含まないか、又は含まなくてもよいＬＭＳ  ５０内のゾーンによって形成されていてもよい。
【００７４】
ＬＭＳ  ５０のチャネルは、長手方向に延在する２つのチャネル４９、４９’により図１に示すように、吸収性物品の横方向軸線９０と少なくとも同じ長手方向の平面に存在し得る。チャネルはまた、股領域７から延在してもよく、又は吸収性物品の前側腰部領域５及び／若しくは後側腰部領域６に存在してもよい。図１では、チャネル４９、４９’は、概して、チャネル２６、２６’と一致し、チャネル２６、２６’は、吸収性物品２０の前側腰部縁部１０に向かって長手方向により長い長さを有する。
【００７５】
ＬＭＳ  ５０は、少なくとも１つ以上のチャネルなど、任意の好適な数のチャネルを画定し得る。また、例えば、ＬＭＳ  ５０の後側腰部領域６又前側腰部領域５に、より短いチャネルが存在してもよい。ＬＭＳ  ５０のチャネルは、対称的に配置された一対以上のチャネルを含んでもよいか、又は別の方法で、長手方向軸線８０及び／又は横方向軸線９０又は他の横軸線に対して配置されてもよい。チャネルは、実質的に長手方向に延在しても、あるいは実質的に横方向に延在してもよい。
【００７６】
ＬＭＳ  ５０内のチャネルの少なくとも一部又は全てが耐久性チャネルであってよいが、それの意味するところは、それらの一体性が、乾燥状態及び湿潤状態の両方で少なくとも部分的に保たれるということである。耐久性チャネルは、例えば、接着材料の繊維性層、又はチャネルの壁内の吸収性材料と基材との粘着を補助する構成糊剤など、１つ以上の接着材料を提供することにより得られてもよい。また、耐久性チャネルは、ＬＭＳ  ５０のチャネルを介して、トップシート２４をバックシート２５と一緒に結合することによって形成されてもよい。典型的には、チャンネルを介してトップシート２４及びバックシート２５を結合するために接着剤が使用され得るが、圧力結合、超音波結合、熱結合、又はそれらの組み合わせなど、他の既知のプロセスによって結合されてもよい。トップシート２４及びバックシート２５は、チャネルの一部又は全部に沿って、又はチャネルの一部又は全部内で連続的に結合され得るか、又は断続的に結合され得る。
【００７７】
図１を参照すると、ある形態では、ＬＭＳ  ５０は、少なくとも２つのチャネルを含んでもよい（例えば４９、４９’）。これらのチャネルは、不織布材料又は架橋セルロース繊維を含まないか、又は実質的に含まず（例えば、１０％未満、５％未満、３％未満、２％未満、又は１％未満）、少なくとも部分的に長手方向に配向されていてもよく、かつ／又は少なくとも部分的に横方向に配向されていてもよい。
【００７８】
図４〜５の吸収性物品の例ＬＭＳ  ５０は、図９〜１０に切り離して示されており、図１０は、図９の１０−１０線周囲で切り取ったＬＭＳ  ５０の断面図である。ＬＭＳ  ５０は、前側２８１と、後側２８３と、前側２８１及び後側２８３を結合する２つの長手方向側２８５、２８７とを含むことができる。ＬＭＳ  ５０はまた、概ね平坦な上面及び概ね平坦な底面を備え得る。ＬＭＳの前側２８１は、吸収性物品の前側腰部縁部１０に向けて配置されるように意図されるＬＭＳの側部である。ＬＭＳ  ５０は、図１に示すような平面図で上部から見て、吸収性物品の長手方向軸線８０に実質的に対応する長手方向軸線８０’’を有してもよい。図示した形態では、ＬＭＳ  ５０は、チャネル４９、４９’を画定するために協働する分配層５４及び捕捉層５２を含む。他の形態では、ＬＭＳ  ５０の一部の層は、ＬＭＳ  ５０の少なくとも１つの層が連続的であり、ＬＭＳ  ５０の別の層は不連続的であるように、チャネルを画定し得る。
【００７９】
図１〜１０に示す吸収性コア２８のチャネル２６、２６’の部分及びＬＭＳ  ５０のチャネル４９、４９’は、概ね整列しているが、本開示はそのように限定するものではない。実際に、理解されるように、ＬＭＳ  ５０及び／又は吸収性コア２８におけるチャネルの特定の配置は変化し得る。
【００８０】
実質的に横方向に延在する分離要素
吸収性物品の着用者対向表面、つまりトップシートは、見た目の前部と見た目の後部とを有してもよい。見た目の前部と見た目の後部は、実質的に横方向に延在する分離要素１００により分離されていてもよい。用語「実質的に横方向に」は、横方向軸線に対して平行な方向から±１５度以内を意味する。実質的に横方向に延在する分離要素１００は、例えば、吸収性物品のトップシート、又は吸収性物品の他の層（例えばＬＭＳ  ５０）の上に印刷された、図形によるしるしであって、トップシートを通して視認可能なものであってよい。実質的に横方向に延在する分離要素１００はまた、トップシートの着用者対向表面、又はトップシートとは異なる色を有する下位層の端部を通じて視認可能である着色層の一部分であってもよい。代替的に又は追加的に、見た目の前部は、色差及び／又は印刷パターンの差に基づいて、見た目の後部とは見た目が異なっていてもよい。見た目の前部と見た目の後部とがそのように見た目で分かれることは、吸収性物品の使用中に吸収性物品を適切に位置合わせするのに役立ち、また別々のゾーンの外観を、尿の管理のため、そしてそれとは別にＢＭの管理のために構成するのに役立ち得る。
【００８１】
実質的に横方向に延在する分離要素１００は、様々な形態において、構造的セパレータを備え得るが、この構造的セパレータは、吸収性物品のうちの、着用者の会陰領域に概ね対応する領域に設置される（すなわち、尿道と肛門との間に配設される）ものである。構造的セパレータにより、例えば、尿の吸収性物品の背部への表面移動及び糞便の吸収性物品の前部への表面移動が防止され得るか、又は少なくとも幾分か抑制され得る。構造的セパレータは、任意の三次元機構、又は吸収性物品の着用者対向表面の上方の１つ以上の突起部、着用者対向表面の平面の下方の凹部、及びこれらの組み合わせなど、横断バリア又は横方向に延在するバリア（「ＴＶＢ」）として機能する構成要素を含んでもよい。１つの例には、吸収性物品の着用者対向表面に取り付けられ、端部をバリアレッグカフに取り付けられた、実質的に横方向に向けられたウェブ又はシートが挙げられる。バリアレッグカフ及び着用者対向表面への取り付けは、吸収性物品の前側及び後側領域に対する、ＴＶＢによって生じられる「封止」をもたらして、それらの領域間における排泄物の流動を防止するか、又は少なくとも抑制し得る。
【００８２】
凸凹のない水平な表面上に、平らに、弛緩した、収縮した状態で平たく広げたとき場合、構造的セパレータは、矩形又は正方形であり得る。また、凸凹のない水平な表面上に、平らに、弛緩した、収縮した状態で平たく広げた場合、構造的セパレータは台形であり得る。構造的セパレータは、疎水性であってもよい（例えば、これは親水性であってよく、また、疎水性コーティング、例えば、ろう又は１種類以上のシリコーンポリマー若しくはフッ素化ポリマーを含んだ疎水性表面コーティングで疎水性にされてもよい）。構造的セパレータは、横方向、横断方向又は他の方向に著しく弾性的に延伸性であり得るように、弾性挙動を有し得る。構造的セパレータは、吸収性物品の使用中、Ｚ方向の寸法を有する有効なセパレータ（バリア）を確実に形成するために特定の張力を有し、構造的セパレータの後方から前方に糞便が移動するのを回避するか、又は少なくとも抑制し得る。他の構造的セパレータは、トップシートの立ち上がり部若しくは厚みのある部分、ＬＭＳ若しくは吸収性コアの要素、別々に適用した要素、又は１つ以上の吸収性コア要素又はＬＭＳにおける穴部若しくはくぼみを含んでもよい。
【００８３】
上記に加えて、構造的セパレータは、任意の好適な構造を有してもよく、例えば、隆起部、突出部及び／又はフラップであってもよい。構造的セパレータの形態をなす、実質的に横方向に延在する分離要素１００の構成のいくつかの例示的な横断面図が、図１１〜１４に示されている。任意の他の好適な構造的セパレータも本開示の範囲に含まれる。構造的セパレータは、吸収性物品の横方向軸線に沿って配置されてもよく、又は横方向軸線に対して傾斜したある角度で配置されてもよい。構造的セパレータはまた、横方向軸線に沿わない他の場所（例えば、横方向軸線の前方又は後方の場所）に位置付けられてもよい。１つ以上の構造的セパレータが、多様な構成を有する吸収性物品に組み込まれ得る。好適な構造的セパレータ及び実質的に横方向に延在する分離要素が、例えば、２０１３年８月２７日に出願された米国特許仮出願第６１／８７０，３６５号、Ｐ＆Ｇ代理人整理番号１２６９６ＰＱに更に詳細に開示されている。
【００８４】
トップシート及び／又はＬＭＳなどの基材は例えば、基材の様々な領域又はエリアに１つ以上のゾーンを有し得る。トップシート及び／又はＬＭＳにおけるゾーンのいくつかの例示的な構成が、図１５〜３２に示されている。様々な図において、ゾーンはＺ１〜Ｚ６とラベル付けされているが、種々の構成、形状、及び／又は大きさを有する種々のゾーンを有することも本開示の範囲に含まれる。トップシート２４は図１５〜１９においては矩形として示されているが、例えば砂時計形状など、トップシートを吸収性物品のために任意の好適な形状にすることも本開示の範囲に含まれる。トップシート２４の着用者対向表面は、図１５〜３２において読者に向かっている。図１５〜３２の全体を通じて、該当する場合、要素１００は、実質的に横方向に延在する分離要素であり、要素９０は吸収性物品の横方向軸線であり、要素８０は吸収性物品の長手方向軸線であり、Ｆは吸収性物品の前方を表し、Ｂは吸収性物品の後方を表す。横方向軸線及び長手方向軸線は図１５〜３２のすべてにおいて明らかとなるが、各図には示されていない。
【００８５】
以下で議論するゾーンのすべてに対し、特定の処理が特定のゾーンに対して指定され得るが、ゾーンはまた１つ以上の他の処理又は流動制御材料を含み得る。例えば、特定の形態学的処理が特定のゾーンに対して指定される場合、別の形態学的処理及び／又は別の化学的若しくは幾何学的処理がまた、同じゾーン又はその一部分に提供され得るが、以下の例においてはそれぞれのゾーンごとに特定的には述べられていない。ゾーンはまた、任意の好適な大きさ及び／又は形状を有し得るが、以下で説明する例によって制限されるものではない。
【００８６】
図１５を参照すると、トップシート２４は、吸収性物品の前方にある第１のゾーンＺ１と、少なくとも部分的に吸収性物品の後方にある第２のゾーンＺ２とを備えている。ゾーンＺ１は、実質的に横方向に延在する分離要素１００（例えば、凹部、立ち上がり部分、構造的セパレータ、印刷された線又は図形）の第１の側に配置されており、ゾーンＺ２は、実質的に横方向に延在する分離要素１００の第２の側に配置されている。ゾーンＺ１とＺ２が共に長手方向軸線８０に重なってもよく、またゾーンＺ２のみが横方向軸線９０に重なってもよい。他の場合には、ゾーンＺ１のみが横方向軸線９０に重なってもよい。図１５の例において、実質的に横方向に延在する分離要素１００は、任意選択であってもよい。第１のゾーンＺ１及び第２のゾーンＺ２はそれぞれ、種々の幾何学的、形態学的、化学的処理及び／又は流動制御材料を含み得るか、あるいは、ゾーンＺ１若しくはＺ２の一方、又はその一部分が、処理又は流動制御材料をまったく含まなくてもよい。ゾーンＺ１又はＺ２の一方又は両方がまた、孔を備えてもよい。
【００８７】
再び図１５を参照すると、実質的に横方向に延在する分離要素１００は、見た目の前部と見た目の後部をそれらのいずれかの側に画定し得る。見た目の前部はゾーンＺ１を含み、見た目の後部はゾーンＺ２を含む。ゾーンＺ１は第１の幾何学的処理を含んでもよく、ゾーンＺ２は第２の幾何学的処理を含んでもよい。第１の幾何学的処理と第２の幾何学的処理は、同じであっても、異なってもよい。第１及び第２の幾何学的処理は、深さ、長さ、頻度、大きさ、形状、パターン、次元、及び／又は構造において異なる要素を備えてもよい。第１及び第２の幾何学的処理のいずれかが、孔又は形態学的処理を備えてよい（例えば、図５２及び５４を参照）。孔は、それらの処理のいずれかにおいて、異なっていても同じであってもよい。形態学的処理は、同じであっても、異なってもよい。トップシート２４は、ゾーンＺ１又はＺ２のいずれかに第３の幾何学的処理Ｚ３（破線で示す）を備え得る。吸収性コア及び／又は液体管理システムの一部分が、それらの中に画定された１つ以上のチャネルＣを有し得る。ゾーンＺ１及び／又はＺ２の一部分が、チャネルの少なくとも一部分又はすべてに重なってもよく、あるいは重ならなくてもよい。
【００８８】
再び図１５を参照すると、トップシート２４は、少なくとも部分的に前側領域（すなわち、横方向軸線９０の第１の側）にあるゾーンＺ１と、少なくとも部分的に後側領域（すなわち、横方向軸線９０の第２の側）にあるゾーンＺ２とを備え得る。ゾーンＺ１は、尿対処のために構成された第１の形態学的処理を備えてよく、ゾーンＺ２は、ＢＭ対処のために構成された第２の形態学的処理を備えてよい。ゾーンＺ１における第１の形態学的処理のパターンは、横方向軸線９０に関して、ゾーンＺ２における第２の形態学的処理のパターンに対して非対称的であっても対称的であってもよい。ゾーンＺ１及びＺ２のいずれかが、それらの中に画定された孔を有し得る。孔は、任意の好適な有効孔面積を有し得、トップシート２４は、様々なゾーンにおいて任意の好適な％孔面積を有し得る。第１及び第２の形態学的処理は、例えば、本明細書の図５２又は５４で説明されるものであってもよい。ゾーンＺ１又はＺ２の一方又は両方が、化学的処理を含んでも、第３の形態学的処理を含んでもよい。ゾーンＺ１の面積は、ゾーンＺ２の面積と比べてより小さくても、より大きくてもよい。ゾーンＺ１は、横方向軸線９０に対して平行な方向に測定して、少なくとも３０ｍｍ又は少なくとも４０ｍｍの寸法を有し得、ゾーンＺ２は、横方向軸線９０に対して平行な方向に測定して、少なくとも３０ｍｍ又は少なくとも４０ｍｍの寸法を有し得る。図１５には示していないが、吸収性物品は、バリアレッグカフと腰部縁部とを備え得る。
【００８９】
依然として図１５を参照するが、ゾーンＺ１は、実質的に移動性の化学的処理を備え得、ゾーンＺ２は、実質的に移動性の化学的処理を備え得る。これらの実質的に移動性の化学的処理は、同じであっても、異なってもよい。ゾーン２における実質的に移動性の化学的処理の坪量は、ゾーン１における実質的に移動性の化学的処理と比べて、多くても、少なくても、実質的に同じでも、同じでもよい。実質的に移動性の化学的処理は、スキンケア組成物又はＢＭ付着防止ローションを含み得る。ゾーンＺ１又はＺ２の少なくとも一方がまた、実質的に耐久性の化学的処理を含み得る。実質的に耐久性の化学的処理は、例えば顔料又はインキを含み得る。ゾーンＺ１及びＺ２（又はＺ３）はまた、１つ以上の形態学的又は幾何学的処理を含み得る。化学的処理は、形態学的若しくは幾何学的処理と重なってもよく、又は重ならなくてもよい。ゾーンＺ１又はＺ２は、少なくとも第３の化学的処理（例えば図１５のＺ３）を含み得、この第３の化学的処理は、実質的に移動性であっても、実質的に耐久性であってもよい。化学的処理のいずれかが、１つ以上のチャネルＣの少なくとも一部又は全部と重なってもよい。他の場合には、様々な化学的処理がチャネルＣのいずれとも重ならなくてもよい。ゾーンＺ１における実質的に移動性の化学的処理は疎水性であってよく、ゾーンＺ２における実質的に移動性の化学的処理は異なる親水性を有してもよい。ゾーンＺ１における実質的に移動性の化学的処理は、ゾーンＺ２における実質的に移動性の化学的処理と比べて、より親水性であっても、より疎水性であってもよい。他の場合には、ゾーンＺ２における実質的に移動性の化学的理は、疎水性であっても親水性であってもよい。実質的に移動性の化学的処理は、１つ以上の形態学的処理（例えば、本明細書の図５２及び５４を参照）又は１つ以上の幾何学的処理と重なっても、重ならなくてもよい。
【００９０】
再び図１５を参照するが、ゾーンＺ１は、実質的に耐久性の化学的処理を備え得、ゾーンＺ２は、実質的に耐久性の化学的処理を備え得る。これらの実質的に耐久性の化学的処理は、同じであっても、異なってもよい。ゾーン２における実質的に耐久性の化学的処理の坪量は、ゾーン１における実質的に耐久性の化学的処理と比べて、多くても、少なくても、同じでもよい。ゾーンＺ１又はＺ２の一方、両方がまた、実質的に移動性の化学的処理を含み得る。
【００９１】
他の場合には、ゾーンＺ１又はＺ２の一方が、実質的に耐久性の化学的処理を含んでもよく、ゾーンのもう一方が、実質的に移動性の化学的処理を含んでもよい。
【００９２】
図１６を参照すると、トップシート２４は、吸収性物品の前方にある第１のゾーンＺ１と、吸収性物品の後方にある第２のゾーンＺ２とを備えている。ゾーンＺ１は、実質的に横方向に延在する分離要素１００の第１の側に配置されており、ゾーンＺ２は、実質的に横方向に延在する分離要素１００の第２の側に配置されている。図１６の例において、実質的に横方向に延在する分離要素１００は、任意選択であってもよい。ゾーンＺ１とＺ２が共に長手方向軸線８０に重なってもよく、またゾーンＺ１とＺ２いずれもが横方向軸線９０に重ならなくてもよい。他の場合には、ゾーンＺ１のみ又はゾーンＺ２のみが横方向軸線９０に重なってもよい。第１のゾーンＺ１及び第２のゾーンＺ２は、種々の幾何学的、形態学的、化学的処理及び／又は流動制御材料を含み得るか、あるいは、ゾーンＺ１若しくはＺ２の一方、又はその一部分が、処理又は流動制御材料をまったく含まなくてもよい。ゾーンＺ１又はＺ２のいずれかがまた、孔を備えてもよい。
【００９３】
図１７を参照すると、トップシート２４は、吸収性物品の前部にある複数の要素を備える第１のゾーンＺ１と、吸収性物品の後部にある複数の要素を備える第２のゾーンＺ２とを備えている。ゾーンＺ１は、実質的に横方向に延在する分離要素１００の第１の側に配置されており、ゾーンＺ２は、実質的に横方向に延在する分離要素１００の第２の側に配置されている。図１７の例において、実質的に横方向に延在する分離要素１００は、任意選択であってもよい。第１のゾーンＺ１の要素は横方向軸線９０又は長手方向軸線８０に重ならず、第２のゾーンＺ２の要素の一部は長手方向軸線にのみ重なる。いずれかのゾーンの要素のうちの少なくとも一部を軸線８０又は９０の一方と重ねることも、重ねないことも、本開示の範囲に含まれる。ゾーンＺ１及びＺ２を構成する要素は、複数の孔を備え得る。ゾーンＺ１における孔は、ゾーンＺ２における孔より小さくてもよく、逆もまた同様である。ゾーンＺ１におけるより小さな孔は、尿管理のために構成され得るものであり、ゾーンＺ２におけるより大きな孔は、ＢＭ管理のために構成され得るものである。例示的な有効孔面積及び例示的な％有効開口面積が、本明細書で説明されている。第１のゾーンＺ１及び第２のゾーンＺ２の孔は概ね卵形として示されているが、それらは、任意の好適な大きさ、形状、及び／又はパターンを有し得る。他の場合には、ゾーンＺ１及び／又はＺ２を構成する要素が孔を形成しなくてもよく、その代わりに、それらの要素が１つ以上の他の処理及び／又は流動制御材料を含んでもよい。
【００９４】
図１８を参照すると、トップシート２４は、吸収性物品の前部にある複数の要素を備える第１のゾーンＺ１と、吸収性物品の後部にある複数の要素を備える第２のゾーンＺ２とを備えている。トップシート２４はまた、吸収性物品の前方にある第３のゾーンＺ３と、吸収性物品の後方にある第４のゾーンＺ４とを有している。ゾーンＺ１及びＺ３は、実質的に横方向に延在する分離要素１００の第１の側及び横方向軸線９０の第１の側に配置されており、ゾーン２及びゾーン４は、実質的に横方向に延在する分離要素１００の第２の側及び横方向軸線９０の第２の側に配置されている。第１のゾーンＺ１及び第２のゾーンＺ２の各要素は、横方向軸線９０又は長手方向軸線８０に重ならず、第３のゾーンＺ３及び第４のゾーンＺ４は、横方向軸線９０には重ならないが、長手方向軸線には重なる。ゾーンのいずれか（又はゾーンを形成する要素）を軸線８０又は９０の一方と重ねることも、重ねないことも、本開示の範囲に含まれる。ゾーンＺ１は、孔であるか、又は別の処理若しくは流動制御材料を含む複数の要素を備え得る。ゾーン４は、例えば、１つの大きな孔、エンボス加工、又は、化学的処理若しくは流動制御材料などの他の処理を含み得る。ゾーンＺ１における孔は、ゾーンＺ４の孔より小さくてもよい。ゾーンＺ１におけるより小さな孔は、尿管理のために構成され得るものであり、ゾーンＺ４におけるより大きな孔は、ＢＭ管理のために構成され得るものである。ゾーンＺ３はゾーンＺ１の少なくとも一部分に重なり、ゾーンＺ２及びＺ４はいかなる他のゾーンにも重ならない。ゾーン別の例のいずれかにおいて様々なゾーンのうちのいずれかを互いに重ねることも重ねないことも、本開示の範囲に含まれる。
【００９５】
図１９を参照すると、トップシート２４は、吸収性物品の前部にある複数の要素を備える第１のゾーンＺ１と、少なくとも部分的に吸収性物品の後部にある複数の要素を備える第２のゾーンＺ２とを備えている。トップシート２４は、吸収性物品の前方にある第３のゾーンＺ３と、少なくとも部分的に吸収性物品の後方にある第４のゾーンＺ４とを備えている。ゾーンＺ１及びＺ３は、実質的に横方向に延在する分離要素１００の第１の側に配置されており、ゾーンＺ２及びＺ４は、実質的に横方向に延在する分離要素１００の第２の側に配置されている。第１のゾーンＺ１及び第２のゾーンＺ２は、長手方向軸線８０に重ならず、第２のゾーンＺ２及び第４のゾーンＺ４は、横方向軸線９０に重なる。第４のゾーンＺ４は、横方向軸線９０及び長手方向軸線８０に重なる。ゾーンのいずれかを軸線８０又は９０の一方と重ねることも、重ねないことも、本開示の範囲に含まれる。ゾーンＺ１の要素は、孔であっても、孔でなくてもよい。ゾーンＺ３は、ゾーンＺ１の少なくとも一部分に重なり、ゾーンＺ４はゾーンＺ２の少なくとも一部分に重なる。
【００９６】
図２０を参照すると、吸収性物品のトップシート２４が、４つのゾーンＺ１〜Ｚ４と共に示されている。ゾーンＺ１〜Ｚ４は、種々の幾何学的、形態学的、及び／又は化学的処理若しくは流動制御材料を含み得るか、あるいは、これらのゾーンのうちの１つ以上、又はその一部分が、処理又は流動制御材料をまったく含まなくてもよい。ゾーンＺ３は、深いエンボスラインを備え得る。ゾーンＺ１は、形態学的処理（例えば、図５２又は５４を参照）及び／又は印刷パターンを含み得る。ゾーンＺ２は、形態学的処理（例えば、図５２又は５４を参照）を含み得る。ゾーン４は処理を含まなくてもよく、又は流動制御材料を含んでもよい。ゾーンＺ３はまた、吸収性物品の吸収性コアの少なくとも一部分の上に、閉じた外周を少なくとも部分的に形成する流動制御材料を備え得る。
【００９７】
図２０Ａを参照すると、吸収性物品のトップシート２４が、５つのゾーンＺ１〜Ｚ５と共に示されている。ゾーンＺ１及びＺ５は、形態学的処理（例えば、図５２又は５４を参照）を含み得る。ゾーンＺ２は、例えば、尿用の流動制御材料を備え得る。流動制御材料は、トップシート２４内に、完全に閉じた外周を形成し得る。ゾーンＺ３は、形態学的処理（例えば、図５２又は５４を参照）、印刷パターン、及び／又は流動制御材料を備え得る。ゾーンＺ４は、例えば、部分的に閉じた外周をトップシート２４内に形成し得るＢＭ用の流動制御材料を備え得る。ゾーンのいずれかがまた、１つ以上の付加的な処理及び／又は流動制御材料を備えてもよい。
【００９８】
図２１を参照すると、トップシート２４を備える吸収性物品が、４つのゾーンＺ１〜Ｚ４と共に示されている。ゾーンＺ１は、印刷されたドットの化学的処理及び／又は孔の幾何学的処理を含み得る。ゾーンＺ２は、印刷された菱形の化学的処理及び／又はパッカリングの形態学的処理を含み得る。ゾーンＺ２はまた、孔を備えてもよい。ゾーンＺ３は、処理を有してもよく、又は有しなくてもよい。ゾーンＺ４は、トップシート内にかつ吸収性コアの一部分の上に、完全に閉じた連続的な外周を形成する流動制御材料を含み得る。図示していないが、ゾーンＺ４の閉じた外周はまた不連続的であってもよく、又は、吸収性コアの一部分の上に、少なくとも大部分が閉じた外周のみを形成してもよい。
【００９９】
図２１Ａを参照すると、トップシート２４を備える吸収性物品が、５つのゾーンＺ１〜Ｚ５と共に示されている。ゾーンＺ１は、疎水性のスキンケア組成物を含み得る。ゾーンＺ２は、形態学的処理（例えば、図５２又は５４を参照）を含み得る。ゾーンＺ３は、形態学的処理（例えば、図５２又は５４を参照）を含み得る。ゾーンＺ４は、ゾーンＺ１のスキンケア組成物と比べて疎水性の高い又は低いスキンケア組成物を含み得る。ゾーンＺ５は、エンボス加工された８の字形状、及び／又は閉じた連続的な外周を形成する流動制御材料を含み得る。この連続的な外周は、１つ以上の尿及び／又はＢＭ侵入ゾーン（例えば、ゾーンＺ１及びＺ３）を囲繞し得る。図示していないが、この外周は、不連続的でかつ少なくとも大部分が閉じていてもよい。ゾーンのいずれかがまた、１つ以上の付加的な処理及び／又は流動制御材料を備えてもよい。吸収性物品は所望により、横方向分離要素ＬＳＥを備え得る。
【０１００】
図２１Ｂを参照すると、トップシート２４を備える吸収性物品が、３つのゾーンＺ１〜Ｚ３と共に示されている。ゾーンＺ１は、排尿の間及び排尿の後に吸収性と乾燥状態をもたらすために、形態学的処理（例えば、図５２又は５４を参照）を含み得る。ゾーンＺ２は、ＢＭ拡散を少なくとも抑制するために、形態学的処理（例えば、図５２又は５４を参照）を含み得る。ゾーンＺ３は、流動制御材料を含み得る。流動制御材料は、２つの排泄物受容ゾーンを囲む、閉じた外周を形成し得る。流動制御材料は、連続的であっても不連続的であってもよい。ゾーンのいずれかがまた、１つ以上の付加的な処理及び／又は流動制御材料を備えてもよい。吸収性物品は所望により、横方向分離要素（図示せず）を備え得る。
【０１０１】
図２１Ｃを参照すると、トップシート２４を備える吸収性物品が、４つのゾーンＺ１〜Ｚ４と共に示されている。ゾーンＺ１は、孔を含んだ幾何学的処理を含んでもよく、又は形態学的処理を含んでもよい。ゾーンＺ１の％有効開口面積は、約５％〜約２０％又は約１０％であり得る。ゾーンＺ２は、孔を含んだ幾何学的処理を含んでもよく、又は形態学的処理を含んでもよい。ゾーンＺ２の％有効開口面積は、約１５％〜約５０％又は約３０％であり得る。ゾーンＺ３は、粘着防止ローションを含み得る。ゾーン４は、形態学的処理を含んでもよく、かつ／又は、流動制御材料を含んでもよい。ゾーンのいずれかがまた、１つ以上の付加的な処理及び／又は流動制御材料を備えてもよい。吸収性物品は所望により、横方向分離要素（図示せず）を備え得る。
【０１０２】
図２２を参照すると、トップシート２４を備える吸収性物品が、６つのゾーンと共に示されている。ゾーンＺ１は、エンボス加工された深い線、印刷された線、流動制御材料、及び／又は他の処理を含み得る。ゾーンＺ２〜Ｚ５はそれぞれ、種々の化学的、幾何学的、及び／若しくは形態学的処理を含んでもよく、又は全く処理を含まなくてもよい。これらのゾーンの一部が、弓状の形状を形成していてもよい。
【０１０３】
図２３は、図２２の例示的なトップシートと類似したトップシートを含んだ実際の吸収性物品の写真である。
【０１０４】
図２４を参照すると、トップシート２４を備える吸収性物品が、４つのゾーンと共に示されている。ゾーンＺ１は、流動制御材料を含み得る。ゾーンＺ２は、エンボス加工パターン若しくは印刷パターン、及び／又は１つ以上の幾何学的処理を含み得る。ゾーンＺ３は、エンボス加工及び／又は流動制御材料を含み得る。ゾーンＺ４は、１つ以上の処理及び／又は流動制御材料を有しても、有しなくてもよい。ゾーンＺ１〜Ｚ４のいずれかが、１つ以上の化学的処理又は他の処理を有し得る。
【０１０５】
図２５は、ゾーン分けされたトップシートを含んだ実際の吸収性物品の写真である。トップシートは、エンボス加工の少なくとも２つのゾーンを有し、また他の処理も有し得る。
【０１０６】
図２６を参照すると、トップシート２４を備える吸収性物品が、３つのゾーンと共に示されている。ゾーンＺ１は、第１のパターンを有するエンボス加工又は他の処理を含み得、ゾーンＺ２は、異なるパターンを有するエンボス加工又は他の処理を含み得、ゾーンＺ３は、１つ以上の処理を含んでもよく、又は含まなくてもよい。物品はまた、実質的に横方向に延在する分離要素を備え得る。
【０１０７】
図２７を参照すると、トップシート２４を備える吸収性物品が、４つのゾーンと共に示されている。ゾーンＺ１及びＺ２は、それぞれ、小さな印刷されたドットの化学的処理を含んでもよく、又はそれぞれ孔を含んでもよい。ドット及び／又は孔は、同じ大きさであっても、異なる大きさであってもよい。ゾーンＺ１及びＺ２における処理は、同じであっても、異なってもよい。ゾーンＺ３は、ゾーンＺ１及びＺ２におけるドット又は孔と比べて、より大きな印刷されたドット又は孔の化学的処理を含んでよい。ゾーンＺ４は、折り目、エンボス加工された線、印刷された線、流動制御材料、又は別の処理を含み得る。折り目は、トップシートの一部分で形成されてもよく、又は、トップシートに付着された別の材料であってもよい。
【０１０８】
図２８は、図２７の例示的なトップシートと幾分か類似したトップシートを含んだ実際の吸収性物品の写真である。
【０１０９】
図２９を参照すると、トップシート２４を備える吸収性物品が３、つのゾーンと共に示されている。ゾーンＺ１は、小さな印刷されたドットの化学的処理を含んでもよく、又は孔を含んでもよい。ゾーンＺ２は、エンボス加工された線、印刷された線、又は別の処理を含み得る。ゾーンＺ３は、エンボス加工された線、印刷された線、又は別の処理を含み得る。ゾーンＺ４は、小さな印刷されたドット又は孔を含み得る。
【０１１０】
図３０は、図２９の例示的なトップシートと類似したトップシートを含んだ実際の吸収性物品の写真である。
【０１１１】
図３１を参照すると、トップシート２４を備える吸収性物品が、２つのゾーンと共に示されている。ゾーンＺ１は、スリットを含み得る。ゾーンＺ２は、折り目、エンボス加工された線、印刷された線、又は別の処理を含み得る。これらのゾーンの一方又は両方がまた、印刷などの化学的処理を含み得る。プリーツが、二層トップシート内に形成され得る。第１の層が第２の層に付着される前又は付着された後に、第１の層は、ロータリーダイを使用して切り込みを入れられ得る。第１の層は、その切り込みに沿って、第２の層に漸増式に高圧結合され得る。結合箇所Ｓは、切り込みのいずれかの側で第１の層の一部分を囲み、それらの部分を第２の層に付着し得る。
【０１１２】
図３２は、図３１の例示的なトップシートと類似したトップシートを含んだ実際の吸収性物品の写真である。
【０１１３】
図３３〜４２は、吸収性物品用のトップシート又はその一部分の設計の例である。これらの設計は、１つ以上のパターンをなす幾何学的、形態学的、及び／又は化学的処理を含み得る。これらの設計はまた流動制御材料を含んでもよく、その流動制御材料は、少なくとも大部分が閉じられた外周のためのものであっても、なくてもよい。それらのパターンは、トップシートの全長又は全長の一部分にわたって変化してもよい。トップシートの前部はＦとラベル付けされ、トップシートの後部はＢとラベル付けされている。これらのトップシートは、矩形又は任意の他の好適な形状であってよく、その上又はその中にデザインを有してよい。処理は、例えば、エンボス加工、印刷された図形、流動制御材料、及び／若しくは孔、又はそれらの組み合わせであり得る。図４０〜４２は、少なくとも大部分が閉じられた外周を形成しかつ不連続的である１種類以上の流動制御材料を含むデザインを示している。図４０は、少なくとも大部分が閉じられた外周をそれぞれが形成しかつ双方が不連続的である２種類の流動制御材料を示しているが、それらの一方又は両方が連続的であってもよい。
【０１１４】
様々な基材（例えばトップシート）に、図１５〜４２に示すゾーンと共に示されているように、各ゾーンは、多様な構成、大きさ、及び形状をなしてよく、また各ゾーン又はその一部分は、化学的、幾何学的、及び／又は形態学的処理を含んでよく、あるいは、特定のゾーンが処理を全く含まなくてもよい。各ゾーン又はその一部分は、流動制御材料を含み得る。様々な処理について、以下で更に詳細に議論することにする。孔は、打ち抜き、切り込み、ハイドロフォーミング、又はオーバーボンディングにリングローリングを続けることによって形成され得る。３Ｄ構造は、ＳＥＬＦｉｎｇ、ＩＰＳ、又はｒＩＰＳなど、様々な固体成形技法で形成され得る。
【０１１５】
幾何学的処理
いくつかの例示的な幾何学的処理について、これから図を参照して議論する。「幾何学的処理」という句は、形態学的処理と孔を含むため、ここでは孔についてのみ議論するが、以下で議論する形態学的処理もまた、幾何学的処理の定義によれば、「幾何学的処理」という句の範囲に含まれることが理解されよう。
【０１１６】
図４３〜４４Ｆは、孔を含んだ幾何学的処理を含む例示的な基材（例えば、トップシート又はその一部分）を示している。図４３は、孔を中に画定された２７ｇｓｍの不織布ウェブを示しており、図４４Ａは、孔を中に画定された１８ｇｓｍのバイコンポーネント不織布ウェブを示している。幾何学的処理の孔は、任意の好適な大きさ、形状、構成、及び／又はパターンを有し得る。孔は、例えば、オーバーボンディングとそのオーバーボンドを破裂させるためのリングローリング、及びピンホーリングなど、当該技術分野で周知の任意の穿孔プロセスによって形成され得る。孔は、互いに対して均一に離間配置されても、不均一に離間配置されてもよい。更に、各ゾーンの孔は、同じゾーンにおいて又は異なるゾーンにおいて、同じ大きさであっても、異なる大きさであってもよい。いくつかの図の中でも、図１７〜１９、２１、２１Ａ、及び２７〜３０は、トップシート又は他の基材に孔を含んだ幾何学的処理の様々な非限定的な例を示している。図４４Ｂは、トップシートの一部分又は全部に使用するための例示的な基材を示す。図４４Ｃは、トップシートの一部分又は全部に使用するための例示的なファブリック基材を示す。図４４Ｄは、トップシートの一部分又は全部に使用するための例示的なメッシュ基材を示す。図４４Ｅは、トップシートの一部分又は全部に使用するための例示的なフィルムを示す。図４４Ｆは、トップシートの一部分又は全部に使用するための例示的なフィルムを示す。
【０１１７】
図４４Ｂの例示的な基材は、指定した範囲及びその中に又はそれによって形成される全範囲内において、すべての０．１ｍｍ２の増分を具体的に列挙して、約０．５ｍｍ２〜約１０ｍｍ２、約１ｍｍ２〜約８ｍｍ２、約１ｍｍ２〜約６ｍｍ２、約１ｍｍ２〜約５ｍｍ２、約１ｍｍ２〜約３ｍｍ２、約１．５ｍｍ２〜約２．５ｍｍ２、約１．９ｍｍ２、約２．０ｍｍ２、約２．１ｍｍ２、又は約２．０１１ｍｍ２の範囲の有効孔面積（以下の孔試験による）を有し得る。図４４Ｂの例示的な基材は、指定した範囲及びその中に又はそれによって形成される全範囲内において、すべての０．１％の増分を具体的に列挙して、約５％〜約４０％、約１０％〜約３０％、約１５％〜約２５％、約１６％〜約２０％、約１７％、約１８％、又は約１９％の範囲の％有効開口面積（以下の孔試験による）を有し得る。
【０１１８】
図４４Ｃの例示的なファブリック基材は、指定した範囲及びその中に又はそれによって形成される全範囲内において、すべての０．１ｍｍ２の増分を具体的に列挙して、約３ｍｍ２〜約３０ｍｍ２、約６ｍｍ２〜約２０ｍｍ２、約８ｍｍ２〜約１４ｍｍ２、約９ｍｍ２〜約１３ｍｍ２、約１０ｍｍ２〜約１２ｍｍ２、約１１ｍｍ２、約１２ｍｍ２、約１１．１ｍｍ２、約１１．２ｍｍ２、又は約１１．１１ｍｍ２の範囲の有効孔面積（以下の孔試験による）を有し得る。図４４Ｃの例示的な基材は、指定した範囲及びその中に又はそれによって形成される全範囲内において、すべての０．１％の増分を具体的に列挙して、約１５％〜約５５％、約２０％〜約４５％、約２５％〜約４５％、約３０％〜約４０％、約３５％、約３４％、又は約３４．７％の範囲の％有効開口面積（以下の孔試験による）を有し得る。
【０１１９】
図４４Ｄの例示的なメッシュ基材は、指定した範囲及びその中に又はそれによって形成される全範囲内において、すべての０．１ｍｍ２の増分を具体的に列挙して、約０．２ｍｍ２〜約４ｍｍ２、約０．５ｍｍ２〜約３ｍｍ２、約０．５ｍｍ２〜約２ｍｍ２、約０．５ｍｍ２〜約１．５ｍｍ２、約０．８ｍｍ２〜約１．３ｍｍ２、約０．９ｍｍ２、約１ｍｍ２、約１．１ｍｍ２、約１．２ｍｍ２、又は約１．０１８ｍｍ２の範囲の有効孔面積（以下の孔試験による）を有し得る。図４４Ｄの例示的な基材は、指定した範囲及びその中に又はそれによって形成される全範囲内において、すべての０．１％の増分を具体的に列挙して、約２０％〜約９０％、約３０％〜約８０％、約５０％〜約８０％、約５０％〜約７０％、約５５％〜〜約７０％、約６０％、約６３．９％、又は約６５％の範囲の％有効開口面積（以下の孔試験による）を有し得る。
【０１２０】
図４４Ｅの例示的なフィルムは、指定した範囲及びその中に又はそれによって形成される全範囲内において、すべての０．１ｍｍ２の増分を具体的に列挙して、約０．１ｍｍ２〜約２ｍｍ２、約０．１ｍｍ２〜約１．５ｍｍ２、約０．３ｍｍ２〜約１ｍｍ２、約０．４ｍｍ２〜約０．９ｍｍ２、約０．４ｍｍ２〜約０．７５ｍｍ２、約０．５ｍｍ２、約０．５０８ｍｍ２、約０．５１ｍｍ２、又は約０．５２ｍｍ２の範囲の有効孔面積（以下の孔試験による）を有し得る。図４４Ｅの例示的なフィルムは、指定した範囲及びその中に又はそれによって形成される全範囲内において、すべての０．１％の増分を具体的に列挙して、約５％〜約５０％、約１０％〜約３５％、約１０％〜約３０％、約１２％〜約２５％、約１５％、約１８％、約１８．２％、又は約１９％の範囲の％有効開口面積（以下の孔試験による）を有し得る。
【０１２１】
図４４Ｆの例示的なフィルムは、指定した範囲及びその中に又はそれによって形成される全範囲内において、すべての０．１ｍｍ２の増分を具体的に列挙して、約０．１ｍｍ２〜約２ｍｍ２、約０．１ｍｍ２〜約１．５ｍｍ２、約０．３ｍｍ２〜約１ｍｍ２、約０．４ｍｍ２〜約０．９ｍｍ２、約０．４ｍｍ２〜約０．７５ｍｍ２、約０．４ｍｍ２、約０．４８６ｍｍ２又は約０．５ｍｍ２の範囲の有効孔面積（以下の孔試験による）を有し得る。図４４Ｆの例示的なフィルムは、指定した範囲及びその中に又はそれによって形成される全範囲内において、すべての０．１％の増分を具体的に列挙して、約３％〜約３５％、約３％〜約２０％、約３％〜約１５％、約５％〜約１３％、約６％、約１１％、約８％、約８．７％、又は約９％の範囲の％有効開口面積（以下の孔試験による）を有し得る。
【０１２２】
吸収性物品のトップシートは、２つ以上のゾーンを有し得、少なくとも第１のゾーンは、横方向軸線の第１の側又は実質的に横方向に延在する分離要素の第１の側に配置され、第２のゾーンは、横方向軸線の第２の側又は実質的に横方向に延在する分離要素の第２の側に配置される。第１のゾーンは、その中に画定された孔を有し得、それらの孔は、以下に説明する孔試験による、指定された範囲内において、すべての０．１ｍｍ２の増分を具体的に列挙して、約０．２ｍｍ２〜約１５ｍｍ２の範囲の有効孔面積を有し得る。第１のゾーンは、以下に説明する孔試験による、指定された範囲内において、すべての０．１％の増分を具体的に列挙して、約１５％〜約４０％の有効開口面積を有し得る。第２のゾーンは、その中に画定された孔を有し得、それらの孔は、以下に説明する孔試験による、約０．１ｍｍ２〜約２．０ｍｍ２、約０．０５ｍｍ２〜約２ｍｍ２、約０．５ｍｍ２〜約２ｍｍ２、又は約１．０ｍｍ２の範囲の有効孔面積を有し得る。第２のゾーンは、以下に説明する孔試験による、指定された範囲内において、すべての０．１％の増分を具体的に列挙して、約２％〜約１５％の％有効開口面積を有し得る。第１のゾーンの孔は、第１のゾーンがＢＭ管理用に構成されるように、また第２のゾーンが尿管理用に構成されるように、第２のゾーンの孔よりも大きくてもよい（例えば、１５％〜３５％大きいか又は２５％大きい）。第１のゾーン及び第２のゾーンのいずれかが、１つ以上の化学的処理及び／又は１つ以上の形態学的処理を含み得る。形態学的処理は、第１のゾーン及び／又は第２のゾーンの一部分又はすべてに存在し得る。吸収性物品はまた、バリアレッグカフと腰部縁部とを備え得る。
【０１２３】
チャネルのいずれかの組が設けられる場合、幾何学的処理の孔のうちのいずれかが、液体管理システム５０内のチャネル（例えば、４９、４９’）又は吸収性コア２８内のチャネル（例えば、２６、２６’、２７、２７’）の一部分及び／又はすべてと重なっても、重ならなくてもよい。
【０１２４】
形態学的処理
様々な形態学的処理は、トップシート２４、ＬＭＳ  ５０、又は他の基材の様々なゾーンに存在し得る。図４５〜５０は、様々な形態学的処理を示している。図４５は、エンボス加工パターンを示している。図４６Ａは、図４６Ｂに示すエンボス加工のパターンの絵画図である。図４７は、別のエンボス加工パターンを示している。図４８は、基材が穿孔された、別のエンボス加工パターンを示した。図４９は、別のエンボス加工パターンを示している。図５０は、パッカリングされたエリアを含む例示的な形態学的処理を示している。パッカリングされたエリアは、二層トップシート内に形成され得る。接着剤、又はパターン化された接着剤が、第１の層と第２の層との間に存在してもよい。第１の層は、パッカリングされたエリアの形状を達成するようにエンボス加工され、次いでパターン化された接着剤を使用して第２の層に付着され得る。図５１は、折り目を含む例示的な形態学的処理を示している。折り目は、トップシートに付着された基材によって形成され得る。他の形態学的処理が、図２０〜３２の少なくとも一部において、トップシートに示されている。形態学的処理の要素は、任意の好適な大きさ、形状、次元、頻度、構成、及び／又はパターンを有し得る。形態学的処理は、当業者に既知の任意のプロセスによって形成され得る。各形態学的処理の要素は、互いに対して均一に離間されても、不均一に離間されてもよい。更に、各ゾーンの形態学的処理の要素は、同じであっても、異なってもよい。１つのゾーン又は複数のゾーンの形態学的処理の要素は、パターン、深さ、幅、長さ、及び／若しくは頻度において、異なってもよく、又は同じであってもよい。形態学的処理を有する１つのゾーンは、吸収性物品の横方向軸線、長手方向軸線、又は実質的に横方向に延在する分離要素に対して、形態学的処理を有する別のゾーンと対称的であっても、非対称的であってもよい。形態学的処理を有するゾーンのうちのいずれかが、存在する場合、液体管理システム５０内のチャネル（例えば、４９、４９’）及び／又は吸収性コア２８内のチャネル（例えば、２６、２６’、２７、２７’）の一部分及び／又はすべてと重なっても、重ならなくてもよい。
【０１２５】
例示的な形態学的処理が、図５２及び５３に示されている。図５３は、図５２の円５３における分解図である。この例示的な形態学的処理において、液体管理システム５０（ＬＭＳ  ５０の１つ以上の層又はすべての層）の部分１０６が、液体透過性トップシート２４の中に又は液体透過性トップシート２４を貫いて延びている。不連続部１１６が、液体管理システム５０の衣類対向表面１２０に形成され得る。部分１０６が液体透過性トップシート２４の中にかつ／又は液体透過性トップシート２４を貫いて延びる箇所で、フラップ１０７が液体透過性トップシート２４内に形成され得る。液体管理システム５０が、突起部１０６によって、トップシート２４を通じて液体を迅速に吸い上げ得ることから、そのような構造は、液体吸収を支援し得る。この構造はまた、尿などの液体がトップシート２４上に残留する時間を低減するのに役立ち得る。
【０１２６】
別の例示的な形態学的処理が、図５４及び５５に示されている。図５５は、図５４の円５５における分解図である。この例示的な形態学的処理において、液体透過性トップシート２４の部分１０６’は、液体管理システム５０の１つ以上の層又はすべての層の中に、又はそれらを貫いて延びている。不連続部１１６’が、液体透過性トップシート２４の着用者対向表面１２０’に形成され得る。部分１０６’が液体管理システム５０の中にかつ／又は液体管理システム５０を貫いて延びる箇所で、フラップ１０７’が液体管理システム５０内に形成され得る。ＬＭＳ  ５０の下方に配置された吸収性コアが、突起部１０６’によって、トップシート２４及びＬＭＳ  ５０を通じて液体を迅速に吸収し得ることから、そのような構造は液体吸収を支援し得る。そのような構造はまた、尿などの液体がトップシート２４上に存在する量を低減し得る。この形態学的処理は本質的には、図５２及び５３に示す形態学的処理の逆である。
【０１２７】
上記の２つの形態学的処理の両方が、同様の形式で形成され得る。部分１０６又は１０６’は、図５６に示すプロセスを使用して形成され得る。このプロセスは、２つのロール１０２と１０４とによって形成されたニップ１１６を通じて、（破線付きの参照符号２４及び５０に示されるように）液体管理システム５０の少なくとも一部分の上に重ね合わされた液体透過性トップシート２４を備えるウェブを前進させること、又は液体透過性トップシート２４の少なくとも一部分の上に重ね合わされた液体管理システム５０を備えるウェブを前進させることを含み得る。２つのロールは、ロール上の矢印によって示す方向に、それぞれの長手方向軸線Ａ上で回転する。ロール１０２は、複数の溝１０８を間に形成する、複数の外向きに延びる隆起部１２６を備える溝付きロールを含み得る。ロール１０４は、複数の径方向外向きに延びる歯１１０と、それらの間に形成された複数の溝１１２とを備え得る。ロール１０２の隆起部１２６は、ロール１０４の溝１１２の中へと延びるように構成され得、ロール１０４の歯１１０は、ロール１０２の溝１０８の中へと延びて部分１０６又は１０６’を形成するように構成され得る。図５６で分かるように、この構成は、液体管理システム５０の各部分を、液体透過性トップシート２４を通して又は液体透過性トップシート２４の中へと押し込んで部分１０６を形成するか、又は、液体透過性トップシート２４の各部分を、液体管理システム５０を通して又は液体管理システム５０の中へと押し込んで部分１０６’を形成するものである。ロール１０２及び１０４の噛み合いが、液体透過性トップシート２４と液体管理システム５０は示さずに、図５７により詳細に示されている。「Ｐ」は歯１１０の間のピッチであり、「Ｅ」は溝１１２への隆起部１２６の係合の深さであり、「ＴＨ」は歯の高さである。これらの寸法のすべては、例えば、異なる形状及び／又は大きさの部分１０６若しくは１０６’を達成するために変更され得る。そのような構造、及びその構造を製作する方法に関する更なる詳細が、Ｈｏｙｉｎｇらへの米国特許第７，６４８，７５２号に開示されている。
【０１２８】
液体管理システム５０が液体透過性トップシート２４の中へ若しくは液体透過性トップシート２４を通じて、又は液体透過性トップシート２４が液体管理システム５０の中へ若しくは液体管理システム５０を通じて延びるパターン、深さ、長さ、幅、及び／又は頻度において、形成される突起部１０６が異なり得るように、ロール１０４上の歯１１０は、ロール１０４の回転方向において、ロール１０４の周囲で異なり得る。ロール１０４の回転方向における、ロール１０４の約５０％の歯は、第１の構成、大きさ、長さ、幅、パターン、頻度などを有し得るが、ロールの残りの歯は、第２の構成、大きさ、長さ、幅、パターン、頻度などを有し得る。他の場合には、特定の構成を有する歯が、ロール１０４上の３つ以上のゾーンに形成され得る。歯が異なることにより、ロールは、異なる部分１０６又は１０６’を、したがって異なる形態学的処理を有するゾーンを、例えばトップシートの第１のゾーン及びトップシート２４の第２のゾーンに形成することが可能となり得る。
【０１２９】
化学的処理
トップシート２４及び／又は液体管理システム５０の様々なゾーンのうちの１つ以上が、１つ以上の化学的処理を含み得る。化学的処理は、任意の好適な色、大きさ、形状、厚さ、及び／又はパターンを有し得る。様々なゾーンが、同じ化学的処理を有しても、異なる化学的処理を有してもよい。複数の化学的処理が、１つの特定のゾーンに又は複数のゾーンに設けられ得る。いくつかの化学的処理が、化学的処理の他のゾーンを囲繞するか若しくは少なくとも部分的に囲繞してよく、又は他の幾何学的又は形態学的処理を囲繞するか若しくは少なくとも部分的に囲繞してよい。場合によっては、いくつかの化学的処理が、他の化学的処理に少なくとも部分的に重なり、かつ／又は、幾何学的及び／若しくは形態学的処理の上に配置されるか若しくはそれに重なってもよい。いくつかの例示的な化学的処理が、図５８〜６５に示されている。様々な他の図がまた、上述のように、様々な化学的処理を示している。図５８は、トップシート上の印刷又は染色されたチャネルのパターンの例示的な化学的処理を示している。図５９及び６０は、トップシート上の印刷又は染色されたドットのパターンの例示的な化学的処理を示している。図６１及び６２は、トップシート上の印刷又は染色された菱形のパターンの例示的な化学的処理を示している。
【０１３０】
図６３は、複数のゾーンを有する吸収性物品の例を示している。これらのゾーンのうちの１つ以上が、１つ以上の化学的処理及び／又は１つ以上の他の処理を含み得る。第１のゾーンＺ１は、スキンケア組成物を含んだ化学的処理を含み得、第２のゾーンＺ２は、粘着防止ローション又はＢＭが着用者の皮膚に粘着するのを防止する一助となるように構成された組成物を含んだ化学的処理を含み得、第３のゾーンＺ３は、インキ又は顔料を含んだ組成物を含む化学的処理を含み得る。様々な化学的処理が、様々なゾーンにおいてパターン（例えば、縞、ドット）をなしてよい。それらのパターンは、様々なゾーンにおいてかつ／又は特定のゾーン内で、同じであっても、異なっていてもよい。吸収性物品はまた、エンボス加工された深い線ＥＬを、第３のゾーンＺ３及び／又は周りの第１のゾーンＺ１のいずれかの側に含み得る。吸収性物品は、それぞれ第４のゾーンＺ４及び第５のゾーンＺ５を更に含み得る。これら第４のゾーンＺ４及び第５のゾーンＺ５は、種々の化学的、幾何学的、及び／若しくは又は形態学的処理を含んでもよく、又はいかなる処理も含まなくてもよい。トップシートはまた、流動制御材料を含み得る。流動制御材料は、第１のゾーンＺ１、第２のゾーンＺ２、及び／又は第３のゾーンＺ３の外周を形成しても、それらの周りに配置されてもよい。流動制御材料は、連続的であっても不連続的であってもよい。
【０１３１】
図６４は、少なくとも２つのゾーンＺ１及びＺ２を有する吸収性物品の例を示している。ゾーンＺ１は、ゾーンＺ２の両端部に存在し得る。ゾーンＺ１及びＺ２はそれぞれ、幾何学的処理及び／又は形態学的処理を含み得る。形態学的処理の一方又は両方が、図５２〜５７を参照して説明したように、トップシートの中へと又はトップシートを少なくとも部分的に貫いて延びる液体管理システムの一部分を含み得る。ゾーンＺ１の形態学的処理は、ゾーンＺ２の形態学的処理とは異なるパターン（例えば、高さ、幅、形状、頻度、長さ、間隔、色、材料など）を有し得る。ゾーンＺ１及びＺ２はまた、例えば、ドットをなして形成された第１の化学的処理ＣＴ１を含み得る。第１の化学的処理ＣＴ１は、ＢＭが着用者の皮膚に粘着するのを防止する一助となるように構成された粘着防止ローション又は組成物を含み得る。ゾーンＺ１はまた、例えば、酸化亜鉛などの活性成分又はビタミンＥなどのビタミンを含んだ第２の化学的処理ＣＴ２を含み得る。ゾーンＺ２は、例えば、ヘキサミジンなどの酵素阻害剤を含んだ第３の化学的処理ＣＴ３を含み得る。第３の化学的処理ＣＴ３はまた、ＢＭ粘着防止ローションであってもよい。
【０１３２】
図６４Ａは、４つのゾーンを有する吸収性物品の例を示している。ゾーンＺ１は、形態学的処理（例えば、図５２及び５４を参照）を含み得る。ゾーンＺ２は、孔を含んだ幾何学的処理を含み得る。ゾーンＺ３は、疎水性又は親水性であり得るＢＭ粘着防止ローションを含んだ化学的処理を含み得る。ゾーンＺ４は、活性成分を持つローションを含んだ化学的処理を含み得る。ゾーンＺ４のローションは、疎水性であっても親水性であってもよい。ゾーンＺ４は、ゾーン１に少なくとも部分的に重なり得る。ゾーンＺ３は、ゾーン１及び２に少なくとも部分的に重なり得る。吸収性物品はまた、横方向分離要素ＬＳＥを備え得る。
【０１３３】
図６５は、複数の処理を有する吸収性物品の例を示している。第１の処理Ｔ１は、深いエンボス加工の形態学的処理と、インキ又は顔料を含んだ組成物を含む第１の化学的処理ＣＴ１とを含み得る。第２の化学的処理ＣＴ２は、例えば、酸化亜鉛などの活性成分、又はビタミンＥなどのビタミンを含み得る。活性成分は、例えば、ドットのパターンで形成され得る。第３の化学的処理ＣＴ３は、１種類以上の流動制御材料を含み得る。流動制御材料は、例えば、縞のパターンで形成され得る。様々な処理が存在するエリアのいずれかがまた、付加的な処理を含んでもよい。
【０１３４】
図６６は、様々なゾーンに複数の流動制御材料を有する吸収性物品の例を示している。ゾーンＺ１は、尿用の流動制御材料を含み得る。ゾーンＺ２は、ＢＭ用の流動制御材料を含み得る。ゾーンＺ３は、尿用又はＢＭ用の流動制御材料を含み得る。吸収性物品はまた、１つ以上の他の処理を含み得る。
【０１３５】
図６７は、複数のゾーンを有する吸収性物品の例を示している。ゾーンＺ１は、形態学的処理（例えば、図５２及び５４を参照）を含み得る。ゾーンＺ２は、化学的処理を含み得る。ゾーンＺ２は、ゾーンＺ１に少なくとも部分的に重なり得る。ゾーンＺ３は、形態学的処理（例えば、図５２及び５４を参照）を含み得る。ゾーンＺ４は、ＢＭ粘着防止ローションを含み得る。ゾーンＺ４は、ゾーンＺ３に少なくとも部分的に重なり得る。吸収性物品はまた、１つ以上の他の処理を含み得る。
【０１３６】
図６８は、複数のゾーンを有する吸収性物品の例を示している。ゾーンＺ１は、孔を含んだ幾何学的処理を含み得る。ゾーンＺ２は、孔を含んだ幾何学的処理を含み得る。孔は、パターンを形成してもよい。ゾーンＺ１はスキンケア組成物を含み得、ゾーンＺ２はＢＭ粘着防止ローションを含み得る。吸収性物品はまた、１つ以上の他の処理を含み得る。
【０１３７】
１つ以上の化学的処理又は他の処理を有するゾーンのうちのいずれかが、液体管理システム５０内のチャネル（例えば、４９、４９’）及び／又は吸収性コア２８内のチャネル（例えば、２６、２６’、２７、２７’）の一部分又はすべてと重なっても、重ならなくてもよい。
【０１３８】
疎水性／親水性
上述のように、トップシートの様々なゾーンが、それらのゾーンを疎水性若しくは親水性に、又は更に疎水性若しくは親水性にする化学的処理を含み得る。これらのゾーンに関するいくつかの更なる詳細を以下に示す。吸収性物品のトップシートが、親水性コーティングを備えた第１の化学的処理、及び／又は疎水性コーティングを備えた第２の化学的処理を含み得る。他の場合には、１つの親水性コーティング又は疎水性コーティングのみが、トップシート上に設けられてもよい。更に他の場合には、第１の化学的処理は疎水性によるものであってよく、第２の化学的処理は、異なる親水性（すなわち、より高い疎水性、より低い疎水性、より高い親水性、又はより低い親水性）を有してもよい。親水性コーティング及び疎水性コーティングは、トップシートの任意の好適なエリア又はゾーンに配置され得る。トップシートは、親水性コーティングを含んだ第１のゾーンと、親水性コーティングを含んだ第２のゾーンとを含み得る。他の場合には、トップシートの１つ以上のゾーンが、親水性コーティング又は疎水性コーティングのいずれかを含んだ化学的処理を含み得る。トップシートの第１のゾーン及び第２のゾーンは、吸収性物品のそれぞれ前方及び／若しくは後方又は前方及び後方に配置され得る。他の場合には、トップシートの第１のゾーン及び第２のゾーンは、実質的に横方向に延在する分離要素、横方向軸線、又は長手方向軸線の両側に配置され得る。
【０１３９】
親水性である化学的処理は、尿又は流れるＢＭによる液体透過性トップシート、ＬＭＳ、及び／又は吸収性コアの浸透を促進し得、あるいは、着用者の皮膚に対して、液体透過性トップシートへのＢＭの付着を促進し得る。疎水性処理は、スキンケア組成物を定位置に保持して、身体の接触を促進し、再湿潤を低減し、皮膚の乾燥性を改善し得、かつ／又は、流れるＢＭが液体透過性トップシート又はＬＭＳの一部分を通過した後に皮膚を再び汚すことを防止するか、若しくは少なくとも抑制し得る。
【０１４０】
活性成分／酵素阻害剤／ビタミン
上述のように、本明細書で議論した様々なゾーン又は本開示のトップシートの各部分のうちのいずれかがまた、１種類以上の活性成分、酵素阻害剤、及び／又はビタミンを含んでもよい。活性成分の一例が酸化亜鉛であり、酸化亜鉛は、皮膚上の病原体数を低減する抗菌剤として機能して、皮膚又は尿路の日和見感染症を防止するのに役立ち得る。酵素阻害剤の一例がヘキサミジンであり、ヘキサミジンは、皮膚保護に対する、トリプシンなどの蛋白質分解性の糞便酵素による攻撃を防止するのに役立ち、それによって刺激及び皮膚炎を低減し得る蛋白質分解酵素抑制剤である。ビタミンの一例がビタミンＥであり、ビタミンＥは、皮膚保護機能を安定させるのに役立ち得る。
【０１４１】
耐久性／移動性
上で議論したように、トップシートのゾーンのうちのいくつかが、実質的に耐久性の化学的処理及び／又は実質的に移動性の化学的処理を含み得る。これらの処理については、以下でより詳細に説明する。吸収性物品のトップシートは、実質的に移動性であるか若しくは実質的に耐久性である第１の化学的処理、及び／又は実質的に耐久性であるか若しくは実質的に移動性である第２の化学的処理を含み得る。ある場合には、１つの実質的に移動性の又は実質的に耐久性の化学的処理のみが、トップシートに設けられてもよい。実質的に移動性の化学的処理及び実質的に耐久性の化学的処理は、トップシートの任意の好適なエリア又はゾーンに配置され得る。トップシートは、実質的に移動性又は実質的に耐久性である第１の化学的処理を含んだ第１のゾーンと、実質的に耐久性又は実質的に移動性である第２の化学的処理を含んだ第２のゾーンとを備え得る。他の場合には、トップシートの１つ以上のゾーンが、実質的に移動性であるか又は実質的に耐久性である化学的処理を含み得る。いくつかの場合には、２つの実質的に耐久性又は実質的に移動性の化学的処理が、トップシートの様々なゾーンに設けられてもよい。そのような場合、処理の一方は、もう一方の処理とは異なるパターン、厚さ、坪量でトップシートに施されてもよい。トップシートの第１のゾーン及び第２のゾーンは、吸収性物品のそれぞれ前方及び／若しくは後方又は前方及び後方に配置され得る。他の場合には、トップシートの第１のゾーン及び第２のゾーンは、実質的に横方向に延在する分離要素、横方向軸線、又は長手方向軸線の両側に配置され得る。
【０１４２】
実質的に耐久性の化学的処理を有する利点のいくつかは、汚れ捕捉ポリマー組成物などの化学的処理がトップシート上に残留して、ＢＭが皮膚に付着するよりも強くＢＭをトップシート上に保持し、吸収性物品を用いた皮膚からのＢＭの除去をより容易にし得ることである。実質的に耐久性の化学的処理の他の例には、ａ）後の放尿（すなわち、第１の放尿の後）で尿の浸透性を維持するのを助けるための親水性処理、及び／又はｂ）トップシートの選択された領域において尿の浸透を優先的に制限するための流動制御材料を挙げることができる。
【０１４３】
実質的に移動性の化学的処理を有する利点のいくつかは、スキンケア組成物などの化学的処理が、刺激源に対する皮膚保護の向上又は他の皮膚の健康上の利点のために、着用者の皮膚に少なくとも部分的に移動され得ることである。実質的に移動性の化学的処理のもう１つの例が、皮膚へのＢＭの付着を防止するか又は少なくとも抑制するＢＭ粘着防止ローションである。
【０１４４】
流動制御材料
上で議論したように、トップシートのゾーンのうちのいくつかは、流動制御材料を含む化学的処理を含み得る。それらの流動制御材料について、以下で更に議論する。
【０１４５】
流動制御材料は、吸収性物品のトップシート上での、吸収性物品のトップシートの中への、又は吸収性物品のトップシートを貫く、排泄物の運動及び／又は浸透を促進、減速、又は制限し得る。
【０１４６】
トップシートは、第１の流動制御材料を含んだ第１の化学的処理（図２１ＣのＺ５を参照）、及び／又は第２の流動制御材料を含んだ第２の化学的処理（図２１ＣのＺ５を参照）を含み得る。これらの流動制御材料は、同じであっても異なっていてもよい。ある場合には、１つの流動制御材料のみが、トップシート上に設けられてもよい。第１及び第２の流動制御材料は、トップシートの任意の好適なエリア、ゾーン、及び／又は部分に配置され得る。トップシートは、第１の流動制御材料を含んだ第１のゾーン（図１５のＺ１を参照）と、第２の流動制御材料を含んだ第２のゾーン（図１５のＺ２を参照）とを備え得る。トップシートの第１のゾーン及び第２のゾーンは、吸収性物品のそれぞれ前方及び／若しくは後方又は前方及び後方に配置され得る。他の場合には、トップシートの第１のゾーン及び第２のゾーンは、実質的に横方向に延在する分離要素（図１５を参照）、横方向軸線、又は長手方向軸線の両側に少なくとも部分的に配置され得る。
【０１４７】
第１の流動制御材料と第２の流動制御材料は、同じであっても、異なってもよい。第１の流動制御材料は、第２の流動制御材料と比較して、異なる透過性、坪量、表面エネルギー、及び／又は厚さを有し得る。第１の流動制御材料及び／又は第２の流動制御材料は、顔料、着色剤、印刷インキ、染料、及び／又はスキンケア組成物を含み得る。第１の流動制御材料と第２の流動制御材料の顔料、着色剤、印刷インキ、染料、及び／又はスキンケア組成物は、同じであっても、異なっていてもよい。
【０１４８】
第１及び第２の流動制御材料は、異なるゾーンに異なるパターン（例えば、図２１ＡのＺ２及びＺ４）を、例えば第１のゾーンに第１のパターン、第２のゾーンに第２のパターンを有してもよく、又は、異なるゾーンに同じパターンを有してもよい。
【０１４９】
流動制御材料は、吸収性物品の特定の領域への液状排泄物の浸透を少なくとも部分的に又は完全に制限又は減速し、（すなわち、かさばりを低減するため、フィット性を改善するため、及び／又は皮膚への再湿潤を改善（低減）するため）排泄物が優先的に蓄積され得る領域に排泄物を導き得る。例えば、尿が着用者から製品に侵入すると予想され、長手方向の一方又は両方に導かれる領域に、流動制御材料が配置される場合、このことは、股領域における湿潤時のかさばりを低減し得る。そのような特徴はまた、外観及び／又は動きの快適さ／自由さの利点を吸収性物品にもたらし得る。それに代わって、流動制御材料は、さもなければ汚染されない皮膚を汚すことを回避するために、排泄物（すなわち、トップシートを通じて移動した排泄物）が再びトップシートの特定の領域を通じて再湿潤することを防止するか又は少なくとも抑制し得る。
【０１５０】
他の場合には、流動制御材料は、吸収性物品がより効果的に排泄物を吸収できるように、トップシート全体にわたるか又はトップシートに入る若しくはトップシートを貫く排泄物の流動を促進し得る。
【０１５１】
流動制御材料の例として、吸収性物品が、液体透過性トップシートと、液体不透過性バックシートと、少なくとも部分的に液体透過性トップシートと液体不透過性バックシートとの間に配置された吸収性コアとを備え得る。液体透過性トップシートは、吸収性コアの少なくとも一部分の上に少なくとも大部分が又はすべてが閉じた外周を形成し得る流動制御材料を含み得る（例えば、図２０のＺ２〜Ｚ４、図２１ＡのＺ５、図２１ＢのＺ３、図２１ＣのＺ４、図２４のＺ１、Ｚ３、及びＺ４、図２９のＺ３、並びに図３９〜４２を参照）。用語「少なくとも大部分が閉じた外周」は、少なくとも６０％が閉じている外周を意味する（すなわち、完全に閉じた形状の６０％が形成される）。少なくとも大部分が閉じた外周又はすべてが閉じた外周は、連続的であっても（図２０のＺ３及びＺ４、図２１ＡのＺ５、図２１ＢのＺ３、図２１ＣのＺ４を参照）、不連続的であってもよい（図３９〜４２を参照）。不連続的な流動制御材料が、縞、ドット、破線など、要素のパターンをなして設けられ得る。流動制御材料は、０．２ｍｍ未満、又は０．２ｍｍ超、液体透過性トップシートから外向きに延びてよく（本明細書における流動制御材料外向き伸長法に従う）、また液体透過性トップシートの一部分の中へ又は液体透過性トップシートを貫いて侵入し得る。流動制御材料はまた、液体管理システムに適用され得る。
【０１５２】
トップシートはまた、１つ以上の幾何学的処理、形態学的処理、及び／又は化学的処理（流動制御材料以外の化学的処理）を含み得る。図２０を参照すると、幾何学的処理Ｚ２は、第１の流動制御材料Ｚ４によって形成された少なくとも大部分が閉じた外周Ｐ１又はすべてが閉じた外周の完全に内部に配置されても、部分的に内部に配置されても、外側に若しくは少なくとも部分的に外側に配置されてもよい。トップシート２４はまた、少なくとも大部分が又はすべてが閉じた第２の外周Ｐ２をトップシート２４に形成する第２の流動制御材料５００を含み得る。第２の外周Ｐ２は、少なくとも大部分が閉じた外周Ｐ１の少なくとも部分的に又は完全に内部に配置され得る。第２の幾何学的処理、第２の形態学的処理、又は第２の化学的処理Ｚ１が、少なくとも大部分が閉じた第２の外周Ｐ２の少なくとも部分的に又は完全に内部に配置され得る。トップシートはまた、１つ以上の付加的な化学的処理を含み得る。その化学的処理は、外周Ｐ１又は第２の外周Ｐ２の上、内側、又は外側に配置され得る。
【０１５３】
流動制御材料は、液体透過性トップシートの厚さの少なくとも５％、少なくとも１０％、少なくとも１５％、少なくとも２０％、少なくとも２５％、少なくとも５０％、又はそれ以上を貫いて侵入し得る。流動制御材料はまた、吸収性物品の液体管理システムの上にかつ／又はその液体管理システムを少なくとも部分的に貫いて侵入し得る。いくつかの場合には、流動制御材料は、トップシート若しくは液体管理システム及び／又は吸収性コアの表面上にのみ存在し得る。他の場合には、流動制御材料は、トップシート及び／又は液体管理システムを完全に貫いて侵入し得る。更に他の場合には、流動制御材料は、指定した範囲及びその中に又はそれによって形成される全範囲内において、すべての０．１％の増分を具体的に列挙して、１％〜７５％、５％〜５０％、５％〜５０％、及び５％〜２５％の範囲でトップシート又は液体管理システムに侵入し得る。流動制御材料は、吹き付け、融解、及びローリングなど、当業者に知られている任意の好適な方法によって、トップシート又は液体管理システムに適用され得る。
【０１５４】
流動制御材料は、本明細書の侵入深さ試験法に従って測定して、トップシートの着用者対向表面の下方へ、少なくとも約５０マイクロメートル、少なくとも約７５マイクロメートル、少なくとも約１００マイクロメートル、少なくとも約１５０マイクロメートル、少なくとも約２００マイクロメートル、少なくとも約２５０マイクロメートル、少なくとも約３００マイクロメートル、又は少なくとも約３５０マイクロメートルの深さで貫いて侵入し得る。流動制御材料はまた、本明細書における侵入深さ試験法に従って測定して、トップシートの着用者対向表面の下方へ、上記で指定した範囲及びその中に又はそれによって形成される全範囲内において、すべての０．５マイクロメートルの増分を具体的に列挙して、約２５マイクロメートル〜約５００マイクロメートル、約５０マイクロメートル〜約５００マイクロメートル、約１００マイクロメートル〜約４００マイクロメートル、約１００マイクロメートル〜約３００マイクロメートル、約１５０マイクロメートル〜約３００マイクロメートル、又は約１００マイクロメートル〜約２５０マイクロメートルの範囲の深さで貫いて侵入し得る。
【０１５５】
別の例として、吸収性物品が、液体透過性トップシートと、液体不透過性バックシートと、横方向軸線の第１の側にある吸収性物品の前側領域と横方向軸線の第２の側にある吸収性物品の後側領域とを画定する横方向軸線と、少なくとも部分的に液体透過性トップシートと液体不透過性バックシートとの間に配置された吸収性コアと、を備え得る。概して図１５を参照すると、液体透過性トップシート２４は、主として（例えば少なくとも６０％又は少なくとも７５％）前側領域に位置しかつ第１の流動制御材料を含む第１のゾーンＺ１と、主として（例えば少なくとも６０％又は少なくとも７５％）後側領域に位置しかつ第２の流動制御材料を含む第２のゾーンＺ２とを備え得る。第１の流動制御材料は、第２の流動制御材料と異なっても、同じであってもよい。第１の流動制御材料と第２の流動制御材料は、同じか又は異なる坪量及び／又は厚さで適用され得る。第１の流動制御材料及び第２の流動制御材料の少なくとも一部分が、吸収性物品の長手方向軸線８０の上に又は長手方向軸線８０に隣接して配設され得る。第１の流動制御材料は、第２の流動制御材料と異なる（又は同じ）パターン、形状、及び／又は被覆面積を備え得る。第１のゾーンＺ１はまた第１の幾何学的処理を含んでもよく、第２のゾーンＺ２はまた第２の幾何学的処理を含んでもよい。第１の流動制御材料は、第１の幾何学的処理と関連付けられてもよく（例えば、その上、その下、その中、その上方に配置される、それと組み合わされて動作する）、第２の流動制御材料は、第２の幾何学的処理と関連付けられてもよい。
【０１５６】
流動制御材料はまた、ａ）吸収性物品のトップシート若しくは液体管理システムのうちの、使用中に身体からの「高圧」にさらされるエリア（例えば、坐骨又は臀部側方）、ｂ）吸収性コアの外周若しくはその付近、ｃ）排泄物が吸収性材料に侵入すると予想される場所若しくはその付近（すなわち、吸収性物品の前方若しくは後方部分（若しくは他の部分）のいずれかに排泄物を導くため）、ｄ）様々なゾーンの外周若しくはその付近、ｅ）横方向軸線若しくはその付近、又はｆ）横方向に延在する分離要素若しくはその付近若しくはその上に配置されてもよい。
【０１５７】
吸収性物品は、少なくとも部分的に液体透過性トップシートと吸収性コアとの間に配置された液体管理システムを含み得る。液体管理システムは第３の流動制御材料を含んでもよく、その第３の流動制御材料は、液体管理システムに適用され、吸収性コアの一部分の上に少なくとも大部分が又はすべてが閉じた外周を形成するように配置されるものである。
【０１５８】
別の例として、吸収性物品が、液体透過性トップシートと、液体不透過性バックシートと、液体管理システムと、少なくとも部分的に液体管理システムと液体不透過性バックシートとの間に配置された吸収性コアとを備え得る。液体管理システムは、少なくとも部分的に液体透過性トップシートと吸収性コアとの間に配置され得る。図２１を参照すると、液体透過性トップシート２４又は液体管理システムは、尿侵入ゾーン５０４及び／又は糞便侵入ゾーン５０６の中、又はそれらを囲んで、又はそれらを少なくとも部分的に囲んで配置された流動制御材料５０２を備え得る。他の場合には、液体透過性トップシート又は液体管理システムは、尿侵入ゾーン５０４の中、又はそれを囲んで、又はそれを少なくとも部分的に囲んで配置された第１の流動制御材料５０２を備え得、また糞便侵入ゾーン５０６の中、又はそれを囲んで、又はそれを少なくとも部分的に囲んで配置された第２の流動制御材料５０２’を備え得る。
【０１５９】
様々なゾーン、又はそれらの１つ以上の部分のうちのいずれかが、本明細書で議論した様々な処理に加えて又はそれに代わって、同じ色、異なる色、及び／又は異なるデルタＥ値の１つ以上の色、色合いを有してもよい。例えば、第１のゾーン又はその１つ以上の部分が第１の色を有してもよく、また第２のゾーン（又は第３若しくは第４のゾーンなど）又はその１つ以上の部分が第２の色を有してもよい。第１の色と第２の色は、同じであっても、異なっていてもよい。特定の場合には、吸収性物品の前側領域におけるゾーンのすべて若しくは一部又はその１つ以上の部分が、吸収性物品の後側領域におけるゾーンのすべて若しくは一部又はその一部分と同じ又は異なる色を有し得る。いくつかの場合には、様々な処理が、同じ又は異なる色を有し得る。色は、様々なゾーン内の材料、処理（例えば化学的処理）、及び／又は層（例えば捕捉層）のいずれかによって又はその上に設けられ得る。
【０１６０】
パッケージ
本開示の吸収性物品は、パッケージの中に入れられ得る。パッケージは、ポリマーフィルム及び／又は他の材料を含み得る。吸収性物品の特性に関する図形及び／又はしるしが、パッケージの外側部分の上に形成、印刷、配置、及び／又は定置され得る。各パッケージは、複数の吸収性物品を含み得る。吸収性物品は、依然としてパッケージごとに適切な量の吸収性物品を提供しながらも、パッケージの大きさを低減するように、圧縮下でパッケージングされ得る。吸収性物品を圧縮下でパッケージングすることで、パッケージの大きさによって配送時の節約が製造業者にもたらされると同時に、介護者がパッケージを容易に取り扱い、格納し得る。
【０１６１】
したがって、本開示の吸収性物品のパッケージは、本明細書に記載するバッグ内積み重ね高さ試験による、指定した範囲及びその中に又はそれによって形成される全範囲内において、すべての０．１ｍｍの増分を具体的に列挙して、約１００ｍｍ未満、約９５ｍｍ未満、約９０ｍｍ未満、約８５ｍｍ未満、約８５ｍｍ未満で約７５ｍｍ超、約８０ｍｍ未満、約７８ｍｍ未満、約７６ｍｍ未満、又は約７４ｍｍ未満のバッグ内積み重ね高さを有し得る。それに代わって、本開示の吸収性物品のパッケージは、本明細書に記載するバッグ内積み重ね高さ試験による、指定した範囲及びその中に又はそれによって形成される全範囲内において、すべての０．１ｍｍの増分を具体的に列挙して、約７０ｍｍ〜約１００ｍｍ、約７０ｍｍ〜約９５ｍｍ、約７２ｍｍ〜約８５ｍｍ、約７２ｍｍ〜約８０ｍｍ、又は約７４ｍｍ〜約７８ｍｍのバッグ内積み重ね高さを有し得る。
【０１６２】
図６９は、複数の吸収性物品１００４を含んだ例示的なパッケージ１０００を示している。パッケージ１０００は、複数の吸収性物品１００４が中に置かれる内部空間１００２を画定している。複数の吸収性物品１００４は、１つ以上の積み重ね体１００６として構成される。
【０１６３】
他の形態学的処理
他の例示的な形態学的処理が、図７０〜７７に示されている。図７０は、複数の３次元突出部１０３２を備えた例示的な形態学的処理を備える基材の一部分の平面図である。図７１は、図７０の基材の一部分の３次元突出部１０３２のうちの１つの底面斜視図である。図７２は、複数の３次元突出部を備えた基材の一部分の背面図である。図７３は、形態学的処理の３次元突出部１０３２の概略的正面斜視図である。図７４は、形態学的処理の３次元突出部１０３２の断面写真である。図７５は、形態学的処理の３次元突出部１０３２の概略的側面図である。図７６は、複数の３次元突出部１０３２’を備えた別の例示的な形態学的処理を備える基材の一部分の背面図である。図７７は、図７６の基材の３次元突出部１０３２’のうちの１つの断面写真である。
【０１６４】
図７０〜７７の形態学的処理は、例えば、トップシートと捕捉層とを備える基材などの基材のもう１つの層に形成され得る。形態学的処理はまた、トップシート、捕捉層、２次トップシート、分配層、又は任意の他の好適な基材など、単一の基材に形成され得る。２つ以上の基材が形態学的処理を用いて互いに組み合わされる場合、その２つ以上の基材は、互いに重なる向かい合わせの関係で配置され得る。図７０〜７７の形態学的処理を含んだ２つ以上の基材は、「積層体」と呼ばれ得る。２つ以上の基材が形態学的処理を用いて組み合わされる場合、それらの基材はまず、接着、接着剤、超音波接着、熱接着、圧力接着、又は当業者に知られている任意の他の好適な接合技法を用いて、少なくとも部分的に接合され得る。互いに接合されている２つ以上の層のうちの１つが、形態学的処理の前に又は形態学的処理によって、幅及び／又は長さにおいて他の層よりも小さくなり得る。例えば、トップシートが捕捉層に接合される場合、捕捉層は、トップシートの幅及び／又は長さと比較して、幅及び／又は長さにおいてより小さくなり得る。
【０１６５】
図７０〜７５を参照すると、１つ又は複数の基材１０２０が、平面を画定し得る。形態学的処理は、その平面から延びる複数の３次元突出部１０３２を含み得る。３次元突出部１０３２は、その平面から上向きに、又はその平面から下向きに延び得る。吸収性物品の状況において、３次元突出部１０３２は、吸収性コアに向かって延びてもよく、又は吸収性コアから離れて延びてもよい。
【０１６６】
概して図７３〜７５を参照すると、３次元突出部１０３２の少なくとも一部又はすべてがそれぞれ、開口部１０４４を形成する基部１０３４を備え得る。３次元突出部１０３２の少なくとも一部又はすべてがまた、遠位部分１０３６（基部１０３４から遠位側）と、基部１０３４と遠位部分１０３６との間に延びる１つ以上の側壁１０３８とを備え得る。遠位部分１０３６は、元の基材と同じ繊維濃度及び密度を有し得、また、細くもならず破断もしていない繊維を有し得る。突出部１０３２の１つ以上の側壁１０３８は、突出部１０３２の側部を少なくとも実質的に囲繞する繊維を備え得る。このことは、突出部１０３２の基部１０３４から突出部の遠位部分１０３６へと（例えばＺ方向に）延びる多数の繊維が存在することを意味する。「実質的に囲繞する」という句は、個々の繊維がＸ−Ｙ平面において突出部１０３２の側部に実質的に又は完全に巻き付けられることを要求するものではない。繊維が突出部の側部を完全に囲んで配置される場合、これは、繊維が突出部１０３２を３６０°囲んで配置されることを意味する。対向する側壁部分の間の少なくとも１つの距離Ａは、開口部１０４４の距離Ｄよりも長くなり得る。また、突出部１０３２の幅は、図７３〜７５に例として示すように、基部１０３４から遠位部分１０３６にかけて変動していてもよい。３次元突出部１０３２は、中空の空隙エリアＶを中に形成し得る。基部１０３４における空隙エリアＶの幅Ｄは、遠位部分１０３６における空隙エリアＶの幅よりも狭くてもよい。
【０１６７】
２つ以上の基材が向かい合う関係で設けられる場合、それらの基材は、３次元突出部１０３２において、互いに入れ子にされるか又は少なくとも部分的に入れ子にされ得る。一例において、トップシートが捕捉層の中へ入れ子にされてもよく、あるいは捕捉層がトップシートの中へ入れ子にされてもよい。同様に、任意の他の２つ以上の基材が、同様の方式で互いに入れ子にされてもよい。２つ以上の基材を有する構造の場合、突出部１０３２内の坪量の分布（繊維の濃度）が、基材間で異なってもよい。ある基材の各部分は、雄型ロール１０６２の突起部（１０６８）によって係合され得、他の基材の各部分は、雌型ロールの凹部（１０７２）の中へ係合され得る（図７８を参照）。雄型ロール１０６２上の突起部１０６８によって係合された基材は、突出部１０３２の遠位部分１０３６において、より大きな面積を有し得る。突起部１０６８によって係合された基材のこれらの遠位部分１０３６はそれぞれ、元の（変形していない）基材と同様の坪量を有し得る。この同じ基材において、突出部１０３２の１つ以上の側壁１０３８及び基部の開口部１０４４付近における坪量は、元の基材の坪量よりも低く、また突出部１０３２の遠位部分１０３６の坪量よりも低くなり得る。雌型ロール（１０６４）の凹部（１０７２）の中に係合された基材は、しかしながら、元の基材と比べて、突出部１０３２の遠位部分１０３６において、著しく低い坪量を有し得る。ここでも、雌型ロール（１０６４）の凹部（１０７２）の中に係合された基材において、突出部１０３２の１つ以上の側壁１０３８は、元の基材よりも低い坪量を、ただし突出部１０３２の遠位部分１０３６よりは高い坪量を有し得る。３次元突出部１０３２の少なくとも一部は、開口部１０４４を形成する各基部１０３４が圧壊後も依然として開放するような制御された方式で圧壊するように構成され得る。例えば、各基部１０３４の幅Ｄは、圧縮パッケージング又は３次元突出部１０３２の圧壊後も、依然として開放され、例えば、０．５ｍｍ以上となり得る。
【０１６８】
図７６及び７７は、代替的な形体の３次元突出部１０３２’を示しており、ここで遠位部分１０３６’は、基部１０３４’に向かって延びるくぼみ１０３７’を含んでいる。この形態はまた、開口部１０４４’を形成する基部１０３４’と、１つ以上の側壁１０３８’とを含んでいる。
【０１６９】
図７８〜８０を参照すると、１つ以上の基材において３次元突出部１０３２を形成するために用いられる機器が示されている。機器１０６０は、一例として図７８に示すように、雄型ロール１０６２と雌型ロール１０６４とを備え得る。図７９は、図７８の円７９の分解図であり、図８０は、図７８の円８０の分解図である。雄型ロール１０６２及び雌型ロール１０６４は、当業者に知られている任意の方法によって回転され得る。ロール１０６２と１０６４は、同じ速度で回転されてもよい。ロール１０６２及び１０６４は、図７８の矢印の方向に回転され得る。雄型ロール１０６２は、表面１０６６と複数の突起部１０６８とを備え、複数の突起部１０６８は、表面１０６６から半径方向外向きに延びている。突起部１０６８は、遠位端部１０６９を備え得る。突起部１０６８は、基材内に所望の３次元突出部１０３２を形成する任意の好適な形状であり得る。雌型ロール１０６４は、表面１０７０と、その表面１０７０に形成された複数の凹部１０７２とを備える。雄型ロール１０６２上の複数の突起部１０６８のパターンは一般に、雌型ロール１０６４上の複数の凹部１０７２のパターンと一致しており、そのため、ロール１０６２及び１０６４が回転するとき、複数の突起部１０６８は、複数の凹部１０７２と係合するようになっている。１つ又は複数の基材Ｓは、図７０〜７５に示す形態学的処理を形成するために、図７８の矢印によって示す方向に、雄型ロール１０６２と雌型ロール１０６４との間に供給される。突起部１０６８は、凹部１０７２に完全に係合してもよく、あ又は凹部１０７２に部分的にのみ係合してもよい（すなわち、突起部１０６８の遠位端部１０６９と凹部１０７２の底面との間に間隙が存在してもよい）。１つ又は複数の基材は、その間隙の中に存在し得る。この間隙を設けることにより、１つ又は複数の基材は、完全には圧縮され得ず、したがって、３次元突出部１０３２上の遠位端部１０６９はより柔軟なものとなる。
【０１７０】
図８１〜９０を参照すると、いくつかの例示的な３次元突出部１０７６が示されている。これらの複数の３次元突出部１０７６は、基材に形態学的処理を共に形成し得る。図８１〜９０の例において、基材は２つの層を備えているが、３つ以上の層を備えてもよい。一例として、第１の層１０７８はトップシートであってもよく、第２の層１０８０は、吸収性物品の捕捉層であってもよい。各層はまた、吸収性物品又は他の製品の他の構成要素であってもよい。図８１〜８５は、基材の平面から第１の方向に外向きに延びる３次元突出部１０７６を示し、図８６〜９０は、基材の平面から第２の方向に外向きに延びる３次元突出部１０７６を示している。吸収性物品の状況において、例えば、第１の方向は、吸収性コアに向かう方向となり得、第２の方向は、吸収性コアから離れる方向となり得る。図８１及び８６は、第１の層１０７８と第２の層１０８０がいずれの層にもいかなる空隙も現れることなく完全に入れ子にされている例を示している。図８２に例として示すように、第１の層１０７８の一部分は、第２の層１０８０に形成された孔を貫いて延び得る。図８７に例として示すように、第２の層１０８０の一部分は、第１の層１０８０に形成された孔を貫いて延び得る。図８３〜８５及び図８８〜９０は、第１の層１０７８及び第２の層１０８０の例を示しており、ここで、これらの層の少なくとも一方は中に空隙１０８２を有している。空隙１０８２は、図７８〜８０に関連して説明した変形によって引き起こされた、基材の各層内の歪みによって生じ得る。第１の層１０７８の空隙１０８２は、第２の層１０８０の空隙１０８２と重ならない。換言すれば、孔は、層１０７８と１０８０の両方を貫いては形成されていない。孔は層１０７８と１０８０の両方を貫いては形成されていないので、図８１〜９０は形態学的処理の例となる。
【０１７１】
孔のパターン
孔のパターンが、１つ以上の基材に設けられ得る。基材は、２層のトップシート、又はトップシートと捕捉材料など、材料の１つ以上の層を含み得る。孔のパターンは、１つ以上のゾーンにあり得る。
【０１７２】
図９１〜９３を参照すると、基材２０００の一部分が示されている。基材２０００は、その中に孔のパターンを画定している。孔のパターンは、第１の孔２００２と第２の孔２００４とを含み得る。第１の孔２００２は、第１の大きさ、形状、及び／又は配向を有し得、第２の孔２００４は、第２の大きさ、形状、及び／又は配向を有し得る。配向とは、孔の主軸又は長手方向軸線を延長する方向を意味する。第１及び第２の大きさ、形状、及び配向のすべてが異なっていてもよく、あるいは、第１及び第２の大きさ、形状、及び配向のうちの少なくとも１つが異なっていてもよい。基材２０００はまた、少なくとも第３の孔２００６を有し得る。少なくとも第３の孔２００６は、第１の孔２００２及び第２の孔２００４と異なるか又は同じである大きさ、形状、及び／又は配向を有し得る。少なくとも第３の孔は、第１の孔２００２又は第２の孔２００４の大きさ、形状、及び配向と異なる、大きさ、形状、及び配向のうちの少なくとも１つを有し得る。基材がどのように作製されたかの機械方向は、図９１〜９３において矢印ＭＤで示されている。
【０１７３】
孔のパターンは、第１の長手方向軸線ＬＡ１を有する第１の孔２００２と、第２の長手方向軸線ＬＡ２を有する第２の孔２００４とを含み得る。第１の長手方向軸線ＬＡ１は第１の方向に延び得、第２の長手方向軸線ＬＡ２は、それとは異なる第２の方向に延び得る。第３の孔２００６は、第３の長手方向軸線ＬＡ３を有し得る。第３の長手方向軸線ＬＡ３は、第１の方向及び第２の方向とは異なる第３の方向に延び得る。
【０１７４】
図９１〜９３に示す孔のパターンは単に、いくつかの好適な孔のパターンの例であるが、多数の他の好適な孔のパターンが本開示の範囲に含まれることは当業者には認識されよう。本開示において好適となり得る、孔のパターンの更なる例が図９４〜９７に示されており、黒い部分が孔２０１０である。図９５〜９７を参照すると、孔のパターンのうちの少なくとも一部の孔は、孔のパターンでマクロパターンを形成し得る（すなわち、図９５〜９７のハート形）。
【０１７５】
孔のパターンを備える基材を作製する方法
本開示の孔のパターンは、概して、１９９７年５月１３日発行の米国特許第５，６２８，０９７号、名称「Ｍｅｔｈｏｄ  ｆｏｒ  Ｓｅｌｅｃｔｉｖｅｌｙ  Ａｐｅｒｔｕｒｉｎｇ  ａ  Ｎｏｎｗｏｖｅｎ  Ｗｅｂ」、及び２００３年１月２０日公開の米国特許公開第２００３／００２１９５１号、名称「Ｈｉｇｈ  Ｅｌｏｎｇａｔｉｏｎ  Ａｐｅｒｔｕｒｅｄ  Ｎｏｎｗｏｖｅｎ  Ｗｅｂ  ａｎｄ  Ｍｅｔｈｏｄ  ｏｆ  Ｍａｋｉｎｇ」に大まかに記述されているプロセスを用いることによって作製され得る。このプロセスについて、以下で更に詳細に説明する。当業者に知られている、孔のパターンを備える基材を製造する他の方法もまた、本開示の範囲に含まれる。
【０１７６】
図９８を参照すると、本開示の孔のパターンを備える基材を形成するための１つのプロセスが、３１００で概略的に示されている。
【０１７７】
まず、前駆体材料３１０２が、出発原料として供給される。前駆体材料３１０２は、個別のウェブ、例えば、バッチ処理用の材料のシート、パッチなどとして供給され得る。商用の処理のために、しかしながら、前駆体材料３１０２は、ロールストックとして供給されてもよく、したがって、有限の幅と無限の長さを有すると見なされてもよい。この状況において、長さは、機械方向（ＭＤ）に測定される。同様に、幅は、横断方向（ＣＤ）に測定される。
【０１７８】
前駆体材料３１０２は、１つ以上の不織布材料（同じか又は異なる）、１つ以上のフィルム（同じか又は異なる）、１つ以上の不織布材料と１つ以上のフィルムとの組み合わせ、若しくは任意の他の好適な材料、又はそれらの組み合わせであってよい。前駆体材料３１０２は、供給業者から購入され、パターン付きの有孔ウェブが形成される場所へ出荷され得るか、あるいは、前駆体材料３１０２は、パターン付きの有孔ウェブが製造されている所と同じ場所で形成され得る。
【０１７９】
前駆体材料３１０２は、延伸性であっても、弾性であっても、非弾性であってもよい。更に、前駆体材料３１０２は、単層材料であっても、多層材料であってもよい。ある場合には、前駆体材料３１０２は、ポリマーフィルムに接合されて積層体を形成し得る。
【０１８０】
前駆体材料３１０２は、単成分、２成分、多成分の配合物、又は１つ以上の熱可塑性ポリマーを含んだ多成分繊維を含んでも、それらから作製されてもよい。一例において、本開示の２成分繊維は、ポリプロピレンコアとポリエチレンシースとから形成されてもよい。様々な繊維は、シース／コア型（sheath/core）、並列型（side-by-side）、島海型（islands in the sea）、又は繊維の他の既知の構成であり得る。繊維は、三葉型、リボン型、毛管チャネル繊維（例えば４ＤＧ）など、丸形であっても、中空であっても、付形されていてもよい。繊維は、マイクロファイバー又はナノファイバーを含み得る。
【０１８１】
前駆体材料３１０２は、供給ロール３１０４が供給ロール３１０４に関連付けられた矢印によって示される方向に回転するときに、供給ロール３１０４から巻出しされ、供給ロール３１０４に関連付けられた矢印によって示される方向に移動し得る。前駆体材料３１０２は、ローラ３１１０と３１１２とによって形成された、弱化ローラ（又はオーバーボンディング）構成３１０８のニップ３１０６を通過し、それによって弱化前駆体材料を形成する。弱化前駆体材料３１０２は、ニップを通過した後、オーバーボンド、又は高密度化及び弱化エリアのパターンを有する。これらのオーバーボンドのうちの少なくとも一部又は全部が、前駆体材料３１０２に孔のパターンを形成するために使用される。したがって、オーバーボンドは、前駆体材料３１０２内に形成される孔のパターンに概ね相関する。
【０１８２】
図９９を参照するが、前駆体材料弱化ローラ構成３１０８は、パターン付きカレンダローラ３１１０と平滑なアンビルローラ３１１２とを備えてもよい。所望の温度（存在する場合）と圧力をもたらして、前駆体材料３１０２を複数の場所３２０２で同時に弱化及び溶融安定化（すなわちオーバーボンディング）させるために、パターン付きカレンダローラ３１１０と平滑なアンビルローラ３１１２の一方又は両方が加熱され得、そしてこれらの２つのローラ間の圧力が既知の技法によって調節され得る。以下で更に詳細に議論するように、前駆体材料３１０２が弱化ローラ構成３１０８を通過した後、前駆体材料３１０２は、横断方向に又は概ね横断方向に、横断方向の引張力によって、延伸されて、複数の弱化溶融安定化位置３２０２を少なくとも部分的に又は完全に破裂させ、それによって、複数の弱化溶融安定化位置３２０２と一致する、少なくとも部分的に形成された複数の孔を前駆体材料３１０２に形成し得る。
【０１８３】
パターン付きカレンダローラ３１１０は、円筒状表面３１１４と、その円筒状表面３１１４から外向きに延びる複数の突出部又はパターン要素３１１６とを有するように構成されている。パターン要素３１１６は、パターン付きカレンダローラ３１１０の簡略化された例として示されているが、本開示の孔のパターンを製作するために使用され得る、より精密なパターン付きカレンダローラについては、後の図に示すことにする。突出部３１１６は、所定のパターンで配設され得、突出部３１１６の各々は、弱化溶融安定化位置３２０２の所定のパターンを前駆体材料３１０２内に実現するために、前駆体材料３１０２の弱化溶融安定化位置に降下するように構成及び配設されている。突出部３１１６は、前駆体材料３１０２内の溶融安定化位置のパターンに対して、１対１の対応を有し得る。図９９に示すように、パターン付きカレンダロール３１１０は、表面３１１４の外周全体の周りに延びる突出部３１１６の繰り返しパターンを有し得る。あるいは、突出部３１１６は、表面３１１４の１つ又は複数の部分の外周の周りに延びていてもよい。また、単一のパターン付きカレンダローラが、様々なゾーンに複数のパターンを有してもよい（すなわち、第１のゾーンに第１のパターン、第２のゾーンに第２のパターン）。
【０１８４】
本開示の孔のパターンを製作するために、図９８のプロセス３１００においてパターン付きカレンダローラ３１１０として使用され得る例示的なローラのいくつかの写真が、図１００〜１０２に示されている。図１００、１０１、及び１０２におけるローラ上の突出部３１１６のパターンは、図９９の溶融安定化位置３２０２と同様に、前駆体ウェブ３１０２に形成される。前駆体材料３１０２を横断方向に引っ張った後に様々なロールから製作された孔のパターンがそれぞれ、図１０３、１０４、及び１０５に示されており、各孔は要素３２０４として示され、ランドエリア（すなわち、非穿孔エリア）は要素３２０５として示されている。図１０３、１０４、及び１０５で分かるように、孔３２０４及び／又は孔配列が、ウェブ３１０２に形成されている。図１０３、１０４、及び１０５におけるランドエリア３２０５は、前駆体材料３１０２内の、溶融安定化又はオーバーボンディングされていないエリアに対応する。換言すれば、ランドエリアは、ローラ３１１０上の突出部に接触していない。
【０１８５】
突出部３１１６は、表面３１１４から半径方向外向きに延び、遠位端部表面３１１７を有し得る。アンビルローラ３１１２は、鋼、ゴム又は他の材料の、平滑な表面をなす円筒であり得る。アンビルローラ３１１２とパターン付きカレンダローラ３１１０は、配置を変更されて（すなわちアンビルを上にして）同じ結果を達成し得る。
【０１８６】
弱化ローラ構成３１０８から、材料３１０２は、対向する圧力付与装置を用いた漸増延伸システム３１３２によって形成されたニップ３１３０を通過するが、それらの対向する圧力付与装置は、少なくともある程度は互いに相補的であり得る３次元表面を有する。
【０１８７】
ここで図１０６を参照すると、２つの漸増延伸ローラ３１３４及び３１３６を備える漸増延伸システム３１３２の部分拡大図を示している。漸増延伸ローラ３１３４は、ローラ３１３４の円周全体に延びてもよい複数の歯３１６０と、対応する溝３１６１とを備え得る。漸増延伸ローラ３１３６は、複数の歯３１６２と、対応する複数の溝１６１とを備え得る。ローラ３１３４上の歯３１６０は、ローラ３１３６上の溝３１６３と噛み合うか又は係合し、ローラ３１３６上の歯３１６２は、ローラ３１３４上の溝３１６１と噛み合うか又は係合し得る。弱化溶融安定化位置３２０２を有する前駆体材料３１０２が漸増延伸システム３１３２を通過するとき、前駆体材料３１０２は、ＣＤにおける引っ張りにさらされて、材料３１０２はＣＤに又は概ねＣＤに伸張（又は活性化）されることになる。加えて、材料１０２は、ＭＤにおいて、又は概ねＭＤにおいて引っ張られ得る。材料３１０２にかかるＣＤ引張力は、弱化溶融安定化位置３２０２を少なくとも部分的に又は完全に破裂させ、それによって、材料３１０２内の弱化溶融安定化位置３２０２と一致する複数の部分的に形成された、又は形成された孔３２０４を作製するように調整される。しかしながら、材料３１０２の接着部は（オーバーボンディングされていないエリアにおいて）、引っ張りの間も破裂しないように十分に強固であり、したがって、弱化溶融安定化位置が破裂するときにも、材料３１０２はまとまった状態に維持される。しかしながら、引っ張りの間に接着部の一部を破裂させることが望ましくなり得る。
【０１８８】
図１０７を参照すると、ローラ３１３４及び３１３６上の歯３１６０及び３１６２と溝３１６１及び３１６３のより詳細な図が示されている。用語「ピッチ」は、隣接する歯の頂点間の距離を指す。ピッチは、上記で指定した範囲及びその中に又はそれによって形成される全範囲内において、すべての０．０２５ｍｍ（０．００１インチ）の増分を具体的に列挙して、約０．５１ｍｍ〜約７．６２ｍｍ（約０．０２インチ〜約０．３インチ）であってもよく、又は約１．２７ｍｍ〜約３．８１ｍｍ（約０．０５インチ及び約０．１５インチ）であってもよい。歯の高さ（又は深さ）は、歯の底部から歯の頂点にかけて測定されるものであり、全ての歯について等しくてもよく、等しくなくてもよい。歯の高さは、上記で指定した範囲及びその中に又はそれによって形成される全範囲内において、すべての０．０３センチメートル（０．００１インチ）の増分を具体的に列挙して、約０．２５４ｍｍ（約０．０１０インチ）〜約２２．９ｍｍ（約０．９０インチ）であってもよく、又は約０．６３５ｍｍ（約０．０２５インチ）〜約１２．７ｍｍ（約０．５０インチ）であってもよい。一方のロールの歯３１６０は、もう一方のロールの歯３１６２から、ピッチの約２分の１だけずれており、そのため、一方のロールの歯（例えば歯３１６０）は、噛み合うロールにおいて歯の間の谷（例えば溝３１６３）に噛み合う。このずれにより、ロールが互いに対して「係合されている」か又は噛み合いの作動位置にあるとき、２つのロールの噛み合いが可能になる。それぞれのロールの歯は、場合によっては部分的にのみ噛み合い得る。対向するロール上の歯が噛み合う程度は、本明細書では、歯の「係合深さ」又は「ＤＯＥ」と呼ばれる。ＤＯＥは、一定であっても、一定でなくてもよい。図１０７に示すように、「Ｅ」で示されるＤＯＥは、対応するロール上の歯の頂点が同一面内にある（係合０％）平面Ｐ１によって示される位置と、一方のロールの歯の頂点が対向するロール上の溝に向かって平面Ｐ１を越えて内向きに延びる、平面Ｐ２によって示される位置との間の距離である。特定の積層体ウェブのための最適な又は効果的なＤＯＥは、歯の高さ及びピッチ並びに／又は材料の構造に依存し得る。いくつかの例示的なＤＯＥは、上記で指定した範囲及びその中に又はそれによって形成される全範囲内において、すべての０．０２５ｍｍ（０．００１インチ）の増分を具体的に列挙して、約０．２５ｍｍ〜約１３ｍｍ（約０．０１インチ〜０．５インチ）、約０．７６ｍｍ〜約５．１ｍｍ（約０．０３インチ〜約０．２インチ）、約１．０２ｍｍ〜約２．０３ｍｍ（約０．０４インチ〜約０．０８インチ）、約１．２７ｍｍ（約０．０５インチ）、又は約１．５２ｍｍ（約０．０６インチ）の範囲内にあり得る。
【０１８９】
弱化溶融安定化位置３２０２を有する材料３１０２が漸増ウェブ延伸装置３１３２を通過するとき、材料３１０２は、横断方向において又は実質的に横断方向において引っ張りにさらされ、それによって、不織布ウェブ３１０２が横断方向に伸張されることになる。材料３１０２にかかる引張力は、漸増的な延伸が、弱化溶融安定化位置３２０２を少なくとも部分的に又は完全に破裂させるのに十分となり、弱化溶融安定化位置３２０２と一致する複数の孔３２０４が材料３１０２に形成される又は少なくとも部分的に形成されるように、ピッチ、ＤＯＥ、又は歯の大きさを変更することによって調整され得る。
【０１９０】
材料３１０２が漸増ウェブ延伸装置３１３２を通過した後、ウェブ３１０２は、横断方向引張装置３１３２’（例えば図９８及び１０８を参照）へと、また少なくとも部分的に機械方向引張３１３２’の周りに前進され得る。横断方向引張装置３１３２’は、例えば、ウェブを部分的に２つのアイドラ３１３３及び３１３５又は固定バーの周りに流すことによって、主たる処理ラインからずらされ得る。他の場合には、横断方向引張装置３１３２’は、主たる処理ラインと一直線をなして配置され得る。横断方向引張装置３１３２’は、少なくとも１つの外側長手部分を備えるロールを備え得、その外側長手部分は、材料３１０２を横断方向に延伸及び／又は引き伸ばしするために、ロールの中央部分に対して、ロールの長手方向軸線Ａに沿って伸びる。ロールの長手方向軸線Ａに沿って伸びることに代わって又はそれに加えて、外側長手部分は、材料３１０２を横断方向に又は概ね横断方向に延伸させるために、ロールの上で前進されている材料３１０２から離れる方向に、ロールの長手方向軸線Ａに対して斜行していてもよい。ある場合には、ロールは、ロールの長手方向軸線Ａに概ね沿って各々が反対方向に伸び得る、２つの外側長手部分を備え得る。２つの外側部分は共に、ロールの上で前進されている材料３１０２から離れる方向に、下向きに斜行し得る。ロールの外側長手部分のこのような動き又は位置調整により、材料３１０２を概ね横断方向に引っ張ることができ、それにより、複数の弱化位置３２０２は、破裂されかつ／又は孔３２０４へと更に画定若しくは変形されることになる。
【０１９１】
ロールの外側長手部分は、１つ又は複数の外側長手部分がロールの中央部分に対して移動する間、材料３１０２をロールの外側長手部分に押さえ付けるために、真空、粘着性の低い接着剤、ゴムなどの高摩擦係数の材料若しくは表面、並びに／又は他の機構及び／若しくは材料を含み得る。その真空、粘着性の低い接着剤、高摩擦係数の材料若しくは表面、並びに／又は他の機構及び／若しくは材料は、材料の外側長手部分が横断方向に又は概ね横断方向に延伸する間、材料３１０２のうちの押さえ付けられた部分が、ロールの長手方向軸線Ａに対して滑ることを防止するか又は少なくとも抑制し得る。
【０１９２】
図１０８は、例示的な横断方向引張装置３１３２’の上面斜視図である。横断方向引張装置３１３２’は、中央部分５０００と、その中央部分５０００のいずれかの端部に位置する２つの外側長手部分５０２０とを備えたロールを備え得る。ロールは、駆動シャフト５０４０を中心として長手方向軸線Ａの周りに回転し得る。ロールは、当業者には理解されるように、駆動シャフト５０４０に対して又は駆動シャフト５０４０と一体となって回転し得る。材料３１０２は、中央部分５０００の横断方向幅全体と、外側長手部分５０２０の横断方向幅の少なくとも一部分にわたって前進され得る。材料３１０２は、横断方向の延伸が実施され得るように、ロールの周囲の少なくとも約５％から最大で約８０％にわたって前進され得る。
【０１９３】
図１０９は、外側長手部分５０２０が中央部分５０００に対して非引き伸ばし又は非傾斜位置にある、例示的な横断方向引張装置の正面図の略図である。図１１０は、外側長手部分５０２０が中央部分５０００に対して長手方向に引き伸ばされた位置にある、図１０９の横断方向引張装置の正面図の略図である。図１１１は、外側長手部分５０２０が中央部分５０００に対して傾斜及び引き伸ばし位置にある、図１０９の横断方向引張装置の正面図の略図である。図１１１に関して言えば、外側長手部分５０２０は、横断方向引張力を材料３１０２に加えるために、ロールの上を通る材料の機械方向に対して概ね垂直な方向に単に移動又はスライドし得る。図１１２は、横断方向引張力を材料３１０２に加えるために、外側長手部分５０２０が中央部分５０００に対して傾斜位置に固定された、横断方向引張装置の正面図の略図である。そのような形態において、中央部分５０００と、外側長手部分５０２０の各々は、別のロールを備え得る。
【０１９４】
外側長手部分５０２０の一方又は両方が、中央部分５０００に対して移動、スライド、固定、及び／又は引き伸ばしされるかどうかに関わらず、外側長手部分５０２０と中央部分５０００との間のこの相対的な動き又は位置調整により、材料３１０２が横断方向に延伸されて、弱化位置５０２０が更に破裂されるか又は材料３１０２に更に画定され、また、複数の孔５０４０が材料３１０２に作製されるか又は更に形成される。横断方向引張装置３１３２’によって加えられる横断方向引張力は、例えば、０．１〜０．２５ニュートン（１０〜２５グラム）又は０．１５ニュートン（１５グラム）であり得る。ある場合には、横断方向引張装置は、横断方向引張力を加えるための漸増延伸装置３１３２と類似していても、同じであってもよい。更に他の例において、横断方向引張力を材料３１０２に加えるために、任意の好適な横断方向引張装置が使用されてよい。
【０１９５】
望まれる場合、本明細書で説明する漸増延伸工程又は横断方向延伸工程は、高温で実施されてもよい。例えば、材料３１０２及び／又はロールは、加熱されてもよい。延伸工程において加熱を利用することは、材料を軟化させるように働き得、また繊維を破断なく伸張するのに役立ち得る。
【０１９６】
再び図９８を参照すると、布材料３１０２は、巻き取りロール３１８０に巻き取られて保管されてもよい。それに代わって、材料３１０２は、吸収性物品又は他の消費者製品の一部分を形成するために材料３１０２が使用される生産ラインに直接、供給されてもよい。
【０１９７】
図９８及び９９に示すオーバーボンディング工程は、材料の供給業者によって実施されてもよく、次いで材料は、工程３１３２を実施するために消費者製品の製造業者に出荷されてもよいことに留意することが重要である。実際に、オーバーボンディング工程は、オーバーボンドを形成するために、不織布生産プロセスにおいて用いられてもよく、オーバーボンドは、不織布生産プロセスにおいて形成される一次ボンドに加えられても、それに代わってもよい。それに代わって、材料の供給業者は、図９８に示す工程を完全に実施してもよく、次いで材料が、消費者製品の製造業者に出荷されてもよい。消費者製品の製造業者はまた、不織布材料の製造業者から不織布材料を入手した後に、図９８の工程のすべてを実施してもよい。
【０１９８】
最終製品の様々な所望の特徴に応じて材料３１０２に複数の漸増延伸プロセスを受けさせることが有利となり得ることが、当業者には認識されよう。第１の漸増伸長と任意の更なる漸増延伸はいずれも、オンラインで行われても、オフラインでも行われてもよい。更に、漸増延伸は、望まれる最終的な特徴に応じて、材料の面積全体にわたって行われても、材料の特定の領域においてのみ行われてもよいことが、当業者には認識されよう。
【０１９９】
ここで図１０３〜１０５に戻ると、漸増延伸システム３１３２及び横断方向引張装置３１３２’によって加えられる引張力に基材がさらされた後の、基材内の例示的な孔のパターンの写真が示されている。図１０３〜１０５の写真で分かるように、パターン付き有孔ウェブはここでは複数の孔３２０４を含んでおり、これらの孔３２０４は、それぞれロール１００〜１０２によって作られた、弱化溶融安定化位置と一致する。基材はまた、ランドエリア３２０５を含み得る。孔３２０４の外周縁部の一部分は、溶融安定化位置の残部を含み得る。これらの残部は、特に材料が吸収性物品又は別の消費者製品の一部分として使用されるときに、材料の更なる引き裂きを阻むのに役立つと考えられている。
【０２００】
ＣＤ延伸の％
材料３１０２がＣＤに延伸される程度は、孔の大きさ、形状、及び面積との相関性を有し得る。一般に、材料３１０２が横断方向引張装置３１３２’によってＣＤ方向に延伸されればされるほど、孔は、より大きな面積を有し、より開口し得る。したがって、製造業者は、材料における溶融安定化パターンが同じである場合でも、材料に加えられるＣＤ引張力の大きさに基づいて、孔パターンを更に変更し得る。一例として、図１１３は、漸増延伸工程３１３２及び横断方向引張工程３１３２前の、材料３１０２におけるオーバーボンドパターンを示している。複数の溶融安定化位置が、３２０２として示されている。材料は次いで、漸増延伸工程３１３２及び横断方向引張装置３１３２’に通される。横断方向引張装置３１３２’は、材料３１０２を、漸増延伸装置３１３２から抜け出した後にＷの１２５％、１３５％、１４５％、１５５％など、そのＣＤ幅「Ｗ」の１００％超に伸張するように設定され得る。他の場合には、材料３１０２は、指定した範囲及びその中に又はそれによって形成される全範囲内において、すべての０．５％の増分を具体的に列挙して、Ｗの約１１０％〜約１８０％、Ｗの約１２０％〜約１７０％の範囲で横断方向に延伸され得る。図１１４は、図１１３のオーバーボンドパターンを有し、Ｗの１２５％に延伸された材料３１０２の例を示している。図１１５は、図１１３のオーバーボンドパターンを有し、Ｗの１３５％に延伸された材料３１０２の例を示している。図１１６は、図１１３のオーバーボンドパターンを有し、Ｗの１４５％に延伸された材料３１０２の例を示している。図１１７は、図１１３のオーバーボンドパターンを有し、Ｗの１５５％に延伸された材料３１０２の例を示している。図示のように、ＣＤ延伸の量は、製作される孔のパターンに対する重大な要素となり得る。
【０２０１】
ゾーン
図１１８〜１２２は、おむつ、成人用失禁製品、及び／又は生理用ナプキンなどの吸収性物品の着用者対向表面の一部分を表し得る。各ゾーンはまた、吸収性物品の外側カバーの一部分を表し得る。
【０２０２】
図１１８は、２つのゾーンを有する基材の例を示している。第１のゾーン４０００は、第２のゾーン４００２の２つの部分の間に配置されている。これらのゾーンは、互いに部分的に重なり、接合若しくは結合される３つの別々の材料片として設けられてもよく、又は一片の材料として設けられてもよい。第１のゾーン４０００は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４００２は、図７０〜７７及び図８１〜９０に関連して上記で説明したように、複数の３次元突出部を備え得る。３次元突出部は、紙面から上向きに延びても、紙面へと下向きに延びてもよい。
【０２０３】
別の場合において、依然として図１１８を参照すると、第２のゾーン４００２は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０００は、図７０〜７７及び図８１〜９０に関連して上記で説明したように、複数の３次元突出部を備え得る。３次元突出部は、紙面から上向きに延びても、紙面へと下向きに延びてもよい。
【０２０４】
図１１９は、３つのゾーンを有する基材の例を示している。前部Ｆは、吸収性物品の前部に配置されても、吸収性物品の後部に配置されてもよい。後部Ｂは、吸収性物品の前部に配置されても、吸収性物品の後部に配置されてもよい。第１のゾーン４００４と第２のゾーン４００６が、第３のゾーン４００８の２つの部分の間に配置され得る。ゾーン４００４、４００６、及び４００８は、互いに部分的に重なり、接合若しくは結合される別々の材料片として設けられてもよく、又は１つの材料片として設けられてもよい。ある場合には、第１のゾーン４００４及び第２のゾーン４００６は、１つの材料として設けられても、互いに部分的に重なり、接合又は結合される２つの材料片として設けられてもよい。
【０２０５】
第１のゾーン４００４は、図７０〜７７及び図８１〜９０に関連して上記で説明したように、複数の３次元突出部を備え得る。３次元突出部は、紙面から上向きに延びても、紙面へと下向きに延びてもよい。第２のゾーン４００６は、図７０〜７７及び図８１〜９０に関連して上記で説明したように、複数の３次元突出部を備え得る。３次元突出部は、紙面から上向きに延びても、紙面へと下向きに延びてもよい。第２のゾーン４００６は、第１のゾーン４００４のパターン、形状、大きさ、及び／又は配向と比較して、異なる又は同じパターン、形状、大きさ、及び／又は配向の３次元突出部を有し得る。第３のゾーン４００８は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。実質的に横方向に延在する分離要素４０１０が、第１のゾーン４００４と第２のゾーン４００６との交線同士の間に延びていてもよい。
【０２０６】
別の場合において、依然として図１１９を参照すると、第１のゾーン４００４は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４００６は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４００６は、第１のゾーン４００４と同じ孔のパターンを有しても、異なる孔のパターンを有してもよい。第３のゾーン４００８は、図７０〜７７及び図８１〜９０に関連して上記で説明したように、複数の３次元突出部を備え得る。３次元突出部は、紙面から上向きに延びても、紙面へと下向きに延びてもよい。実質的に横方向に延在する分離要素４０１０が、第１のゾーン４００４と第２のゾーン４００６との交線同士の間に延びていてもよい。
【０２０７】
図１２０は、第１のゾーン４０１２と第２のゾーン４０１４とを有する基材の例を示している。前部Ｆは、吸収性物品の前部に配置されても、吸収性物品の後部に配置されてもよい。後部Ｂは、吸収性物品の前部に配置されても、吸収性物品の後部に配置されてもよい。ゾーン４０１２及び４０１４は、互いに部分的に重なり、接合若しくは結合される２つの別々の材料片として設けられてもよく、又は１つの材料片として設けられてもよい。第１のゾーン４０１２は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４０１４は、図７０〜７７及び図８１〜９０に関連して上記で説明したように、複数の３次元突出部を備え得る。３次元突出部は、紙面から上向きに延びても、紙面へと下向きに延びてもよい。実質的に横方向に延在する分離要素４０１０が、第１のゾーン４０１２と第２のゾーン４０１４との交線同士の間に延びていてもよい。
【０２０８】
別の場合において、依然として図１２０を参照すると、第２のゾーン４０１４は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０１２は、図７０〜７７及び図８１〜９０に関連して上記で説明したように、複数の３次元突出部を備え得る。３次元突出部は、紙面から上向きに延びても、紙面へと下向きに延びてもよい。実質的に横方向に延在する分離要素４０１０が、第１のゾーン４０１２と第２のゾーン４０１４との交線同士の間に延びていてもよい。
【０２０９】
図１２１は、第１のゾーン４０１６と第２のゾーン４０１８とを有する基材の例を示している。前部Ｆは、吸収性物品の前部に配置されても、吸収性物品の後部に配置されてもよい。後部Ｂは、吸収性物品の前部に配置されても、吸収性物品の後部に配置されてもよい。ゾーン４０１６及び４０１８は、互いに部分的に重なり、接合若しくは結合される２つの別々の材料片として設けられてもよく、又は１つの材料片として設けられてもよい。第２のゾーン４０１８は、第１のゾーン４０１６を少なくとも部分的に囲繞しても、完全に囲繞してもよい。
【０２１０】
依然として図１２１を参照すると、第１のゾーン４０１６は、図７０〜７７及び図８１〜９０に関連して上記で説明したように、複数の３次元突出部を備え得る。３次元突出部は、紙面から上向きに延びても、紙面へと下向きに延びてもよい。第２のゾーン４０１８は、図７０〜７７及び図８１〜９０に関連して上記で説明したように、複数の３次元突出部を備え得る。３次元突出部は、紙面から上向きに延びても、紙面へと下向きに延びてもよい。第２のゾーン４０１８は、第１のゾーン４０１６のパターン、形状、大きさ、及び／又は配向と比較して、異なる又は同じパターン、形状、大きさ、及び／又は配向の３次元突出部を有し得る。
【０２１１】
別の場合において、依然として図１２１を参照すると、第１のゾーン４０１６は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４０１８は、図７０〜７７及び図８１〜９０に関連して上記で説明したように、複数の３次元突出部を備え得る。３次元突出部は、紙面から上向きに延びても、紙面へと下向きに延びてもよい。
【０２１２】
更に別の場合において、依然として図１２１を参照すると、第２のゾーン４０１８は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０１６は、図７０〜７７及び図８１〜９０に関連して上記で説明したように、複数の３次元突出部を備え得る。３次元突出部は、紙面から上向きに延びても、紙面へと下向きに延びてもよい。
【０２１３】
別の場合において、依然として図１２１を参照すると、第１のゾーン４０１６は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４０１８は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０１６の孔のパターンと第２のゾーン４０１８の孔のパターンは、異なっていても、同じであってもよい。
【０２１４】
図１２２は、第１のゾーン４０２０と第２のゾーン４０２２とを有する基材の例を示している。前部Ｆは、吸収性物品の前部に配置されても、吸収性物品の後部に配置されてもよい。後部Ｂは、吸収性物品の前部に配置されても、吸収性物品の後部に配置されてもよい。ゾーン４０２０及び４０２２は、互いに部分的に重なり、接合若しくは結合される２つの別々の材料片として設けられてもよく、又は１つの材料片として設けられてもよい。第２のゾーン４０２２は、第１のゾーン４０２０を少なくとも部分的に囲繞しても、完全に囲繞してもよい。
【０２１５】
依然として図１２２を参照すると、第１のゾーン４０２０は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４０２２は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０２０の孔のパターンと第２のゾーン４０２２の孔のパターンは、異なっていても、同じであってもよい。
【０２１６】
依然として図１２２を参照すると、第１のゾーン４０２０は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第２のゾーン４０２２は、図７０〜７７及び図８１〜９０に関連して上記で説明したように、複数の３次元突出部を備え得る。３次元突出部は、紙面から上向きに延びても、紙面へと下向きに延びてもよい。
【０２１７】
依然として図１２２を参照すると、第２のゾーン４０２２は、孔のパターンを備え得、その孔のパターンのうちの少なくとも２つの孔は、異なる大きさ、形状、及び／又は配向を有している。孔のパターンは、本明細書で説明する様々なパターンのうちのいずれか又は他の好適なパターンであり得る。第１のゾーン４０２０は、図７０〜７７及び図８１〜９０に関連して上記で説明したように、複数の３次元突出部を備え得る。３次元突出部は、紙面から上向きに延びても、紙面へと下向きに延びてもよい。
【０２１８】
依然として図１２２を参照すると、第１のゾーン４０２０は、図７０〜７７及び図８１〜９０に関連して上記で説明したように、複数の３次元突出部を備え得る。３次元突出部は、紙面から上向きに延びても、紙面へと下向きに延びてもよい。第２のゾーン４０２２は、図７０〜７７及び図８１〜９０に関連して上記で説明したように、複数の３次元突出部を備え得る。３次元突出部は、紙面から上向きに延びても、紙面へと下向きに延びてもよい。第２のゾーン４０２２は、第１のゾーン４０２０のパターン、形状、大きさ、及び／又は配向と比較して、異なる又は同じパターン、形状、大きさ、及び／又は配向の３次元突出部を有し得る。
【０２１９】
この「ゾーン」の節で説明したゾーンのうちのいずれかが、１つ以上の化学的処理を含み得る。１つ以上の化学的処理はまた、この節で説明したゾーンのうちのいずれかを囲繞してもよい。本明細書で形態学的処理と共に説明したゾーンはまた、更なる形態学的処理を含み得る。
【０２２０】
この節で説明したゾーン特性を有する着用者対向表面の一部分を備える吸収性物品は、少なくともトップシートを、時には捕捉層とトップシートとを備え得る。
【０２２１】
吸収性物品はまた（上述のように）、
バックシートと、
少なくとも部分的にトップシートとバックシートとの間に配置された吸収性コアと、
少なくとも部分的にトップシートと吸収性コアとの間に配置された捕捉層と、
少なくとも部分的に捕捉層と吸収性コアとの間又は吸収性コアとバックシートとの間の分配層（任意選択）と、
実質的に横方向に延在する分離要素とを備え得る。
【０２２２】
吸収性コアは、吸収性材料の少なくとも８５重量％、少なくとも９０重量％、少なくとも９５重量％、少なくとも９９重量％（又は本明細書で指定される他の範囲）の超吸収性ポリマーを含み得る。吸収性コアは、上述のように、１つ以上のチャネルを備え得る。
【０２２３】
分配層及び／又は捕捉層は、上述のように、１つ以上のチャネルを備え得る。様々な構成要素（すなわち、捕捉層、分配層、及び吸収性コア）のチャネルのすべて又はいずれもが、互いに少なくとも重なっても、重ならなくてもよく、あるいは互いに完全に重なっても、重ならなくてもよい。この「ゾーン」の節で説明した様々なゾーンは、様々な構成要素のチャネルのうちのいくつかと完全に重なっても、完全に重ならなくても、部分的に重なっても、部分的に重ならなくてもよい。
【０２２４】
試験方法
試験前に２時間掛けて約２３℃±２℃及び約５０％±２％の相対湿度で、すべての試料を調整する。
【０２２５】
孔試験
孔寸法、有効孔面積、及び％有効開口面積の測定を、反射モードにおいて６４００ｄｐｉの解像度及び８ビットグレースケールでスキャン可能なフラットベッドスキャナを使用して、生成された画像上で実施する（好適なスキャナは、Ｅｐｓｏｎ  Ｐｅｒｆｅｃｔｉｏｎ  Ｖ７５０  Ｐｒｏ（Ｅｐｓｏｎ、ＵＳＡ）である）。分析は、ＩｍａｇｅＪ  ｓｏｆｔｗａｒｅ（Ｎａｔｉｏｎａｌ  Ｉｎｓｔｉｔｕｔｅｓ  ｏｆ  Ｈｅａｌｔｈ（ＵＳＡ）のｖ．ｓ．１．４６）を使用して実施し、ＮＩＳＴによって認定された定規に対して較正される。試料を取り付けるために鋼製フレーム（１００ｍｍ２、１．５ｍｍ厚、６０ｍｍ２開口部付き）を使用し、黒のガラスタイル（ＨｕｎｔｅｒＬａｂ（Ｒｅｓｔｏｎ、ＶＡ）から販売されるＰ／Ｎ  １１−００５０−３０）を走査画像の背景として使用する。
【０２２６】
鋼製フレームを取って、内部開口を取り囲む底面上に両面接着テープを貼る。試料を取得するために、着用者対向表面を上向きにして吸収性物品を作業台上に平らに置く。テープの剥離紙を取り去り、吸収性物品のトップシートに鋼製フレームを付着させる。かみそりの刃を用いて、フレームの外周部の周りの吸収性物品の下層からトップシートを切り取る。縦方向及び横方向の拡張部が維持されるように、試料を丁寧に取り去る。低温スプレー（Ｃｙｔｏ−Ｆｒｅｅｚｅ（Ｃｏｎｔｒｏｌ  Ｃｏｍｐａｎｙ（Ｈｏｕｓｔｏｎ  ＴＸ）など）を使用して、必要であれば、トップシート試料を下層から取り出すことができる。５つの実質的に同様の吸収性物品から取得された５つの複製試験片を、分析に備えて準備する。
【０２２７】
定規を走査装置ベッドに置き、蓋を閉じて、６４００ｄｐｉの解像度及び８ビットグレースケールにて反射率モードで定規の５０ｍｍ×５０ｍｍの較正画像を取得する。画像を、非圧縮のＴＩＦＦ書式ファイルとして保存する。蓋を持ち上げて、定規を取り除く。較正画像を取得した後、全ての試料を同じ条件下で走査して、同じ較正ファイルに基づいて測定する。次に、試料の着用者対向表面を走査装置のガラス面に対向した状態で、フレーム付きの試料を走査装置ベッドのセンター上に置く。黒のガラスタイルを、試料を覆うフレーム上に置き、蓋を閉じて、走査画像を取得する。同様に、残りの４つの複製試験片を走査する。
【０２２８】
ＩｍａｇｅＪ内の較正ファイルを開き、画像化した定規を使用して、較正がその後の試料に適用されるようにスケールをＧｌｏｂａｌに設定したまま、線形較正を行う。ＩｍａｇｅＪ内の試料画像を開く。ヒストグラムを見て、孔の暗画素ピークと不織布のより明るい画像ピークとの間に位置する最小母集団のグレーレベル値を特定する。画像の閾値を最小グレーレベル値に設定して２値画像を生成する。処理した画像では、孔は黒く、不織布は白く見える。
【０２２９】
分析粒子機能を選択する。最小孔面積排除限界を０．３ｍｍ２に、かつ、分析のために、縁部孔を除外するように設定する。有効孔面積、外周部、ｆｅｒｅｔ（孔の長さ）及び最小ｆｅｒｅｔ（孔の幅）を計算するように、ソフトウェアを設定する。平均有効孔面積を最も近い０．０１ｍｍ２単位まで、平均外周部を最も近い０．０１ｍｍ単位まで記録する。再度分析粒子機能を選択するが、有効孔面積を計算するときに、縁部穴を含む分析を設定する。有効孔面積（全部及び部分の孔を含む）を合計して、画像内に含まれた総面積（２５００ｍｍ２）で割る。％有効開口面積を０．０１％の単位まで記録する。
【０２３０】
同様に、残りの４つの試料画像を分析する。５つの複製試験片について、平均有効孔面積を０．０１ｍｍ２の単位まで、平均孔外周部を０．０１ｍｍの単位まで、ｆｅｒｅｔ及び最小ｆｅｒｅｔを０．０１ｍｍの単位まで、そして％有効開口面積を０．０１％の単位まで計算及び報告する。
【０２３１】
流動制御材料の外方伸張の方法／流動制御材料の侵入深さの方法
実験の設定
別段の指示がない限り、本明細書に示された値は、本明細書で以下に示される方法に従って測定されたものである。別段の指示がない限り、全ての測定は、２１℃±２℃及び５０％±２０％  ＲＨで実施される。別段の指定がない限り、この試験を実施する前に、すべての試料は少なくとも２４時間、これらの状態に保たれて平衡化されるべきである。別段の指定がない限り、全ての測定は、少なくとも４つの試料で再現されているはずであり、得られた平均値が示される。
【０２３２】
装置
・かみそりの刃：ＶＷＲ  Ｓｉｎｇｌｅ  Ｅｄｇｅ  Ｉｎｄｕｓｔｒｉａｌ、０．２ｍｍ（０．００９インチ）厚の手術用炭素鋼又はその等価物。
・ＳＥＭ（Ｈｉｔａｃｈｉ  Ｓ３５００Ｎ又はその等価物）
【０２３３】
手順
液体透過性トップシートが流動制御材料を含んでいるエリアにおいて、長さ１．５ｃｍ〜３ｃｍ、幅１．３ｃｍのエリアを吸収性物品から切り取る。流動制御材料を含んだこの副試料を、新たなかみそりの刃（ＶＷＲ  Ｓｉｎｇｌｅ  Ｅｄｇｅ  Ｉｎｄｕｓｔｒｉａｌ、０．２ｍｍ（０．００９インチ）厚の手術用炭素鋼又はその等価物）を使用して、長さ方向に沿って区分する。トップシートが突出した又は反転した要素を含む場合、その横断面が、流動制御材料を含むエリアにおいて、これらの機構の中央を横断して作られるべきである。ＳＥＭステージが後ろ向きに９０°傾斜されたときに横断面が現れるように、断面のトップシートの着用者対向表面を上にし、断面された縁部をマウント縁部に置いて、両面導電性テープを使用して、区分された副試料をＳＥＭマウントに付着させる。装着した試料を、金でスパッタコーティングし、ＳＥＭ（Ｈｉｔａｃｈｉ  Ｓ３５００Ｎ又はその等価物）で観察する。一部の流動制御材料を可視化するのを支援するために、四酸化オスミウム（ＯｓＯ４）又はヨウ素蒸気染色を用いることが有利となり得る。これらが用いられる場合、試料の導電性を増大させるための金スパッタコーティングは必要でないこともある。
【０２３４】
ＰＣＩ  ｖ４．２画像解析ソフトウェア（又はその等価物）における手動ラインツールを用いて、横断面画像から次の測定を行うべきである。
（１）流動制御材料の外方伸張の方法は、流動制御材料が横断面画像内で（ｚ方向に着用者から離れて）観測される最下点と、流動制御材料が適用されていない、トップシートの着用者対向表面上の最近点との間のｚ方向距離を測定することによって決定される。トップシートシステムが平面的である場合は３つのエリアを測定し、ライン長さを平均化するべきである。トップシートが突出部及び／又は反転部を含む場合、突出部（存在する場合）に関して３つのエリア、反転部（存在する場合）に関して３つのエリア、そしてこれらの機構（存在する場合）の間のランドエリアから３つのエリアを測定するべきである。突出部において測定されたライン長さが平均化され、反転部において測定されたライン長さが平均化され、ランドエリアにおいて測定されたライン長さが平均化される。流動制御材料の浸透深さは、これらの平均化された測定値のより高いものとして指定され、四捨五入して０．１マイクロメートル単位で報告される。
（２）流動制御材料の浸透深さの方法は、流動制御材料が横断面画像内で（ｚ方向に着用者から離れて）観測される最下点と、流動制御材料が適用されていない、トップシートの着用者対向表面上の最近点との間のｚ方向距離を測定することによって決定される。トップシートシステムが平面的である場合は３つのエリアを測定し、ライン長さを平均化するべきである。トップシートが突出部及び／又は反転部を含む場合、突出部（存在する場合）に関して３つのエリア、反転部（存在する場合）に関して３つのエリア、そしてこれらの機構（存在する場合）の間のランドエリアから３つのエリアを測定するべきである。突出部において測定されたライン長さが平均化され、反転部において測定されたライン長さが平均化され、ランドエリアにおいて測定されたライン長さが平均化される。流動制御材料の浸透深さは、これらの平均化された測定値のより高いものとして指定され、四捨五入して０．１マイクロメートル単位で報告される。
【０２３５】
バッグ内スタック高さ試験
吸収性物品のパッケージのバッグ内スタック高さは以下のように決定される。
【０２３６】
装置
平坦で硬質な水平スライドプレートを備えた厚さ試験機を使用する。厚さ試験機は、水平スライドプレートが、平坦で硬質な水平ベースプレートのすぐ上で水平の配向をなして常に維持される状態で、水平スライドプレートが垂直方向に自在に移動するように構成される。厚さ試験機は、水平スライドプレートと水平ベースプレートとの間隙を±０．５ｍｍ以内で測定するための好適なデバイスを含む。水平スライドプレート及び水平ベースプレートは、各プレートと接触する吸収性物品パッケージの表面よりも大きく、すなわち、各プレートは、すべての方向において、吸収性物品パッケージの接触表面を越えて延びる。水平スライドプレートは、吸収性物品パッケージに対して８．３４Ｎ（８５０±１重量グラムの力）を下向きに作用させるが、これは、水平スライドプレートの、パッケージと接触しない上側表面の中央に適切な重りを置いて、スライドプレートに更なる重りをプラスした総質量が８５０±１グラムとなるようにすることによって達成され得る。
【０２３７】
試験手順
測定に先立って、吸収性物品パッケージを、２３±２℃及び相対湿度５０±５％で平衡化する。
【０２３８】
水平スライドプレートを持ち上げ、パッケージ内の吸収性物品が水平の配向をなすような方式で（図６９を参照）、吸収性物品パッケージを水平スライドプレートの下に中央に置く。プレートのいずれかに接触する、パッケージの表面上のハンドル又は他のパッケージング機構のうちのいずれかをパッケージの表面に対して平坦に折り畳み、それらが測定に与える影響が最小となるようにする。水平スライドプレートを、パッケージの上側表面と接触するまでゆっくりと降下させ、次いで解放する。水平スライドプレートを解放してから１０秒後に、水平プレート同士の間隙を±０．５ｍｍ以内で測定する。５つの同一のパッケージ（同じ大きさのパッケージで、同じ吸収性物品数）を測定し、その相加平均をパッケージ幅として記録する。「バッグ内スタック高さ」＝（パッケージ幅／スタックごとの吸収性物品数）×１０を計算し、±０．５ｍｍ以内で記録する。
【０２３９】
本明細書で開示する寸法及び値は、列挙された正確な数値に厳密に限られるとして理解されるべきではない。むしろ、特に断らないかぎり、そのような各寸法は、記載された値及びその値の周辺の機能的に同等の範囲の両方を意味するものとする。例えば、「４０ｍｍ」として開示される寸法は、「約４０ｍｍ」を意味することを意図する。
【０２４０】
本明細書で引用されているあらゆる文献は、あらゆる相互参照特許又は関連特許若しくは関連出願を含め、明示的に除外されたり、別段に限定されたりしている場合を除き、その全体が参照により本明細書に組み込まれる。いずれの文献の引用も、その文献が本明細書において開示又は特許請求される任意の形態に対する先行技術であることを容認するものではなく、また、その文献が、単独で、又は任意の他の単数又は複数の参考文献との任意の組み合わせにおいて、任意のこうした形態を教示、示唆又は開示していることを容認するものでもない。更に、本文書における用語の任意の意味又は定義が、参照することによって組み込まれた文書内の同じ用語の意味又は定義と矛盾する場合は、本文書におけるその用語に与えられた意味又は定義を優先するものとする。
【０２４１】
本開示の特定の形態が図示及び説明されたが、本開示の趣旨及び範囲から逸脱することなく様々な他の変更及び修正を行い得ることは、当業者には理解されるであろう。したがって、本開示の範囲内に属する全てのこのような変更及び修正を、添付された特許請求の範囲に網羅するものとする。
【図１】
2017512575.tif 000003
【図２】
2017512575.tif 000004
【図３】
2017512575.tif 000005
【図４】
2017512575.tif 000006
【図５】
2017512575.tif 000007
【図６】
2017512575.tif 000008
【図７】
2017512575.tif 000009
【図８】
2017512575.tif 000010
【図９】
2017512575.tif 000011
【図１０】
2017512575.tif 000012
【図１１】
2017512575.tif 000013
【図１２】
2017512575.tif 000014
【図１３】
2017512575.tif 000015
【図１４】
2017512575.tif 000016
【図１５】
2017512575.tif 000017
【図１６】
2017512575.tif 000018
【図１７】
2017512575.tif 000019
【図１８】
2017512575.tif 000020
【図１９】
2017512575.tif 000021
【図２０】
2017512575.tif 000022
【図２０Ａ】
2017512575.tif 000023
【図２１】
2017512575.tif 000024
【図２１Ａ】
2017512575.tif 000025
【図２１Ｂ】
2017512575.tif 000026
【図２１Ｃ】
2017512575.tif 000027
【図２２】
2017512575.tif 000028
【図２３】
2017512575.tif 000029
【図２４】
2017512575.tif 000030
【図２５】
2017512575.tif 000031
【図２６】
2017512575.tif 000032
【図２７】
2017512575.tif 000033
【図２８】
2017512575.tif 000034
【図２９】
2017512575.tif 000035
【図３０】
2017512575.tif 000036
【図３１】
2017512575.tif 000037
【図３２】
2017512575.tif 000038
【図３３】
2017512575.tif 000039
【図３４】
2017512575.tif 000040
【図３５】
2017512575.tif 000041
【図３６】
2017512575.tif 000042
【図３７】
2017512575.tif 000043
【図３８】
2017512575.tif 000044
【図３９】
2017512575.tif 000045
【図４０】
2017512575.tif 000046
【図４１】
2017512575.tif 000047
【図４２】
2017512575.tif 000048
【図４３】
2017512575.tif 000049
【図４４Ａ】
2017512575.tif 000050
【図４４Ｂ】
2017512575.tif 000051
【図４４Ｃ】
2017512575.tif 000052
【図４４Ｄ】
2017512575.tif 000053
【図４４Ｅ】
2017512575.tif 000054
【図４４Ｆ】
2017512575.tif 000055
【図４５】
2017512575.tif 000056
【図４６Ａ】
2017512575.tif 000057
【図４６Ｂ】
2017512575.tif 000058
【図４７】
2017512575.tif 000059
【図４８】
2017512575.tif 000060
【図４９】
2017512575.tif 000061
【図５０】
2017512575.tif 000062
【図５１】
2017512575.tif 000063
【図５２】
2017512575.tif 000064
【図５３】
2017512575.tif 000065
【図５４】
2017512575.tif 000066
【図５５】
2017512575.tif 000067
【図５６】
2017512575.tif 000068
【図５７】
2017512575.tif 000069
【図５８】
2017512575.tif 000070
【図５９】
2017512575.tif 000071
【図６０】
2017512575.tif 000072
【図６１】
2017512575.tif 000073
【図６２】
2017512575.tif 000074
【図６３】
2017512575.tif 000075
【図６４】
2017512575.tif 000076
【図６４Ａ】
2017512575.tif 000077
【図６５】
2017512575.tif 000078
【図６６】
2017512575.tif 000079
【図６７】
2017512575.tif 000080
【図６８】
2017512575.tif 000081
【図６９】
2017512575.tif 000082
【図７０】
2017512575.tif 000083
【図７１】
2017512575.tif 000084
【図７２】
2017512575.tif 000085
【図７３】
2017512575.tif 000086
【図７４】
2017512575.tif 000087
【図７５】
2017512575.tif 000088
【図７６】
2017512575.tif 000089
【図７７】
2017512575.tif 000090
【図７８】
2017512575.tif 000091
【図７９】
2017512575.tif 000092
【図８０】
2017512575.tif 000093
【図８１】
2017512575.tif 000094
【図８２】
2017512575.tif 000095
【図８３】
2017512575.tif 000096
【図８４】
2017512575.tif 000097
【図８５】
2017512575.tif 000098
【図８６】
2017512575.tif 000099
【図８７】
2017512575.tif 000100
【図８８】
2017512575.tif 000101
【図８９】
2017512575.tif 000102
【図９０】
2017512575.tif 000103
【図９１】
2017512575.tif 000104
【図９２】
2017512575.tif 000105
【図９３】
2017512575.tif 000106
【図９４】
2017512575.tif 000107
【図９５】
2017512575.tif 000108
【図９６】
2017512575.tif 000109
【図９７】
2017512575.tif 000110
【図９８】
2017512575.tif 000111
【図９９】
2017512575.tif 000112
【図１００】
2017512575.tif 000113
【図１０１】
2017512575.tif 000114
【図１０２】
2017512575.tif 000115
【図１０３】
2017512575.tif 000116
【図１０４】
2017512575.tif 000117
【図１０５】
2017512575.tif 000118
【図１０６】
2017512575.tif 000119
【図１０７】
2017512575.tif 000120
【図１０８】
2017512575.tif 000121
【図１０９】
2017512575.tif 000122
【図１１０】
2017512575.tif 000123
【図１１１】
2017512575.tif 000124
【図１１２】
2017512575.tif 000125
【図１１３】
2017512575.tif 000126
【図１１４】
2017512575.tif 000127
【図１１５】
2017512575.tif 000128
【図１１６】
2017512575.tif 000129
【図１１７】
2017512575.tif 000130
【図１１８】
2017512575.tif 000131
【図１１９】
2017512575.tif 000132
【図１２０】
2017512575.tif 000133
【図１２１】
2017512575.tif 000134
【図１２２】
2017512575.tif 000135
【誤訳訂正書】
【提出日】平成28年10月6日(2016.10.6)
【誤訳訂正１】
【訂正対象書類名】明細書
【訂正対象項目名】００４５
【訂正方法】変更
【訂正の内容】
【００４５】
吸収性コア
本明細書で用用いられるとき、用語「吸収性コア」は、吸収能力の大半を有し、吸収性材料を含む吸収性物品の個々の構成要素を指す。吸収性コアは、吸収性材料を封じ込めるコアラップ又はコアバッグ（以後「コアラップ」）を備え得る。用語「吸収性コア」は、ＬＭＳ、又は、コアラップの一体部分ではないか又はコアラップ内に配置されない、吸収性物品の任意の他の構成要素を含まない。吸収性コアは、コアラップと、以下で定義される吸収性材料と、コアラップ内に封じ込まれる糊剤とを含むか、それらから本質的になり得るか、又はそれらからなり得る。またパルプ又はエアフェルトがコアラップ内に存在してもよく、吸収性材料の一部分を形成してもよい。コアラップの周辺部であり得る吸収性コアの周辺部は、例えば、「Ｔ」、「Ｙ」、「砂時計」、又は「犬の骨」の形状など、任意の適した形状を画定してもよい。概して「犬の骨」又は「砂時計」形状を有する吸収性コア周辺部は、その幅に沿って、コアの中央又は「股」領域に向かって先が細くなっていてもよい。このようにして、吸収性物品の股領域内に置かれるように意図された吸収性コアのエリアにおいて、吸収性コアは、比較的狭い幅を有し得る。
【誤訳訂正２】
【訂正対象書類名】明細書
【訂正対象項目名】００４７
【訂正方法】変更
【訂正の内容】
【００４７】
「吸収性材料」とは、ＳＡＰ、セルロース系繊維及び合成繊維など、何らかの吸収特性又は液体保持特性を有する材料を意味する。通常、吸収性コアの作製に使用される糊剤は、吸収特性を有さず、吸収性材料とは見なされない。ＳＡＰ含有量は、上述のように、コアラップに含まれる吸収性材料の８０重量％超、例えば少なくとも８５重量％、少なくとも９０重量％、少なくとも９５重量％、少なくとも９９重量％、更には最大１００重量％となり得る。これにより、通常は、例えば、４０％〜６０％のＳＡＰと大量のセルロース繊維又はエアフェルトとを含む従来のコアと比較して、相対的に薄いコアが得られる。吸収性材料は、１５重量％未満若しくは１０重量％未満の天然繊維若しくは合成繊維、５重量％未満、３重量％未満、２重量％未満、１重量％未満の天然繊維若しくは合成繊維を含み得るが、又は更には天然繊維及び／若しくは合成繊維を実質的に含まないか、若しくは含まない場合があり、具体的には、特定の範囲内及びその中又はそれによって形成された全ての範囲内において全て０．１％の増分であることを示す。吸収性材料は、エアフェルト（セルロース）繊維をほとんど又はまったく含まなくてもよく、特に吸収性コアは、１５重量％未満、１０重量％未満、５重量％未満、３重量％未満、２重量％未満、１重量％未満のエアフェルト（セルロース）繊維を含んでもよく、又は更にはセルロース繊維を実質的に含まないか、若しくは含まない場合があり、具体的には、特定の範囲内及びその中又はそれによって形成された全ての範囲内において全て０．１％の増分であることを示す。
【誤訳訂正３】
【訂正対象書類名】明細書
【訂正対象項目名】００６０
【訂正方法】変更
【訂正の内容】
【００６０】
バリアレッグカフ
吸収性物品は、一対のバリアレッグカフ３４を備えてもよい。各バリアレッグカフは、吸収性物品に結合される一片の材料によって形成することができるため、吸収性物品の内側表面から上方向に延在することができ、また、着用者の胴体と脚との接合部付近での液体及び他の身体排出物の収容性を改善することができる。バリアレッグカフ３４は、トップシート２４及び／又はバックシート２５に直接又は間接的に接合された近位縁６４と、着用者の皮膚と接触して封止部を形成するように意図された自由末端縁部６６とにより、その範囲を定められている。バリアレッグカフ３４は、長手方向軸線８０の両側で吸収性物品の前側腰部縁部１０と後側腰部縁部１２との間に少なくとも部分的に延在し、少なくとも股領域７に存在する。バリアレッグカフ３４は、糊剤接着、溶融結合、又は他の好適な結合プロセスの組み合わせによってなされ得る結合部６５によって、近位縁６４で吸収性物品のシャーシと接合され得る。近位縁６４での結合部６５は、連続的又は断続的であってもよい。レッグカフ３４の隆起区間に最も近い結合部６５は、レッグカフ３４の立ち上がり区間の近位縁６４の範囲を定める。
【誤訳訂正４】
【訂正対象書類名】明細書
【訂正対象項目名】００７５
【訂正方法】変更
【訂正の内容】
【００７５】
ＬＭＳ  ５０は、少なくとも１つ又は３つ以上のチャネルなど、任意の好適な数のチャネルを画定し得る。また、例えば、ＬＭＳ  ５０の後側腰部領域６又前側腰部領域５に、より短いチャネルが存在してもよい。ＬＭＳ  ５０のチャネルは、対称的に配置された一対以上のチャネルを含んでもよいか、又は別の方法で、長手方向軸線８０及び／又は横方向軸線９０又は他の横軸線に対して配置されてもよい。チャネルは、実質的に長手方向に延在しても、あるいは実質的に横方向に延在してもよい。
【誤訳訂正５】
【訂正対象書類名】明細書
【訂正対象項目名】００７６
【訂正方法】変更
【訂正の内容】
【００７６】
ＬＭＳ  ５０内のチャネルの少なくとも一部又は全てが耐久性チャネルであってよいが、それの意味するところは、それらの一体性が、乾燥状態及び湿潤状態の両方で少なくとも部分的に保たれるということである。耐久性チャネルは、例えば、接着材料の繊維性層、又はチャネルの壁内の吸収性材料と基材との粘着を補助する構成糊剤など、１つ以上の接着材料を提供することにより得られてもよい。また、耐久性チャネルは、ＬＭＳ  ５０のチャネルを介して、トップシート２４をバックシート２５と一緒に結合することによって形成されてもよい。典型的には、チャンネルを介してトップシート２４及びバックシート２５を結合するために接着剤が使用され得るが、圧力結合、超音波結合、熱結合、又はそれらの組み合わせなど、他の既知のプロセスによって結合されてもよい。トップシート２４及びバックシート２５は、チャネルの一部若しくは全部に沿って、又はチャネルの一部若しくは全部内で連続的に結合され得るか、又は断続的に結合され得る。
【誤訳訂正６】
【訂正対象書類名】明細書
【訂正対象項目名】００８２
【訂正方法】変更
【訂正の内容】
【００８２】
凸凹のない水平な表面上に、平らに、弛緩した、収縮した状態で平たく広げた場合、構造的セパレータは、矩形又は正方形であり得る。また、凸凹のない水平な表面上に、平らに、弛緩した、収縮した状態で平たく広げた場合、構造的セパレータは台形であり得る。構造的セパレータは、疎水性であってもよい（例えば、これは親水性であってよく、また、疎水性コーティング、例えば、ろう又は１種類以上のシリコーンポリマー若しくはフッ素化ポリマーを含んだ疎水性表面コーティングで疎水性にされてもよい）。構造的セパレータは、横方向、横断方向又は他の方向に著しく弾性的に延伸性であり得るように、弾性挙動を有し得る。構造的セパレータは、吸収性物品の使用中、Ｚ方向の寸法を有する有効なセパレータ（バリア）を確実に形成するために特定の張力を有し、構造的セパレータの後方から前方に糞便が移動するのを回避するか、又は少なくとも抑制し得る。他の構造的セパレータは、トップシートの立ち上がり部若しくは厚みのある部分、ＬＭＳ若しくは吸収性コアの要素、別々に適用した要素、又は１つ以上の吸収性コア要素又はＬＭＳにおける穴部若しくはくぼみを含んでもよい。
【誤訳訂正７】
【訂正対象書類名】明細書
【訂正対象項目名】００８５
【訂正方法】変更
【訂正の内容】
【００８５】
以下で議論するゾーンのすべてに対し、特定の処理が特定のゾーンに対して指定され得るが、ゾーンはまた１つ以上の他の処理又は流動制御材料を含み得ることは理解されるであろう。例えば、特定の形態学的処理が特定のゾーンに対して指定される場合、別の形態学的処理及び／又は別の化学的若しくは幾何学的処理がまた、同じゾーン又はその一部分に提供され得るが、以下の例においてはそれぞれのゾーンごとに特定的には述べられていない。ゾーンはまた、任意の好適な大きさ及び／又は形状を有し得るが、以下で説明する例によって制限されるものではない。
【誤訳訂正８】
【訂正対象書類名】明細書
【訂正対象項目名】００８８
【訂正方法】変更
【訂正の内容】
【００８８】
再び図１５を参照すると、トップシート２４は、少なくとも部分的に前側領域（すなわち、横方向軸線９０の第１の側）にあるゾーンＺ１と、少なくとも部分的に後側領域（すなわち、横方向軸線９０の第２の側）にあるゾーンＺ２とを備え得る。ゾーンＺ１は、尿対処のために構成された第１の形態学的処理を備えてよく、ゾーンＺ２は、ＢＭ対処のために構成された第２の形態学的処理を備えてよい。ゾーンＺ１における第１の形態学的処理のパターンは、横方向軸線９０に関して、ゾーンＺ２における第２の形態学的処理のパターンに対して非対称的であっても対称的であってもよい。ゾーンＺ１及びＺ２のいずれかが、それらの中に画定された孔を有し得る。孔は、任意の好適な有効孔面積を有し得、トップシート２４は、様々なゾーンにおいて任意の好適な％開口面積を有し得る。第１及び第２の形態学的処理は、例えば、本明細書の図５２又は５４で説明されるものであってもよい。ゾーンＺ１又はＺ２の一方又は両方が、化学的処理を含んでも、第３の形態学的処理を含んでもよい。ゾーンＺ１の面積は、ゾーンＺ２の面積と比べてより小さくても、より大きくてもよい。ゾーンＺ１は、横方向軸線９０に対して平行な方向に測定して、少なくとも３０ｍｍ又は少なくとも４０ｍｍの寸法を有し得、ゾーンＺ２は、横方向軸線９０に対して平行な方向に測定して、少なくとも３０ｍｍ又は少なくとも４０ｍｍの寸法を有し得る。図１５には示していないが、吸収性物品は、バリアレッグカフと腰部縁部とを備え得る。
【誤訳訂正９】
【訂正対象書類名】明細書
【訂正対象項目名】００９７
【訂正方法】変更
【訂正の内容】
【００９７】
図２０Ａを参照すると、吸収性物品のトップシート２４が、５つのゾーンＺ１〜Ｚ５と共に示されている。ゾーンＺ１及びＺ５は、形態学的処理（例えば、図５２又は５４を参照）を含み得る。ゾーンＺ２は、例えば、尿用の流動制御材料を備え得る。流動制御材料は、トップシート２４内に、完全に閉じた外周を形成し得る。ゾーンＺ３は、形態学的処理（例えば、図５２又は５４）、印刷パターン、及び／又は流動制御材料を備え得る。ゾーンＺ４は、例えば、部分的に閉じた外周をトップシート２４内に形成し得るＢＭ用の流動制御材料を備え得る。ゾーンのいずれかがまた、１つ以上の付加的な処理及び／又は流動制御材料を備えてもよい。
【誤訳訂正１０】
【訂正対象書類名】明細書
【訂正対象項目名】０１０９
【訂正方法】変更
【訂正の内容】
【０１０９】
図２９を参照すると、トップシート２４を備える吸収性物品が３つのゾーンと共に示されている。ゾーンＺ１は、小さな印刷されたドットの化学的処理を含んでもよく、又は孔を含んでもよい。ゾーンＺ２は、エンボス加工された線、印刷された線、又は別の処理を含み得る。ゾーンＺ３は、エンボス加工された線、印刷された線、又は別の処理を含み得る。ゾーンＺ４は、小さな印刷されたドット又は孔を含み得る。
【誤訳訂正１１】
【訂正対象書類名】明細書
【訂正対象項目名】０１１１
【訂正方法】変更
【訂正の内容】
【０１１１】
図３１を参照すると、トップシート２４を備える吸収性物品が、２つのゾーンと共に示されている。ゾーンＺ１は、スリットを含み得る。ゾーンＺ２は、折り目、エンボス加工された線、印刷された線を含んでもよく、又は別の処理を含まなくてもよい。これらのゾーンの一方又は両方がまた、印刷などの化学的処理を含み得る。プリーツが、二層トップシート内に形成され得る。第１の層が第２の層に付着される前又は付着された後に、第１の層は、ロータリーダイを使用して切り込みを入れられ得る。第１の層は、その切り込みに沿って、第２の層に漸増式に高圧結合され得る。結合箇所Ｓは、切り込みのいずれかの側で第１の層の一部分を囲み、それらの部分を第２の層に付着し得る。
【誤訳訂正１２】
【訂正対象書類名】明細書
【訂正対象項目名】０１２８
【訂正方法】変更
【訂正の内容】
【０１２８】
液体管理システム５０が液体透過性トップシート２４の中へ若しくは液体透過性トップシート２４を通じて、又は液体透過性トップシート２４が液体管理システム５０の中へ若しくは液体管理システム５０を通じて延びるパターン、深さ、長さ、幅、及び／又は頻度において、形成される突起部１０６が異なり得るように、ロール１０４上の歯１１０は、ロール１０４の回転方向において、ロール１０４の周囲で異なり得る。ロール１０４の回転方向における、ロール１０４の約５０％の歯は、第１の構成、大きさ、長さ、幅、パターン、頻度などを有し得るが、ロールの残りの歯は、第２の構成、大きさ、長さ、幅、パターン、頻度などを有し得る。他の場合には、特定の構成を有する歯が、ロール１０４上の３つ以上のゾーンに形成され得る。歯が異なることにより、ロールは、異なる部分１０６又は１０６’を、したがって異なる形態学的処理を有するゾーンを、例えばトップシート２４の第１のゾーン及びトップシート２４の第２のゾーンに形成することが可能となり得る。
【誤訳訂正１３】
【訂正対象書類名】明細書
【訂正対象項目名】０１４２
【訂正方法】変更
【訂正の内容】
【０１４２】
実質的に耐久性の化学的処理を有する利点のいくつかは、汚れ捕捉ポリマー組成物などの化学的処理がトップシート上に残留して、ＢＭが皮膚に付着するよりも強くＢＭをトップシート上に保持し、吸収性物品を用いた皮膚からのＢＭの除去をより容易にし得ることである。実質的に耐久性の化学的処理の他の例には、ａ）後の放尿（すなわち、第１の放尿の後）で尿の浸透性を維持するのを助けるための親水性処理、及び／又はｂ）トップシートの選択された領域において尿の浸透を優先的に制限するための流動制御材料（以下に詳細に説明する）を挙げることができる。
【誤訳訂正１４】
【訂正対象書類名】明細書
【訂正対象項目名】０１４６
【訂正方法】変更
【訂正の内容】
【０１４６】
トップシートは、第１の流動制御材料を含んだ第１の化学的処理（図２１ＣのＺ５を参照）、及び／又は第２の流動制御材料を含んだ第２の化学的処理（図２１ＣのＺ５を参照）を含み得る。これらの流動制御材料は、同じであっても異なっていてもよい。ある場合には、１つの流動制御材料のみが、トップシート上に設けられてもよい。第１及び第２の流動制御材料は、トップシートの任意の好適なエリア、ゾーン、及び／又は部分に配置され得る。トップシートは、第１の流動制御材料を含んだ第１のゾーン（図１５のＺ１を参照）と、第２の流動制御材料を含んだ第２のゾーン（図１５のＺ２を参照）とを備え得る。トップシートの第１のゾーン及び第２のゾーンは、吸収性物品のそれぞれ前方及び／若しくは後方又は前方及び後方に配置され得る。他の場合には、トップシートの第１のゾーン及び第２のゾーンは、実質的に横方向に延在する分離要素（図１５を参照）、横方向軸線、又は長手方向軸線の両側に最後に部分的に配置され得る。
【誤訳訂正１５】
【訂正対象書類名】明細書
【訂正対象項目名】０２２６
【訂正方法】変更
【訂正の内容】
【０２２６】
鋼製フレームを取って、内部開口を取り囲む底面上に両面接着テープを貼る。試料を取得するために、着用者対向表面を上向きにして吸収性物品を作業台上に平らに置く。テープの剥離紙を取り去り、吸収性物品のトップシートに鋼製フレームを付着させる。かみそりの刃を用いて、フレームの外周部の周りの吸収性物品の下層からトップシートを切り取る。長手方向及び横方向の拡張部が維持されるように、試料を丁寧に取り去る。低温スプレー（Ｃｙｔｏ−Ｆｒｅｅｚｅ、Ｃｏｎｔｒｏｌ  Ｃｏｍｐａｎｙ、Ｈｏｕｓｔｏｎ  ＴＸなど）を使用して、必要であれば、トップシート試料を下層から取り出すことができる。５つの実質的に同様の吸収性物品から取得された５つの複製試験片を、分析に備えて準備する。
【国際調査報告】
2017512575.tif 000136
2017512575.tif 000137
2017512575.tif 000138